(57)【特許請求の範囲】
【請求項１】
複数のブロックを隣接して配置し、壁面を構成するための壁形成用のブロックであって、
互いに平行な一対の平面に接する本体部と、
該一対の平面に垂直かつ該一対の平面の間に存する第１線分の一部である第１線分部分が貫通する貫通穴を規定する、本体部の外面に取り付けられた第１の連結部と、
該一対の平面の間に存し第１線分に平行な第２線分の一部である第２線分部分が貫通する貫通穴を規定する、本体部の外面に取り付けられた第２の連結部と、を備えてなり、
第２線分部分の両端のうち該一対の平面と離れている端側に存する第２の連結部の貫通穴の端部の縁部分の少なくとも一部に沿って立ち上がるように形成された挿入部材を有するものである、ブロック。
【請求項２】
複数のブロックを隣接して配置し、壁面を構成するための壁形成用のブロックであって、
互いに平行な一対の平面に接する本体部と、
該一対の平面に垂直かつ該一対の平面の間に存する第１線分の一部である第１線分部分が貫通する貫通穴を規定する、本体部の外面に取り付けられた第１の連結部と、を備えてなり、
該一対の平面に対して平行方向に配置される一対の該ブロックのうち一方のブロックに対し他方のブロックを、該一対の平面に平行で該一対の平面から等しい距離に存する平面である中間平面に存する直線の周りに１８０度回転させて反転させ、一方のブロックの第１線分と他方のブロックの第１線分とが一致する状態である反転連結可能状態に該一対のブロックを互いに配置できるものであり、
第１の連結部が取り付けられた本体部の外面に第１線分に沿った凹溝が形成され、反転連結可能状態においては第１の連結部の外面の一部が凹溝の内部に進入するものである、ブロック。
【請求項３】
複数のブロックを隣接して配置し、壁面を構成するための壁形成用のブロックであって、
互いに平行な一対の平面に接する本体部と、
該一対の平面に垂直かつ該一対の平面の間に存する第１線分の一部である第１線分部分が貫通する貫通穴を規定する、本体部の外面に取り付けられた第１の連結部と、
該一対の平面の間に存し第１線分に平行な第２線分の一部である第２線分部分が貫通する貫通穴を規定する、本体部の外面に取り付けられた第２の連結部と、を備えてなり、
該一対の平面に対して平行方向に配置される一対の前記ブロックのうち一方のブロックに対し他方のブロックを、該一対の平面に平行で該一対の平面から等しい距離に存する平面である中間平面に存する直線の方向に平行移動させ、一方のブロックの第２線分と他方のブロックの第１線分とが一致する状態である平行移動連結可能状態に該一対のブロックを互いに配置できるものであり、
第１の連結部が取り付けられた本体部の外面に第１線分に沿った凹溝が形成され、平行移動連結可能状態においては第２の連結部の外面の一部が凹溝の内部に進入するものである、ブロック。
【請求項４】
複数のブロックを隣接して配置し、壁面を構成するための壁形成用のブロックであって、
互いに平行な一対の平面に接する本体部と、
該一対の平面に垂直かつ該一対の平面の間に存する第１線分の一部である第１線分部分が貫通する貫通穴を規定する、本体部の外面に取り付けられた第１の連結部と、
該一対の平面の間に存し第１線分に平行な第３線分の一部である第３線分部分が貫通する貫通穴を取り囲む、本体部に形成された嵌合部と、
を備えてなる、ブロック。
【請求項５】
本体部が、前記一対の平面にそれぞれ接する上面及び下面と、上面と下面との間に形成された壁面を形成する一対の壁形成面と、２の壁形成面の間に形成された２の側面と、を有してなり、
嵌合部が、該上面及び該下面の一方から他方に向けて窪んだ部分に形成されるものである、請求項４に記載のブロック。
【請求項６】
一対の前記ブロックのうち一方のブロックに対し他方のブロックを、前記一対の平面に平行で前記一対の平面から等しい距離に存する平面である中間平面に存する直線の周りに１８０度回転させて反転させ、一方のブロックの第３線分と他方のブロックの第３線分とが一致する状態である嵌合連結可能状態に該一対のブロックを互いに配置できるものである、請求項４又は５に記載のブロック。
【請求項７】
中間平面により分割される２の空間のうちいずれか一方の空間のみに嵌合部が存するものである、請求項６に記載のブロック。
【請求項８】
嵌合連結可能状態において、前記一対のブロックのうちの一方のブロックの嵌合部と、他方のブロックの嵌合部と、が略接するものである、請求項６又は７に記載のブロック。
【請求項９】
嵌合連結可能状態において、前記一対のブロックのうち一方のブロックに対し他方のブロックが第３線分の周りの回動が規制されるものである、請求項６乃至８のいずれか１に記載のブロック。
【請求項１０】
前記一対の平面に対して平行方向に配置される一対の前記ブロックのうち一方のブロックに対し他方のブロックを、前記一対の平面に平行で前記一対の平面から等しい距離に存する平面である中間平面に存する直線の周りに１８０度回転させて反転させ、一方のブロックの第１線分と他方のブロックの第１線分とが一致する状態である反転連結可能状態に該一対のブロックを互いに配置できるものである、請求項１乃至９のいずれか１に記載のブロック。
【請求項１１】
中間平面により分割される２の空間のうちいずれか一方の空間のみに第１の連結部が存するものである、請求項１０に記載のブロック。
【請求項１２】
反転連結可能状態において、前記一対のブロックのうちの一方のブロックの第１の連結部と、他方のブロックの第１の連結部と、が略接するものである、請求項１０又は１１に記載のブロック。
【請求項１３】
反転連結可能状態を保持しつつ、前記一対のブロックのうち一方のブロックに対し他方のブロックが第１線分の周りの回動が許容されるものである、請求項１０乃至１２のいずれか１に記載のブロック。
【請求項１４】
前記一対の平面の間に存し第１線分に平行な第２線分の一部である第２線分部分が貫通する貫通穴を規定する、本体部の外面に取り付けられた第２の連結部を、さらに備えてなる、請求項１乃至１３のいずれか１に記載のブロック。
【請求項１５】
本体部が、前記一対の平面にそれぞれ接する上面及び下面と、上面と下面との間に形成された壁面を形成する一対の壁形成面と、２の壁形成面の間に形成された２の側面と、を有してなり、
該２の側面のうちの一面に第１の連結部が取り付けられると共に、該２の側面のうちの他面に第２の連結部が取り付けられるものである、請求項１４に記載のブロック。
【請求項１６】
前記一対の平面に対して平行方向に配置される一対の前記ブロックのうち一方のブロックに対し他方のブロックを、前記一対の平面に平行で前記一対の平面から等しい距離に存する平面である中間平面に存する直線の方向に平行移動させ、一方のブロックの第２線分と他方のブロックの第１線分とが一致する状態である平行移動連結可能状態に該一対のブロックを互いに配置できるものである、請求項１４又は１５に記載のブロック。
【請求項１７】
前記一対の平面に平行で前記一対の平面から等しい距離に存する平面である中間平面により分割される２の空間のうち一方の空間のみに第１の連結部が存すると共に、第２の連結部が該２の空間のうち他方の空間のみに存するものである、請求項１６に記載のブロック。
【請求項１８】
平行移動連結可能状態において、前記一対のブロックのうちの一方のブロックの第２の連結部と、他方のブロックの第１の連結部と、が略接するものである、請求項１６又は１７に記載のブロック。
【請求項１９】
平行移動連結可能状態を保持しつつ、前記一対のブロックのうち一方のブロックに対し他方のブロックが、互いに一致する一方のブロックの第２線分と他方のブロックの第１線分との周りの回動が許容されるものである、請求項１６乃至１８のいずれか１に記載のブロック。
【請求項２０】
前記一対の平面の一方側に向けて突出する本体部に取り付けられた凸部と、前記一対の平面の他方側に隣接するブロックが有する凸部を前記一対の平面の他方側から受け入れる凹部と、をさらに備えてなるものである、請求項１乃至１９のいずれか１に記載のブロック。
【請求項２１】
請求項１乃至２０のいずれか１に記載の複数のブロックを前記一対の平面に対して平行方向に連結させ配置することで形成される壁構造物であって、隣接する一対のブロックの連結部の貫通穴に連結部材が貫入され、複数のブロックの本体部が前記壁面を構成するものである、壁構造物。
【発明の詳細な説明】
【技術分野】
【０００１】
本発明は、ブロックに関し、より詳細には、複数のブロックを隣接して配置することで壁面を構成するための壁形成用のブロックに関する。
【背景技術】
【０００２】
壁形成用のブロックは、家屋の壁面、土地の境界に沿った境界壁面、土留め壁面等のような壁面を形成するためにこれまで多用されてきた（例えば、特許文献１等）。
特許文献１は、「家屋等の構造物の境界として施工されるブロック塀や、建築物の間仕切り、及び土留め等に使用する建築用のコンクリートブロック」（考案の詳細な説明中の段落番号０００１）に関し、「従来の建築用コンクリートブロックと同様にブロック塀や間仕切りとして使用することができて、面を露呈して施工した場合でも壁面外観をよくすることができ、更に、塗り壁等の表面仕上げを行う際のモルタルや漆喰び塗料との接着性がよく、更に、雨水等が流れやすく汚れを堆積させない建築用のコンクリートブロックを提供する」（考案の詳細な説明中の段落番号０００３）ためになされたもので、具体的には、「軽石、砂、砂利等の骨材をセメント及びその他の混和剤等で混練りしたゼロスランプのコンクリートを即時脱型方式で成型した建築用コンクリートブロックにおいて、少なくともその正面、背面及び側面の一つに該面の全域に任意の一辺と平行な多数本の直線状三角溝が並列して形成されている」（考案の詳細な説明中の段落番号０００４）建築用コンクリートブロックが開示されている。かかる特許文献１の建築用コンクリートブロックによれば、「三角溝を平行な直線状の溝で形成しているので、金型による成型時や平坦な面に成形した後の切削加工等により容易に溝を形成することができる。また、従来の建築用のコンクリートブロックと同様に塀や間仕切りとして使用でき、屋外のブロック塀に使用した場合には雨水等が直線状三角溝に沿って流れやすいので汚れを落とし、ブロック塀を常に美麗な状態に維持できる。更に、表面に凹凸が形成されているので、コンクリートブロックの表面に塗り壁等の表面仕上げを施工する際に、モルタルや漆喰又は塗料等との接着性がよく表面仕上げ材の剥がれが防止でき耐久性が向上する。また、表面仕上げを施工しない塀の場合であっても、塀の表面にストライプ模様が形成されるので壁面の外観を向上させる。更に、建築物の間仕切りに使用した場合には、壁面に形成された三角溝の凹凸が、音を乱反射させる干渉現象により吸音効果が奏される」（考案の詳細な説明中の段落番号０００５）というものである。
【先行技術文献】
【特許文献】
【０００３】
【特許文献１】登録実用新案第３０８３３９９号公報（例えば、要約、考案の詳細な説明中の段落番号０００１〜０００５、第１図等）
【発明の概要】
【発明が解決しようとする課題】
【０００４】
特許文献１のブロック１を用いて壁を形成しようとすると、特許文献１における正面３と背面４とが所望の壁面を構成するよう、複数のブロック１同士を接着しつつ規則正しく並べる作業を必要とする。かかる作業は、複数のブロック１の相互の位置関係を一定に保ちつつ、ブロック１同士の間を確実に接着し連結することを要するので、難しくかつ難儀なものであった。このためブロックを用いた壁形成作業は、一定の熟練を要すると共に、壁形成に要する作業時間及び作業費用を増加させる原因になっていた。
【０００５】
そこで、本発明では、複数のブロックの相互の位置関係を一定に保ちつつ、ブロック同士の間を確実に連結することができるブロックを提供することを目的とする。
【課題を解決するための手段】
【０００６】
本発明のブロック（以下、「本ブロック」という。）は、複数のブロックを隣接して配置し、壁面を構成するための壁形成用のブロックであって、互いに平行な一対の平面に接する本体部と、該一対の平面に垂直かつ該一対の平面の間に存する第１線分の一部である第１線分部分が貫通する貫通穴を規定する、本体部の外面に取り付けられた第１の連結部と、を備えてなる、ブロックである。
本ブロックは、特許文献１に開示されたブロックと同様、複数のブロックを隣接して配置し、壁面を構成するための壁形成用のブロックである。
本ブロックは、本体部と、第１の連結部と、を備えてなる。
本体部は、互いに平行な一対の平面に接する。
第１の連結部は、貫通穴を有し、本体部の外面に取り付けられる。第１線分の一部である第１線分部分が貫通穴を貫通する（第１線分部分は第１線分の一部のみであり、第１線分の全部となることを含まない）。第１線分は、本体部に接する該互いに平行な一対の平面の間に存する線分（該線分の一端が該一対の平面のうちの一面に存し、該線分の他端が該一対の平面のうちの他面に存する。）であって、該一対の平面に垂直な線分である。
このため本ブロックによれば、本ブロックを隣接して配置する場合、第１の連結部が有する貫通穴を用いて隣接する本ブロック同士を所定の位置関係で連結することができるので（貫通穴を貫通する第１線分部分は第１線分の一部のみによって形成されるので、第１線分の第１線分部分以外の残部が通過する空間を連結に利用することができる。）、複数の本ブロックの相互の位置関係を一定に保ちつつ、ブロック同士の間をうまく連結することができる。第１の連結部が有する貫通穴を用いて隣接する本ブロック同士を連結するには、様々な方法が用いられてよく特に限定されるものではないが、例えば、両ブロックの第１の連結部の貫通穴に共通の部材（例えば、ブロックとは別体の棒材や線材等）を嵌入することで両方の第１の連結部を互いに連結したり、両ブロックの第１の連結部の貫通穴に線材を通して両方の第１の連結部を互いに縛着し連結したり、モルタルを両貫通穴に流し込んで固化させて形成する固化物によって両方の第１の連結部を互いに連結したり、両ブロックのうちの一方の一部分を他方の第１の連結部の貫通穴に嵌入することで両ブロックを互いに連結すること等を例示的に挙げることができる。
【０００７】
本ブロックにおいては、前記一対の平面に対して平行方向に配置される一対の前記ブロックのうち一方のブロックに対し他方のブロックを、前記一対の平面に平行で前記一対の平面から等しい距離に存する平面である中間平面に存する直線の周りに１８０度回転させて反転させ、一方のブロックの第１線分と他方のブロックの第１線分とが一致する状態である反転連結可能状態に該一対のブロックを互いに配置できるもの（以下、「反転連結可能本ブロック」という。）であってもよい。
反転連結可能状態とは、本体部に接する互いに平行な前記一対の平面に対して平行方向に配置される一対の本ブロックのうち、一方の本ブロックに対し他方の本ブロックを１８０度回転させて反転（一方の本ブロックに比べ、他方の本ブロックの上下を丁度逆にする。前記一対の平面のうち一方の平面を一面といい、他方の平面を他面とすれば、反転させる前の他方の本ブロックの本体部が一面に接していた部分が反転させた後では他面に接し、反転させる前の他方の本ブロックの本体部が他面に接していた部分が反転させた後では一面に接する。）させ、一方の本ブロックの第１線分と他方の本ブロックの第１線分とが一致する状態をいう。この一方のブロックに対し他方のブロックを１８０度回転させて反転させることは、本体部に接する互いに平行な前記一対の平面に平行（無論、一面及び他面のいずれにも平行）な平面であって、前記一対の平面から等しい距離（一面からの距離と他面からの距離とが等しい）に存する平面を中間平面とし、この中間平面に存する直線の周りに他方のブロックを１８０度回転させて反転させることをいう。
このような反転連結可能状態に一対の本ブロックを互いに配置できることで、一対の本ブロックの一方の本ブロックに対し他方の本ブロックを１８０度回転させて反転させ、一対の本ブロックの第１の連結部が有する両貫通穴が、互いに一致した第１線分方向に連続するようにできるので、第１線分方向に連続する両貫通穴を用いて隣接する本ブロック同士をうまく連結することができる。
【０００８】
反転連結可能本ブロックの場合、中間平面により分割される２の空間のうちいずれか一方の空間のみに第１の連結部が存するものであってもよい。
こうすることで前記一対の本ブロックの一方の本ブロックに対し他方の本ブロックを１８０度回転させて反転させることで、一対の本ブロックの第１の連結部同士が互いに衝突等のような干渉することをうまく防止でき、前記一対の本ブロックの一方の本ブロックと、反転させた他方の本ブロックと、を一方のブロックの第１線分と他方のブロックの第１線分とが一致する反転連結可能状態に容易かつ円滑に配置できる。
【０００９】
反転連結可能本ブロックの場合、反転連結可能状態において、前記一対のブロックのうちの一方のブロックの第１の連結部と、他方のブロックの第１の連結部と、が略接するものであってもよい。
こうすることで反転連結可能状態において前記一対の本ブロックを連結する際、一方のブロックの第１の連結部と、他方のブロックの第１の連結部と、が略接することにより、本ブロックの相互の位置関係をうまく保ちつつブロック同士をうまく連結することができる。
【００１０】
反転連結可能本ブロックの場合、反転連結可能状態を保持しつつ、前記一対のブロックのうち一方のブロックに対し他方のブロックが第１線分の周りの回動が許容されるものであってもよい。
こうすることで反転連結可能状態において前記一対の本ブロックを連結する際、一方のブロックに対する他方のブロックの第１線分の周りの回動位置を調節でき、本ブロックの連結角度を調節できる（例えば、屈曲した壁面等を形成することもできる。）。
【００１１】
本ブロックにおいては、前記一対の平面の間に存し第１線分に平行な第２線分の一部である第２線分部分が貫通する貫通穴を規定する、本体部の外面に取り付けられた第２の連結部を、さらに備えてなるもの（以下、「第２連結部具備本ブロック」という。）であってもよい。
第２の連結部は、貫通穴を有し、本体部の外面に取り付けられる。第１線分に平行な第２線分の一部である第２線分部分が貫通穴を貫通する（第２線分部分は第２線分の一部のみであり、第２線分の全部となることを含まない）。第２線分は、本体部に接する互いに平行な前記一対の平面の間に存する線分（該線分の一端が前記一対の平面のうちの一面に存し、該線分の他端が前記一対の平面のうちの他面に存する。）であって、前記一対の平面に垂直な線分である。
この本ブロックによれば、本ブロックを隣接して配置する場合、第１の連結部が有する貫通穴と、第２の連結部が有する貫通穴と、を用いて本ブロック同士を連結することができるので（貫通穴を貫通する第１線分部分は第１線分の一部のみによって形成されるので、第１線分の第１線分部分以外の残部が通過する空間を連結に利用することができると共に、第２線分部分は第２線分の一部のみによって形成されるので、第２線分の第２線分部分以外の残部が通過する空間を連結に利用することができる。）、複数の本ブロック同士を連続して連結することができる（例えば、左側に隣接するブロックとは第１の連結部によって連結し、右側に隣接するブロックとは第２の連結部によって連結することで、連続して本ブロックを連結できる。）。第２の連結部が有する貫通穴を用いて隣接する本ブロック同士を連結する方法は、第１の連結部が有する貫通穴を用いて隣接する本ブロック同士を連結する方法と同様に行うことができるので、ここでは説明を省略する。
【００１２】
第２連結部具備本ブロックの場合、本体部が、前記一対の平面にそれぞれ接する上面及び下面と、上面と下面との間に形成された壁面を形成する一対の壁形成面と、２の壁形成面の間に形成された２の側面と、を有してなり、該２の側面のうちの一面に第１の連結部が取り付けられると共に、該２の側面のうちの他面に第２の連結部が取り付けられるものであってもよい。
こうすることで壁面を形成する壁形成面の両側に存する２の側面のうちの一面に第１の連結部が取り付けられると共に、該２の側面のうちの他面に第２の連結部が取り付けられるので、壁面を構成する壁形成面に影響をあまり与えることなく第１の連結部及び第２の連結部を形成し、本ブロック同士を連結できる。
【００１３】
第２連結部具備本ブロックの場合、前記一対の平面に対して平行方向に配置される一対の前記ブロックのうち一方のブロックに対し他方のブロックを、前記一対の平面に平行で前記一対の平面から等しい距離に存する平面である中間平面に存する直線の方向に平行移動させ、一方のブロックの第２線分と他方のブロックの第１線分とが一致する状態である平行移動連結可能状態に該一対のブロックを互いに配置できるもの（以下、「平行移動連結可能本ブロック」という。）であってもよい。
平行移動連結可能状態とは、本体部に接する互いに平行な前記一対の平面に対して平行方向に配置される一対の本ブロックのうち、一方の本ブロックに対し他方の本ブロックを平行移動（一方の本ブロック及び他方の本ブロックのいずれも本体部が前記一対の平面に接する状態は保持される。前記一対の平面のうち一方の平面を一面といい、他方の平面を他面とすれば、平行移動させる前の他方の本ブロックの本体部が一面に接していた部分は平行移動後も一面に接し、平行移動させる前の他方の本ブロックの本体部が他面に接していた部分は平行移動後も他面に接する。）させ、一方のブロックの第２線分と他方のブロックの第１線分とが一致する状態をいう。この一方のブロックに対し他方のブロックを平行移動させることは、本体部に接する互いに平行な前記一対の平面に平行（無論、一面及び他面のいずれにも平行）な平面であって、前記一対の平面から等しい距離（一面からの距離と他面からの距離とが等しい）に存する平面を中間平面とし、この中間平面に存する直線の方向に平行移動させることをいう。
このような平行移動連結可能状態に一対の本ブロックを互いに配置できることで、一対の本ブロックの一方の本ブロックに対し他方の本ブロックを平行移動させ、一方の本ブロックの第２の連結部が有する貫通穴と、他方の本ブロックの第１の連結部が有する貫通穴と、を互いに一致した第１線分及び第２線分の方向に連続するようにできるので、この連続する両貫通穴を用いて隣接する本ブロック同士をうまく連結することができる。
【００１４】
平行移動連結可能本ブロックの場合、前記一対の平面に平行で前記一対の平面から等しい距離に存する平面である中間平面により分割される２の空間のうち一方の空間のみに第１の連結部が存すると共に、第２の連結部が該２の空間のうち他方の空間のみに存するものであってもよい。
こうすることで前記一対の本ブロックの一方の本ブロックに対し他方の本ブロックを平行移動させることで、一方の本ブロックの第２の連結部と、他方の本ブロックの第１の連結部と、が互いに衝突等のような干渉することをうまく防止でき、前記一対の本ブロックの一方の本ブロックと、平行移動させた他方の本ブロックと、を一方のブロックの第２線分と他方のブロックの第１線分とが一致する平行移動連結可能状態に容易かつ円滑に配置できる。
【００１５】
平行移動連結可能本ブロックの場合、平行移動連結可能状態において、前記一対のブロックのうちの一方のブロックの第２の連結部と、他方のブロックの第１の連結部と、が略接するものであってもよい。
こうすることで平行移動連結可能状態において前記一対の本ブロックを連結する際、一方のブロックの第２の連結部と、他方のブロックの第１の連結部と、が略接することにより、本ブロックの相互の位置関係をうまく保ちつつブロック同士をうまく連結することができる。
【００１６】
平行移動連結可能本ブロックの場合、平行移動連結可能状態を保持しつつ、前記一対のブロックのうち一方のブロックに対し他方のブロックが、互いに一致する一方のブロックの第２線分と他方のブロックの第１線分との周りの回動が許容されるものであってもよい。
こうすることで平行移動連結可能状態において前記一対の本ブロックを連結する際、互いに一致する一方のブロックの第２線分と他方のブロックの第１線分との周りの一方のブロックに対する他方のブロックの回動位置を調節でき、本ブロックの連結角度を調節できる（例えば、屈曲した壁面等を形成することもできる。）。
【００１７】
第２連結部具備本ブロックの場合、第２線分部分の両端のうち前記一対の平面と離れている端側に存する第２の連結部の貫通穴の端部の縁部分の少なくとも一部に沿って立ち上がるように形成された挿入部材をさらに有するものであってもよい。
挿入部材は、第２線分（第２線分の一端が前記一対の平面のうちの一面に存し、第２線分の他端が前記一対の平面のうちの他面に存する。）の一部である第２線分部分の両端のうち前記一対の平面と離れている端側に存する第２の連結部の貫通穴の端部の縁部分の少なくとも一部に沿って立ち上がるように形成される。第２線分の第２線分部分以外の残部が通過する空間を連結に利用する際、第２線分部分の両端のうち前記一対の平面と離れている端側は、第２の連結部と連結されるもの（例えば、平行移動連結可能本ブロックであれば、他の本ブロックの第１の連結部）と面するので、該端側に存する第２の連結部の貫通穴の端部の縁部分に沿って立ち上がるよう形成される挿入部材は、第２の連結部と連結されるもの（例えば、平行移動連結可能本ブロックであれば、他の本ブロックの第１の連結部）が有する窪み（貫通穴を含む）に挿入することで、第２の連結部とそれと連結されるものとの連結を容易かつ確実ならしめる。
【００１８】
反転連結可能本ブロック及び／又は平行移動連結可能本ブロックの場合、第１の連結部が取り付けられた本体部の外面に第１線分に沿った凹溝が形成され、反転連結可能状態においては第１の連結部の外面の一部又は平行移動連結可能状態においては第２の連結部の外面の一部が凹溝の内部に進入するものであってもよい。
凹溝は、（凹溝の連続方向が）第１線分に沿って、第１の連結部が取り付けられた本体部の外面に形成される。そして、反転連結可能状態においては第１の連結部の外面の一部が凹溝の内部に進入し、及び／又は、平行移動連結可能状態においては第２の連結部の外面の一部が凹溝の内部に進入する。こうすることで一対の本ブロックを反転連結可能状態又は平行移動連結可能状態にて連結する際、連結部の外面の一部が凹溝の内部に進入することで、本ブロック同士の分断された連結部分が見えにくくなり本ブロックによって形成される壁構造物の外見を向上させることができる。
【００１９】
本ブロックにおいては、前記一対の平面の一方側に向けて突出する本体部に取り付けられた凸部と、前記一対の平面の他方側に隣接するブロックが有する凸部を前記一対の平面の他方側から受け入れる凹部と、をさらに備えてなるものであってもよい。
こうすることで前記一対の平面に垂直な方向（例えば、本ブロックを積み重ねて壁構造物を形成する場合では、通常、上下方向）に本ブロックを積み重ねる場合、積み重ねられる本ブロック同士の間で、本体部に取り付けられた凸部（前記一対の平面の一方側に向けて突出する）と、凸部を受け入れる凹部（前記一対の平面の他方側から受け入れる）と、が嵌合し、積み重ねられた本ブロック同士が前記一対の平面に対して平行方向にずれることを防止し、前記一対の平面に垂直な方向に本ブロックを容易かつ確実に積み重ねることができる。
【００２０】
本ブロックにおいては、前記一対の平面の間に存し第１線分に平行な第３線分の一部である第３線分部分が貫通する貫通穴を取り囲む、本体部に形成された嵌合部を、さらに備えてなるもの（以下、「嵌合部具備本ブロック」という。）であってもよい。
嵌合部は、貫通穴を有し、本体部に形成される。第１線分に平行な第３線分の一部である第３線分部分が貫通穴を貫通する（第３線分部分は第３線分の一部のみであり、第３線分の全部となることを含まない）。第３線分は、本体部に接する互いに平行な前記一対の平面の間に存する線分（該線分の一端が前記一対の平面のうちの一面に存し、該線分の他端が前記一対の平面のうちの他面に存する。）であって、前記一対の平面に垂直な線分である。
この本ブロックによれば、本ブロックを隣接して配置する場合、本体部に形成された嵌合部が有する貫通穴を用いて本ブロック同士を連結することができるので（貫通穴を貫通する第３線分部分は第３線分の一部のみによって形成されるので、第３線分の第３線分部分以外の残部が通過する空間を連結に利用することができる。）、本ブロックの本体部から分岐するよう（枝分かれ状）にブロック同士を連結することができる。嵌合部が有する貫通穴を用いて本ブロック同士を連結する方法は、第１の連結部が有する貫通穴を用いて隣接する本ブロック同士を連結する方法と同様に行うことができるので、ここでは説明を省略する。
【００２１】
嵌合部具備本ブロックの場合、本体部が、前記一対の平面にそれぞれ接する上面及び下面と、上面と下面との間に形成された壁面を形成する一対の壁形成面と、２の壁形成面の間に形成された２の側面と、を有してなり、嵌合部が、該上面及び該下面の一方から他方に向けて窪んだ部分に形成されるものであってもよい。
こうすることで嵌合部が、上面及び下面の一方から他方に向けて窪んだ部分に形成されるので、嵌合部が有する貫通穴のみならず窪んだ部分によっても、本ブロック同士を連結することができるので、本ブロックの本体部から分岐するよう（枝分かれ状）にブロック同士をうまく連結することができる。
【００２２】
嵌合部具備本ブロックの場合、一対の前記ブロックのうち一方のブロックに対し他方のブロックを、前記一対の平面に平行で前記一対の平面から等しい距離に存する平面である中間平面に存する直線の周りに１８０度回転させて反転させ、一方のブロックの第３線分と他方のブロックの第３線分とが一致する状態である嵌合連結可能状態に該一対のブロックを互いに配置できるもの（以下、「嵌合連結可能本ブロック」という。）であってもよい。
嵌合連結可能状態とは、本体部に接する互いに平行な前記一対の平面に対して平行方向に配置される一対の本ブロックのうち、一方の本ブロックに対し他方の本ブロックを１８０度回転させて反転（一方の本ブロックに比べ、他方の本ブロックの上下を丁度逆にする。前記一対の平面のうち一方の平面を一面といい、他方の平面を他面とすれば、反転させる前の他方の本ブロックの本体部が一面に接していた部分が反転させた後では他面に接し、反転させる前の他方の本ブロックの本体部が他面に接していた部分が反転させた後では一面に接する。）させ、一方の本ブロックの第３線分と他方の本ブロックの第３線分とが一致する状態をいう。この一方のブロックに対し他方のブロックを１８０度回転させて反転させることは、本体部に接する互いに平行な前記一対の平面に平行（無論、一面及び他面のいずれにも平行）な平面であって、前記一対の平面から等しい距離（一面からの距離と他面からの距離とが等しい）に存する平面を中間平面とし、この中間平面に存する直線の周りに他方のブロックを１８０度回転させて反転させることをいう。
このような嵌合連結可能状態に一対の本ブロックを互いに配置できることで、一対の本ブロックの一方の本ブロックに対し他方の本ブロックを１８０度回転させて反転させ、一対の本ブロックの嵌合部が有する両貫通穴が、互いに一致した第３線分方向に連続するようにできるので、第３線分方向に連続する両貫通穴を用いて本ブロック同士を本体部から分岐するよううまく連結することができる。
【００２３】
嵌合連結可能本ブロックの場合、中間平面により分割される２の空間のうちいずれか一方の空間のみに嵌合部が存するものであってもよい。
こうすることで前記一対の本ブロックの一方の本ブロックに対し他方の本ブロックを１８０度回転させて反転させることで、一対の本ブロックの嵌合部同士が互いに衝突等のような干渉することをうまく防止でき、前記一対の本ブロックの一方の本ブロックと、反転させた他方の本ブロックと、を一方のブロックの第３線分と他方のブロックの第３線分とが一致する嵌合連結可能状態に容易かつ円滑に配置できる。
【００２４】
嵌合連結可能本ブロックの場合、嵌合連結可能状態において、前記一対のブロックのうちの一方のブロックの嵌合部と、他方のブロックの嵌合部と、が略接するものであってもよい。
こうすることで嵌合連結可能状態において前記一対の本ブロックを連結する際、一方のブロックの嵌合部と、他方のブロックの嵌合部と、が略接することにより、本ブロックの相互の位置関係をうまく保ちつつブロック同士をうまく連結することができる。
【００２５】
嵌合連結可能本ブロックの場合、嵌合連結可能状態において、前記一対のブロックのうち一方のブロックに対し他方のブロックが第３線分の周りの回動が規制されるものであってもよい。
こうすることで嵌合連結可能状態において前記一対の本ブロックを連結する際、一方のブロックに対し他方のブロックが第３線分の周りに不意に回動することを防止又は減少させることができ、本ブロックの相互の位置関係をうまく保ちつつブロック同士をうまく連結することができる。
なお、一方のブロックに対し他方のブロックが第３線分の周りの回動が規制されるとは、該回動が、禁止されるもののみならず、所望範囲（例えば、１５度以下等）に制限されるものであれば足りる。
【００２６】
以上のような本ブロックは、複数の本ブロックを前記一対の平面に対して平行方向に連結させ配置することで形成される壁構造物であって、隣接する一対のブロックの連結部の貫通穴に連結部材が貫入され、複数のブロックの本体部が前記壁面を構成するものである、壁構造物を構成するのに好適に用いられる。
本ブロックによれば、本ブロックを隣接して配置する場合、連結部が有する貫通穴を用いて隣接する本ブロック同士を連結することができるので、複数の本ブロックの相互の位置関係を一定に保ちつつ（前記一対の平面に対して平行方向に連結させ配置する）、ブロック同士の間をうまく連結することでブロックの本体部に壁面を構成させ壁構造物を形成できる。このとき隣接する一対のブロックの連結部の貫通穴に連結部材（例えば、ブロックとは別体の棒材や線材等）を貫入することで、ブロック同士間の連結を確実かつ強固ならしめ堅牢な壁構造物を形成できる。
【図面の簡単な説明】
【００２７】
【図１】第１実施形態に係る第１本ブロックの斜視図である。
【図２】第２実施形態に係る第２本ブロックの斜視図である。
【図３】第３実施形態に係る第３本ブロックの斜視図である。
【図４】第４実施形態に係る第４本ブロックの斜視図である。
【図５】第５実施形態に係る第５本ブロックの斜視図である。
【図６】第６実施形態に係る第６本ブロックの斜視図である。
【図７】第７実施形態に係る第７本ブロックの斜視図である。
【図８】第８実施形態に係る第８本ブロックの斜視図である。
【図９】第９実施形態に係る第９本ブロックの斜視図である。
【図１０】第１０実施形態に係る第１０本ブロックの斜視図である。
【図１１】複数の第１本ブロックを用いて壁構造物を形成する方法を説明する図である。
【図１２】第２本ブロックと第１本ブロックとを用いた壁構造物を説明する図である。
【図１３】複数の第３本ブロックを用いて壁構造物を形成する方法を説明する図である。
【図１４】第４本ブロック、第５本ブロック、第６本ブロック、第１本ブロックそして第９本ブロックを用いて壁構造物を形成する方法を説明する図である。
【図１５】複数の第７本ブロックを用いて壁構造物を形成する方法を説明する図である。
【図１６】第８本ブロックと第７本ブロックとを用いた壁構造物を説明する図である。
【図１７】複数の第９本ブロックを用いて壁構造物を形成する方法を説明する図である。
【図１８】第１０本ブロック、第５本ブロック、第６本ブロック、第１本ブロックそして第９本ブロックを用いて壁構造物を形成する方法を説明する図である。
【図１９】一対の第１本ブロックの第１の連結部同士を互いに連結させる状態を説明する図である。
【図２０】一対の第２本ブロックを連結部によって連結させる状態を説明する図である。
【図２１】一対の第３本ブロックの第１の連結部同士を互いに連結させる状態を説明する図である。
【図２２】第４本ブロック同士を互いに連結させる状態を説明する図である。
【図２３】第５本ブロック同士及び第６本ブロック同士を互いに連結させる状態を説明する図である。
【図２４】第７本ブロック同士及び第８本ブロック同士を互いに連結させる状態を説明する図である。
【図２５】第９本ブロック同士及び第１０本ブロック同士を互いに連結させる状態を説明する図である。
【図２６】第１０本ブロック、第５本ブロック、第６本ブロック、第７本ブロックそして第９本ブロックを用いて壁構造物を形成する方法を説明する図である。
【発明を実施するための形態】
【００２８】
以下、本発明の実施の形態を図面を参照して説明する。しかしながら、これらによって本発明は何ら制限されるものではない。
【００２９】
（第１実施形態の第１本ブロック）
図１は、本発明の第１実施形態に係る壁構築用のブロック（以下、「第１本ブロック」という。）１１の斜視図である。図１を参照して、第１本ブロック１１について説明する。第１本ブロック１１は、ここではコンクリート（従来のコンクリートブロックを形成するために用いられてきたものと同様のものを用いることができる）によって全体が一体的に形成されている。
そして、第１本ブロック１１の説明を容易にするため、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００３０】
第１本ブロック１１は、大まかには、直方体形状を略なす本体部１３と、本体部１３の互いに略平行な一対の外面のうち一面に取り付けられた第１の連結部１５と、本体部１３の互いに略平行な一対の外面のうち他面に取り付けられた第２の連結部１７と、本体部１３の上面に取り付けられた一対の凸条部１９ａ、１９ｂと、を備えてなる。
【００３１】
本体部１３は、互いに交わる３の辺がｘ軸、ｙ軸及びｚ軸に沿った直方体形状を略なしており（ここではｘ軸方向の寸法＞ｚ軸方向の寸法＞ｙ軸方向の寸法）、ｚ軸方向に連続する一対の中空部１３ｃ１、１３ｃ２を有している。中空部１３ｃ１は上部開口１３ｃ１ａと下部開口１３ｃ１ｂとによって外部９９に連通していると共に、中空部１３ｃ２は上部開口１３ｃ２ａと下部開口１３ｃ２ｂとによって外部９９に連通しており、中空部１３ｃ１、１３ｃ２は隔壁部１３ｄによって分離されている。
そして、本体部１３の上面のうち、ｘ軸に沿った方向の両端近傍（中空部１３ｃ１、１３ｃ２の外側）には、ｙ軸に沿った一対の凸条部１９ａ、１９ｂが取り付けられている。一対の凸条部１９ａ、１９ｂいずれも、互いに交わる３の辺がｘ軸、ｙ軸及びｚ軸に沿った細長い直方体形状を略なしており（ここではｙ軸方向の寸法＞ｚ軸方向の寸法＝ｘ軸方向の寸法）、ｘｙ面に平行な外面が本体部１３上面に取り付けられている。また、本体部１３のｘｙ面への正投影が重なる状態（ｘ方向及びｙ方向は同じ位置関係）でｚ軸方向に一対の第１本ブロック１１が重なった場合に、下側に存する第１本ブロック１１の凸条部１９ａ、１９ｂを嵌入（収容）する凹条部１８ａ、１８ｂが形成されている。凹条部１８ａ、１８ｂいずれも凸条部１９ａ、１９ｂよりやや大きめの形状を有しており、互いに交わる３の辺がｘ軸、ｙ軸及びｚ軸に沿った細長い直方体形状を略なしている（ここではｙ軸方向の寸法＞ｚ軸方向の寸法＝ｘ軸方向の寸法）。
【００３２】
第１の連結部１５は、互いに交わる３の辺がｘ軸、ｙ軸及びｚ軸に沿った直方体形状を略なしており、ここでは第１の連結部１５がなす直方体形状は、具体的には、ｙ軸方向の寸法は本体部１３のｙ軸方向の寸法と同じにされ、ｚ軸方向の寸法は本体部１３のｚ軸方向の半分の寸法とされている。そして、第１の連結部１５の下面と本体部１３の下面とは、ｘｙ面に平行な同じ平面に属するよう、第１の連結部１５と本体部１３とは連なっている。
第１の連結部１５は、ｚ軸方向に連続する中空部１５ｃを有しており、中空部１５ｃは上部開口１５ｃａと下部開口１５ｃｂとによって外部９９に連通している。中空部１５ｃは、ｚ軸に平行な同一直線（ここでは本体部１３がなす直方体が有するｙ軸に平行な４の辺の中点４個を含む平面に存する）上の線分を軸とする第１及び第２の直円柱によって形成されており、具体的には、第１の連結部１５の上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部１５ｆが形成されている。環状溝部１５ｆは、後述する第２の連結部１７の環状突部１７ｆを嵌入し受け入れる。
【００３３】
第２の連結部１７は、互いに交わる３の辺がｘ軸、ｙ軸及びｚ軸に沿った直方体形状を略なし（後述する環状突部１７ｆを除く）、環状溝部１５ｆ及び環状突部１７ｆ（後述）を除き第１の連結部１５がなす直方体形状と略同じ形状をなしている。詳述すれば、ここでは第２の連結部１７がなす直方体形状は、具体的には、ｙ軸方向の寸法は本体部１３のｙ軸方向の寸法と同じにされ、ｚ軸方向の寸法は本体部１３のｚ軸方向の半分の寸法とされている。そして、第２の連結部１７の下面と本体部１３の下面とは、ｘｙ面に平行な同じ平面に属するよう、第２の連結部１７と本体部１３とは連なっている。
第２の連結部１７は、ｚ軸方向に連続する中空部１７ｃを有しており、中空部１７ｃは上部開口１７ｃａと下部開口１７ｃｂとによって外部９９に連通している。中空部１７ｃは、ｚ軸に平行な直線（ここでは本体部１３がなす直方体が有するｙ軸に平行な４の辺の中点４個を含む平面に存する）上の線分を軸とする直円柱（ここでは中空部１５ｃの第２の直円柱の半径ｒ２と同じ半径）によって形成されている。第２の連結部１７の上面には、上部開口１７ｃａを取り囲み該上面から上方に突出するように環状突部１７ｆが形成されている。環状突部１７ｆの形状は、環状溝部１５ｆの形状よりもやや小さく形成されており、詳細には、中空部１７ｃがなす直円柱の軸が存する直線上の線分を軸とする直円柱（半径ｒ３（ｒ３はｒ１よりもやや小さい）、ｚ軸方向の高さは第１の直円柱の高さよりもやや小さい）から該線分を軸とする半径ｒ２の直円柱をくり抜いた形状である。
【００３４】
このため一対の第１本ブロック１１のうち一方の第１本ブロック１１の環状突部１７ｆを、一対の第１本ブロック１１のうち他方の第１本ブロック１１の環状溝部１５ｆに嵌入することができる（このとき一対の第１本ブロック１１のうち一方の第１本ブロック１１に対し、一対の第１本ブロック１１のうち他方の第１本ブロック１１は上下が逆さまになる。）と共に、一方の第１本ブロック１１の第２の連結部１７の環状突部１７ｆが形成された面（図１では上面）と、他方の第１本ブロック１１の第１の連結部１５の環状溝部１５ｆが形成された面（図１では上面）と、が互いに当接するので、一対の第１本ブロック１１を互いに確実に連結できる（後述の図１１）。加えて、一方の第１本ブロック１１の第２の連結部１７の中空部１７ｃと、他方の第１本ブロック１１の第１の連結部１５の中空部１５ｃと、がｚ軸方向に連続するので、これら連続した中空部１５ｃ、１７ｃに棒状部材（例えば、鉄筋）等を貫入すれば、一対の第１本ブロック１１を一層確実に連結できる。また、ｚ軸方向に一対の第１本ブロック１１を重ねる場合、下側に存する第１本ブロック１１の凸条部１９ａ、１９ｂが、上側に存する第１本ブロック１１の凹条部１８ａ、１８ｂに嵌入されるので、ｚ軸方向（上下方向）に第１本ブロック１１を重ねて容易に積むことができる。
【００３５】
（第２実施形態の第２本ブロック）
図２は、本発明の第２実施形態に係る壁構築用のブロック（以下、「第２本ブロック」という。）２１の斜視図である。図２を参照して、第２本ブロック２１について説明する。第２本ブロック２１は、ここではコンクリート（従来のコンクリートブロックを形成するために用いられてきたものと同様のものを用いることができる）によって全体が一体的に形成されている。
そして、第２本ブロック２１の説明を容易にするため、第１本ブロック１１の説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００３６】
第２本ブロック２１は、大まかには、直方体形状を略なす本体部２３と、本体部２３の互いに略平行な一対の外面のうち一面に取り付けられた第１の連結部２５と、本体部２３の互いに略平行な一対の外面のうち他面に取り付けられた第２の連結部２７と、本体部２３の上面に取り付けられた一対の凸条部２９ａ、２９ｂと、を備えてなる。
【００３７】
本体部２３は、互いに交わる３の辺がｘ軸、ｙ軸及びｚ軸に沿った直方体形状を略なしており（ここではｘ軸方向の寸法＞ｚ軸方向の寸法＞ｙ軸方向の寸法）、ｚ軸方向に連続する一対の中空部２３ｃ１、２３ｃ２を有している。中空部２３ｃ１は上部開口２３ｃ１ａと下部開口２３ｃ１ｂとによって外部９９に連通していると共に、中空部２３ｃ２は上部開口２３ｃ２ａと下部開口２３ｃ２ｂとによって外部９９に連通している。
本体部２３の上面から下面に向けて本体部２３が切りかかれた窪み空間２４が、一対の中空部２３ｃ１、２３ｃ２の間に形成されている。窪み空間２４は、互いに交わる３の辺がｘ軸、ｙ軸及びｚ軸に沿った直方体形状を略なしており、ｙ軸方向の窪み空間２４の寸法はｙ軸方向の本体部２３の寸法と同じであり（ｙ軸方向に窪み空間２４は連続している）、ｚ軸方向の窪み空間２４の寸法はｚ軸方向の本体部２３の寸法の半分である（無論、ｘ軸方向の窪み空間２４の寸法はｘ軸方向の本体部２３の寸法よりも小さい。）。このため本体部２３のうち窪み空間２４によって切りかかれた部分（以下、「窪んだ部分」という。）２３ｅは、本体部２３の他の部分（中空部２３ｃ１、２３ｃ２を規定する部分）の高さ（ｚ軸方向の寸法）に比して半分の高さになっている。窪んだ部分２３ｅは、ｚ軸方向に連続する中空部２３ｃ３を有しており、中空部２３ｃ３は上部開口２３ｃ３ａと下部開口２３ｃ３ｂとによって外部９９に連通している。中空部２３ｃ３は、ｚ軸に平行な同一直線（ここでは本体部２３がなす直方体が有するｙ軸に平行な４の辺の中点４個を含む平面に存する）上の線分を軸とする第１及び第２の直円柱によって形成されており、具体的には、窪んだ部分２３ｅの上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部２３ｆが形成されている。
【００３８】
そして、本体部２３の上面のうち、ｘ軸に沿った方向の両端近傍（中空部２３ｃ１、２３ｃ２の外側）には、ｙ軸に沿った一対の凸条部２９ａ、２９ｂが取り付けられている。一対の凸条部２９ａ、２９ｂいずれも、互いに交わる３の辺がｘ軸、ｙ軸及びｚ軸に沿った細長い直方体形状を略なしており（ここではｙ軸方向の寸法＞ｚ軸方向の寸法＝ｘ軸方向の寸法）、ｘｙ面に平行な外面が本体部２３上面に取り付けられている。また、本体部２３のｘｙ面への正投影が重なる状態（ｘ方向及びｙ方向は同じ位置関係）でｚ軸方向に一対の第２本ブロック２１が重なった場合に、下側に存する第２本ブロック２１の凸条部２９ａ、２９ｂを嵌入（収容）する凹条部２８ａ、２８ｂが形成されている。凹条部２８ａ、２８ｂいずれも凸条部２９ａ、２９ｂよりやや大きめの形状を有しており、互いに交わる３の辺がｘ軸、ｙ軸及びｚ軸に沿った細長い直方体形状を略なしている（ここではｙ軸方向の寸法＞ｚ軸方向の寸法＝ｘ軸方向の寸法）。
【００３９】
第１の連結部２５は、互いに交わる３の辺がｘ軸、ｙ軸及びｚ軸に沿った直方体形状を略なしており、ここでは第１の連結部２５がなす直方体形状は、具体的には、ｙ軸方向の寸法は本体部２３のｙ軸方向の寸法と同じにされ、ｚ軸方向の寸法は本体部２３のｚ軸方向の半分の寸法とされている。そして、第１の連結部２５の下面と本体部２３の下面とは、ｘｙ面に平行な同じ平面に属するよう、第１の連結部２５と本体部２３とは連なっている。
第１の連結部２５は、ｚ軸方向に連続する中空部２５ｃを有しており、中空部２５ｃは上部開口２５ｃａと下部開口２５ｃｂとによって外部９９に連通している。中空部２５ｃは、ｚ軸に平行な同一直線（ここでは本体部２３がなす直方体が有するｙ軸に平行な４の辺の中点４個を含む平面に存する）上の線分を軸とする第１及び第２の直円柱によって形成されており、具体的には、第１の連結部２５の上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部２５ｆが形成されている。
【００４０】
第２の連結部２７は、互いに交わる３の辺がｘ軸、ｙ軸及びｚ軸に沿った直方体形状を略なしており、ここでは第２の連結部２７がなす直方体形状は、具体的には、ｙ軸方向の寸法は本体部２３のｙ軸方向の寸法と同じにされ、ｚ軸方向の寸法は本体部２３のｚ軸方向の半分の寸法とされている。そして、第２の連結部２７の下面と本体部２３の下面とは、ｘｙ面に平行な同じ平面に属するよう、第２の連結部２７と本体部２３とは連なっている。以上の通り、第１の連結部２５の上面、第２の連結部２７の上面、窪んだ部分２３ｅの上面のいずれも、ｘｙ面に平行な同一の平面に略属する。
第２の連結部２７は、ｚ軸方向に連続する中空部２７ｃを有しており、中空部２７ｃは上部開口２７ｃａと下部開口２７ｃｂとによって外部９９に連通している。中空部２７ｃは、ｚ軸に平行な同一直線（ここでは本体部２３がなす直方体が有するｙ軸に平行な４の辺の中点４個を含む平面に存する）上の線分を軸とする第１及び第２の直円柱によって形成されており、具体的には、第２の連結部２７の上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部２７ｆが形成されている。
【００４１】
（第３実施形態の第３本ブロック）
図３は、本発明の第３実施形態に係る壁構築用のブロック（以下、「第３本ブロック」という。）３１の斜視図である。図３を参照して、第３本ブロック３１について説明する。第３本ブロック３１は、ここではコンクリート（従来のコンクリートブロックを形成するために用いられてきたものと同様のものを用いることができる）によって全体が一体的に形成されている。
そして、第３本ブロック３１の説明を容易にするため、これまでの説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００４２】
第３本ブロック３１は、大まかには、箱形状をなす本体部３３と、本体部３３のｘ軸方向の一方側に取り付けられた直円柱状の第１の連結部３５と、本体部３３のｘ軸方向の他方側に取り付けられた直円柱状の第２の連結部３７と、本体部３３の上面に取り付けられた一対の凸条部３９ａ、３９ｂと、を備えてなる。
【００４３】
本体部３３は、互いに直交する３辺がｘ軸、ｙ軸及びｚ軸に略平行な直方体形状を略なす中心部３３ｃと、中心部３３ｃがなす該直方体の互いに平行な面（ｙｚ面に略平行な２面）に取り付けられた側面部３３ａ、３３ｂと、を有してなる。
中心部３３ｃは、中心部３３ｃがなす該直方体の互いに平行な両主表面（ｚｘ面に略平行な２面）がブロックの両主表面３１ｆをなしており（図３においては、両主表面３１ｆのうち一方のみが見えている）、両主表面３１ｆに垂直な互いに平行な面（ｙｚ面に略平行な２面）に側面部３３ａ、３３ｂが形成されている。そして、中心部３３ｃがなす該直方体の６面のうち、両主表面３１ｆをなす２面と、側面部３３ａ、３３ｂが形成された２面と、の計４面を除いた２面（ｘｙ面に略平行な２面）に開口するように、ｚ軸方向に連続する一対の中空部３３ｃ１、３３ｃ２を有している。一対の中空部３３ｃ１、３３ｃ２は隔壁３３ｄによって分離されており、中空部３３ｃ１は上部開口３３ｃ１ａと下部開口３３ｃ１ｂとによって外部９９に連通していると共に、中空部３３ｃ２は上部開口３３ｃ２ａと下部開口３３ｃ２ｂとによって外部９９に連通している。
【００４４】
側面部３３ａ、３３ｂは、中心部３３ｃがなす該直方体の互いに平行な面（ｙｚ面に略平行な２面）に取り付けられており（一対の側面部３３ａ、３３ｂいずれも同形状及び同寸法である。）、ｚ軸に対して垂直な平面によるいずれの断面も同じ形状の二等辺三角形（二等辺三角形の３辺のうち二等辺以外の辺の部分が、中心部３３ｃがなす該直方体のｙｚ面に略平行な２面に取り付けられている。そして、等しい二角はここでは約４５度とされている。）をなす直三角柱（両底面はｚ軸に対して略垂直になっている）からｚ軸に平行な軸を有する直円柱（半径ｒ４。なお、ここではｒ４は、両主表面３１ｆの間の距離の半分に略されている。）を切り取った形状を有している。詳しくは、該直三角柱の３つの側面のうち、中心部３３ｃがなす該直方体のｙｚ面に略平行な面に取り付けられている面に、該直円柱の側面が略接している。このため側面部３３ａ、３３ｂは、該直円柱の側面に沿って凹溝３３ａｄ、３３ｂｄがｚ軸方向に形成されている。
【００４５】
そして、本体部３３の上面のうち、ｘ軸に沿った方向の両端近傍（中空部３３ｃ１、３３ｃ２の外側）には、ｙ軸に沿った一対の凸条部３９ａ、３９ｂが取り付けられている。一対の凸条部３９ａ、３９ｂいずれも、互いに交わる３の辺がｘ軸、ｙ軸及びｚ軸に沿った細長い直方体形状を略なしており（ここではｙ軸方向の寸法＞ｚ軸方向の寸法＝ｘ軸方向の寸法）、ｘｙ面に平行な外面が本体部３３上面に取り付けられている。また、本体部３３のｘｙ面への正投影が重なる状態（ｘ方向及びｙ方向は同じ位置関係）でｚ軸方向に一対の第３本ブロック３１が重なった場合に、下側に存する第３本ブロック３１の凸条部３９ａ、３９ｂを嵌入（収容）する凹条部３８ａ、３８ｂが形成されている。凹条部３８ａ、３８ｂいずれも凸条部３９ａ、３９ｂよりやや大きめの形状を有しており、互いに交わる３の辺がｘ軸、ｙ軸及びｚ軸に沿った細長い直方体形状を略なしている（ここではｙ軸方向の寸法＞ｚ軸方向の寸法＝ｘ軸方向の寸法）。
【００４６】
第１の連結部３５は、ｚ軸に平行な軸を有する直円柱（半径ｒ５。但しｒ５は、凹溝３３ａｄ、３３ｂｄの半径ｒ４に略等しい。）から、ｚ軸方向に連続する中空部３５ｃ（後述）をくり抜いたような両端が開放された直円筒状をなしている。第１の連結部３５の高さ（ｚ軸方向の寸法）は本体部３３のｚ軸方向の半分の寸法とされており、第１の連結部３５の下面と本体部３３の下面とは、ｘｙ面に平行な同じ平面に属するよう、第１の連結部３５の外周面が側面部３３ａの凹溝３３ａｄに取り付けられている（ここでは連結部３５と側面部３３ａとは一体に形成されている）。
第１の連結部３５は、ｚ軸方向に連続する中空部３５ｃを有しており、中空部３５ｃは上部開口３５ｃａと下部開口３５ｃｂとによって外部９９に連通している。中空部３５ｃは、ｚ軸に平行な同一直線（ここでは中心部３３ｃがなす直方体が有するｙ軸に平行な４の辺の中点４個を含む平面に存する）上の線分（第１の連結部３５の半径ｒ５の外周面を側面が形成する前記直円柱の軸と同じ直線上に存する）を軸とする第１及び第２の直円柱によって形成されており、具体的には、第１の連結部３５の上面側の第１の直円柱（半径ｒ１。但し、ｒ１＜ｒ５）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部３５ｆが形成されている。環状溝部３５ｆは、後述する第２の連結部３７の環状突部３７ｆを嵌入し受け入れる。
【００４７】
第２の連結部３７は、ｚ軸に平行な軸を有する直円柱（半径ｒ５。但しｒ５は、凹溝３３ａｄ、３３ｂｄの半径ｒ４に略等しい。）から、ｚ軸方向に連続する中空部３７ｃ（後述）をくり抜いたような両端が開放された直円筒状をなしている。第２の連結部３７の高さ（ｚ軸方向の寸法）は、後述する環状突部３７ｆを除き本体部３３のｚ軸方向の半分の寸法（第１の連結部３５の高さ（ｚ軸に平行な寸法）と同じ）とされており、第２の連結部３７の下面と本体部３３の下面とは、ｘｙ面に平行な同じ平面に属するよう（第１の連結部３５の下面と第２の連結部３７の下面と本体部３３の下面とは、ｘｙ面に平行な同じ平面に属する。）、第２の連結部３７の外周面が側面部３３ｂの凹溝３３ｂｄに取り付けられている（ここでは連結部３７と側面部３３ｂとは一体に形成されている）。
第２の連結部３７は、ｚ軸方向に連続する中空部３７ｃを有しており、中空部３７ｃは上部開口３７ｃａと下部開口３７ｃｂとによって外部９９に連通している。中空部３７ｃは、ｚ軸に平行な直線（ここでは中心部３３ｃがなす直方体が有するｙ軸に平行な４の辺の中点４個を含む平面に存する）上の線分（第２の連結部３７の半径ｒ５の外周面を側面が形成する前記直円柱の軸と同じ直線上に存する）を軸とする直円柱（ここでは中空部３５ｃの第２の直円柱の半径ｒ２と同じ半径）によって形成されている。第２の連結部３７の上面には、上部開口３７ｃａを取り囲み該上面から上方に突出するように環状突部３７ｆが形成されている。環状突部３７ｆの形状は、環状溝部３５ｆの形状よりもやや小さく形成されており、詳細には、中空部３７ｃがなす直円柱の軸が存する直線上の線分を軸とする直円柱（半径ｒ８（ｒ８はｒ１よりもやや小さい）、ｚ軸方向の高さは第１の連結部３５の第１の直円柱の高さよりもやや小さい）から該線分を軸とする半径ｒ２（無論、ｒ２＜ｒ８）の直円柱をくり抜いた形状である。
【００４８】
このため一対の第３本ブロック３１のうち一方の第３本ブロック３１の環状突部３７ｆを、一対の第３本ブロック３１のうち他方の第３本ブロック３１の環状溝部３５ｆに嵌入することができる（このとき一対の第３本ブロック３１のうち一方の第３本ブロック３１に対し、一対の第３本ブロック３１のうち他方の第３本ブロック３１は上下が逆さまになる。）と共に、一方の第３本ブロック３１の第２の連結部３７の環状突部３７ｆが形成された面（図３では上面）と、他方の第３本ブロック３１の第１の連結部３５の環状溝部３５ｆが形成された面（図３では上面）と、が互いに当接するので、一対の第３本ブロック３１を互いに確実に連結できる。加えて、一方の第３本ブロック３１の第２の連結部３７の中空部３７ｃと、他方の第３本ブロック３１の第１の連結部３５の中空部３５ｃと、がｚ軸方向に連続するので、これら連続した中空部３５ｃ、３７ｃに棒状部材（例えば、鉄筋）等を貫入すれば、一対の第３本ブロック３１を一層確実に連結できる。
また、ｚ軸方向に一対の第３本ブロック３１を重ねる場合、下側に存する第３本ブロック３１の凸条部３９ａ、３９ｂが、上側に存する第３本ブロック３１の凹条部３８ａ、３８ｂに嵌入されるので、ｚ軸方向（上下方向）に第３本ブロック３１を重ねて容易に積むことができる。
【００４９】
（第４実施形態の第４本ブロック）
図４は、本発明の第４実施形態に係る壁構築用のブロック（以下、「第４本ブロック」という。）４１の斜視図である。図４を参照して、第４本ブロック４１について説明する。第４本ブロック４１は、ここではコンクリート（従来のコンクリートブロックを形成するために用いられてきたものと同様のものを用いることができる）によって全体が一体的に形成されている。
そして、第４本ブロック４１の説明を容易にするため、これまでの説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００５０】
第４本ブロック４１は、大まかには、箱形状をなす本体部４３と、本体部４３のｘ軸方向の一方側に取り付けられた直円柱状の第１の連結部４５と、本体部４３のｘ軸方向の他方側に取り付けられた第２の連結部４７と、本体部４３の上面に取り付けられた一対の凸条部４９ａ、４９ｂと、を備えてなる。
【００５１】
本体部４３は、互いに直交する３辺がｘ軸、ｙ軸及びｚ軸に略平行な直方体形状を略なす中心部４３ｃと、中心部４３ｃがなす該直方体のｙｚ面に略平行な面（ｘ軸方向の前記一方側の面）に取り付けられた側面部４３ａと、を有してなる。
中心部４３ｃは、中心部４３ｃがなす該直方体の互いに平行な両主表面（ｚｘ面に略平行な２面）がブロックの両主表面４１ｆをなしており（図４においては、両主表面４１ｆのうち一方のみが見えている）、両主表面４１ｆに垂直な面（ｙｚ面に略平行かつｘ軸方向の前記一方側の面）に側面部４３ａが形成されている。そして、中心部４３ｃがなす該直方体の６面のうち、両主表面４１ｆをなす２面と、側面部４３ａが形成された１面と、側面部４３ａが形成された１面と平行な１面と、の計４面を除いた２面（ｘｙ面に略平行な２面）に開口するように、ｚ軸方向に連続する一対の中空部４３ｃ１、４３ｃ２を有している。一対の中空部４３ｃ１、４３ｃ２は隔壁４３ｄによって分離されており、中空部４３ｃ１は上部開口４３ｃ１ａと下部開口４３ｃ１ｂとによって外部９９に連通していると共に、中空部４３ｃ２は上部開口４３ｃ２ａと下部開口４３ｃ２ｂとによって外部９９に連通している。
【００５２】
側面部４３ａは、中心部４３ｃがなす該直方体のｙｚ面に略平行な面（ｘ軸方向の前記一方側の面）に取り付けられており、第３本ブロック３１の側面部３３ａと同様であるので、ここでは説明を省略する。側面部４３ａによって凹溝４３ａｄがｚ軸方向に向かって形成されている。
【００５３】
そして、本体部４３の上面のうち、ｘ軸に沿った方向の両端近傍（中空部４３ｃ１、４３ｃ２の外側）には、ｙ軸に沿った一対の凸条部４９ａ、４９ｂが取り付けられている。一対の凸条部４９ａ、４９ｂは第３本ブロック３１の一対の凸条部３９ａ、３９ｂと同様であるので、ここでは説明を省略する。
また、本体部４３のｘｙ面への正投影が重なる状態（ｘ方向及びｙ方向は同じ位置関係）でｚ軸方向に一対の第４本ブロック４１が重なった場合に、下側に存する第４本ブロック４１の凸条部４９ａ、４９ｂを嵌入（収容）する凹条部４８ａ、４８ｂが形成されている。凹条部４８ａ、４８ｂは第３本ブロック３１の凹条部３８ａ、３８ｂと同様であるので、ここでは説明を省略する。
【００５４】
第１の連結部４５は、第３本ブロック３１の第１の連結部３５と同様であるので、ここでは詳しい説明を省略する。第１の連結部４５の高さ（ｚ軸に平行な寸法）は本体部４３のｚ軸方向の半分の寸法とされており、第１の連結部４５の下面と本体部４３の下面とは、ｘｙ面に平行な同じ平面に属するよう、第１の連結部４５の外周面が側面部４３ａの凹溝４３ａｄに取り付けられている（ここでは連結部４５と側面部４３ａとは一体に形成されている）。
第１の連結部４５は、ｚ軸方向に連続する中空部４５ｃを有しており、中空部４５ｃは上部開口４５ｃａと下部開口４５ｃｂとによって外部９９に連通している。中空部４５ｃは、第１の連結部４５の上面側の第１の直円柱と、第１の直円柱の下面に上面が連なる第２の直円柱（第１の直円柱よりも半径が小さい）と、によって形成されており、この第１の直円柱の半径と第２の直円柱の半径との差によって環状溝部４５ｆが形成されている。
【００５５】
第２の連結部４７は、第２本ブロック２１の第２の連結部２７と同様であるので、ここでは詳しい説明を省略する。第２の連結部４７は、互いに交わる３の辺がｘ軸、ｙ軸及びｚ軸に沿った直方体形状を略なしており、第２の連結部４７がなす直方体形状のｙ軸方向の寸法は本体部４３のｙ軸方向の寸法と同じにされ、ｚ軸方向の寸法は本体部４３のｚ軸方向の半分の寸法とされている。そして、第２の連結部４７の下面と本体部４３の下面とは、ｘｙ面に平行な同じ平面に属するよう、第２の連結部４７と本体部４３とは連なっている。以上の通り、第１の連結部４５の上面と第２の連結部４７の上面とのいずれも、ｘｙ面に平行な同一の平面に略属する。
第２の連結部４７は、ｚ軸方向に連続する中空部４７ｃを有しており、中空部４７ｃは上部開口４７ｃａと下部開口４７ｃｂとによって外部９９に連通している。中空部４７ｃは、ｚ軸に平行な同一直線上の線分を軸とする第１及び第２の直円柱によって形成されており、具体的には、第２の連結部４７の上面側の第１の直円柱と、第１の直円柱の下面に上面が連なる第２の直円柱（半径は第１の直円柱よりも小さい）と、によって形成されており、この両直円柱の半径差によって環状溝部４７ｆが形成されている。
【００５６】
（第５実施形態の第５本ブロック）
図５は、本発明の第５実施形態に係る壁構築用のブロック（以下、「第５本ブロック」という。）５１の斜視図である。図５を参照して、第５本ブロック５１について説明する。第５本ブロック５１は、ここではコンクリート（従来のコンクリートブロックを形成するために用いられてきたものと同様のものを用いることができる）によって全体が一体的に形成されている。
そして、第５本ブロック５１の説明を容易にするため、これまでの説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００５７】
第５本ブロック５１は、大まかには、直方体形状を略なす本体部５３と、本体部５３の互いに略平行な一対の外面のうち一面に取り付けられた第１の連結部５５と、本体部５３の上面に取り付けられた一対の凸条部５９ａ、５９ｂと、を備えてなる。第５本ブロック５１は、第１本ブロック１１から第２の連結部１７を取り除いたのと同様の構造を有している。
【００５８】
本体部５３は、互いに交わる３の辺がｘ軸、ｙ軸及びｚ軸に沿った直方体形状を略なしており（ここではｘ軸方向の寸法＞ｚ軸方向の寸法＞ｙ軸方向の寸法）、ｚ軸方向に連続する一対の中空部５３ｃ１、５３ｃ２を有している。中空部５３ｃ１は上部開口５３ｃ１ａと下部開口５３ｃ１ｂとによって外部９９に連通していると共に、中空部５３ｃ２は上部開口５３ｃ２ａと下部開口５３ｃ２ｂとによって外部９９に連通しており、中空部５３ｃ１、５３ｃ２は隔壁部５３ｄによって分離されている。
そして、本体部５３の上面のうち、ｘ軸に沿った方向の両端近傍（中空部５３ｃ１、５３ｃ２の外側）には、ｙ軸に沿った一対の凸条部５９ａ、５９ｂが取り付けられている。一対の凸条部５９ａ、５９ｂは第１本ブロック１１の一対の凸条部１９ａ、１９ｂと同様であるので、ここでは説明を省略する。
また、本体部５３のｘｙ面への正投影が重なる状態（ｘ方向及びｙ方向は同じ位置関係）でｚ軸方向に一対の第５本ブロック５１が重なった場合に、下側に存する第５本ブロック５１の凸条部５９ａ、５９ｂを嵌入（収容）する凹条部５８ａ、５８ｂが形成されている。凹条部５８ａ、５８ｂは第１本ブロック１１の凹条部１８ａ、１８ｂと同様であるので、ここでは説明を省略する。
【００５９】
第１の連結部５５は、第１本ブロック１１の第１の連結部１５と同様であり、互いに交わる３の辺がｘ軸、ｙ軸及びｚ軸に沿った直方体形状を略なしている。ここでは第１の連結部５５がなす直方体形状は、具体的には、ｙ軸方向の寸法は本体部５３のｙ軸方向の寸法と同じにされ、ｚ軸方向の寸法は本体部５３のｚ軸方向の半分の寸法とされている。そして、第１の連結部５５の下面と本体部５３の下面とは、ｘｙ面に平行な同じ平面に属するよう、第１の連結部５５と本体部５３とは連なっている。
第１の連結部５５は、ｚ軸方向に連続する中空部５５ｃを有しており、中空部５５ｃは上部開口５５ｃａと下部開口５５ｃｂとによって外部９９に連通している。中空部５５ｃは、ｚ軸に平行な同一直線上の線分を軸とする第１及び第２の直円柱によって形成されており、具体的には、第１の連結部５５の上面側の第１の直円柱（半径ｒ１）と、第１の直円柱の下面に上面が連なる第２の直円柱（半径ｒ２＜ｒ１）と、によって形成されており、この両直円柱の半径差によって環状溝部５５ｆが形成されている。
【００６０】
（第６実施形態の第６本ブロック）
図６は、本発明の第６実施形態に係る壁構築用のブロック（以下、「第６本ブロック」という。）６１の斜視図である。図６を参照して、第６本ブロック６１について説明する。第６本ブロック６１は、ここではコンクリート（従来のコンクリートブロックを形成するために用いられてきたものと同様のものを用いることができる）によって全体が一体的に形成されている。
そして、第６本ブロック６１の説明を容易にするため、これまでの説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００６１】
第６本ブロック６１は、大まかには、箱形状をなす本体部６３と、本体部６３のｘ軸方向の一方側に取り付けられた直円柱状の第１の連結部６５と、本体部６３の上面に取り付けられた一対の凸条部６９ａ、６９ｂと、を備えてなる。第６本ブロック６１は、第４本ブロック４１から第２の連結部４７を取り除いたのと同様の構造を有している。
【００６２】
本体部６３は、互いに直交する３辺がｘ軸、ｙ軸及びｚ軸に略平行な直方体形状を略なす中心部６３ｃと、中心部６３ｃがなす該直方体のｙｚ面に略平行な面（ｘ軸方向の前記一方側の面）に取り付けられた側面部６３ａと、を有してなる。
中心部６３ｃは、中心部６３ｃがなす該直方体の互いに平行な両主表面（ｚｘ面に略平行な２面）がブロックの両主表面６１ｆをなしており（図６においては、両主表面６１ｆのうち一方のみが見えている）、両主表面６１ｆに垂直な面（ｙｚ面に略平行かつｘ軸方向の前記一方側の面）に側面部６３ａが形成されている。そして、中心部６３ｃがなす該直方体の６面のうち、両主表面６１ｆをなす２面と、側面部６３ａが形成された１面と、側面部６３ａが形成された１面と平行な１面と、の計４面を除いた２面（ｘｙ面に略平行な２面）に開口するように、ｚ軸方向に連続する一対の中空部６３ｃ１、６３ｃ２を有している。一対の中空部６３ｃ１、６３ｃ２は隔壁部６３ｄによって分離されており、中空部６３ｃ１は上部開口６３ｃ１ａと下部開口６３ｃ１ｂとによって外部９９に連通していると共に、中空部６３ｃ２は上部開口６３ｃ２ａと下部開口６３ｃ２ｂとによって外部９９に連通している。
【００６３】
側面部６３ａは、中心部６３ｃがなす該直方体のｙｚ面に略平行な面（ｘ軸方向の前記一方側の面）に取り付けられており、第４本ブロック４１の側面部４３ａと同様であるので、ここでは説明を省略する。側面部６３ａによって凹溝６３ａｄがｚ軸方向に沿って形成されている。
【００６４】
本体部６３の上面のうち、ｘ軸に沿った方向の両端近傍（中空部６３ｃ１、６３ｃ２の外側）には、ｙ軸に沿った一対の凸条部６９ａ、６９ｂが取り付けられている。一対の凸条部６９ａ、６９ｂは第４本ブロック４１の一対の凸条部４９ａ、４９ｂと同様であるので、ここでは説明を省略する。
また、本体部６３のｘｙ面への正投影が重なる状態（ｘ方向及びｙ方向は同じ位置関係）でｚ軸方向に一対の第６本ブロック６１が重なった場合に、下側に存する第６本ブロック６１の凸条部６９ａ、６９ｂを嵌入（収容）する凹条部６８ａ、６８ｂが形成されている。凹条部６８ａ、６８ｂは第４本ブロック４１の凹条部４８ａ、４８ｂと同様であるので、ここでは説明を省略する。
【００６５】
第１の連結部６５は、第４本ブロック４１の第１の連結部４５と同様であり、第１の連結部６５の高さ（ｚ軸に平行な寸法）は本体部６３のｚ軸方向の半分の寸法とされており、第１の連結部６５の下面と本体部６３の下面とは、ｘｙ面に平行な同じ平面に属するよう、第１の連結部６５の外周面が側面部６３ａの凹溝６３ａｄに取り付けられている（ここでは連結部６５と側面部６３ａとは一体に形成されている）。
第１の連結部６５は、ｚ軸方向に連続する中空部６５ｃを有しており、中空部６５ｃは上部開口６５ｃａと下部開口６５ｃｂとによって外部９９に連通している。中空部６５ｃは、第１の連結部６５の上面側の第１の直円柱と、第１の直円柱の下面に上面が連なる第２の直円柱（第１の直円柱よりも半径が小さい）と、によって形成されており、この第１の直円柱の半径と第２の直円柱の半径との差によって環状溝部６５ｆが形成されている。
【００６６】
（第７実施形態の第７本ブロック）
図７は、本発明の第７実施形態に係る壁構築用のブロック（以下、「第７本ブロック」という。）７１の斜視図である。図７を参照して、第７本ブロック７１について説明する。第７本ブロック７１は、ここではコンクリート（従来のコンクリートブロックを形成するために用いられてきたものと同様のものを用いることができる）によって全体が一体的に形成されている。
そして、第７本ブロック７１の説明を容易にするため、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００６７】
第７本ブロック７１は、大まかには、直方体形状を略なす本体部７３と、本体部７３の互いに略平行な一対の外面のうち一面に取り付けられた第１の連結部７５と、本体部７３の互いに略平行な一対の外面のうち他面に取り付けられた第２の連結部７７と、本体部７３の上面に取り付けられた一対の凸条部７９ａ、７９ｂと、を備えてなる。第７本ブロック７１は、第１本ブロック１１における第２の連結部１７の位置が異なるのみでその余りは第１本ブロック１１と同様の構造を有している。
【００６８】
本体部７３は、第１本ブロック１１の本体部１３と同様のものであるので、ここでは詳しい説明は省略する。本体部７３は、ｚ軸方向に連続する一対の中空部７３ｃ１、７３ｃ２を有している。中空部７３ｃ１は上部開口７３ｃ１ａと下部開口７３ｃ１ｂとによって外部９９に連通していると共に、中空部７３ｃ２は上部開口７３ｃ２ａと下部開口７３ｃ２ｂとによって外部９９に連通しており、中空部７３ｃ１、７３ｃ２は隔壁部７３ｄによって分離されている。
そして、本体部７３の上面のうち、ｘ軸に沿った方向の両端近傍（中空部７３ｃ１、７３ｃ２の外側）には、ｙ軸に沿った一対の凸条部７９ａ、７９ｂが取り付けられている。一対の凸条部７９ａ、７９ｂは、第１本ブロック１１の凸条部１９ａ、１９ｂと同様のものであるので、ここでは詳しい説明を省略する。
また、本体部７３のｘｙ面への正投影が重なる状態（ｘ方向及びｙ方向は同じ位置関係）でｚ軸方向に一対の第７本ブロック７１が重なった場合に、下側に存する第７本ブロック７１の凸条部７９ａ、７９ｂを嵌入（収容）する凹条部７８ａ、７８ｂが形成されている。凹条部７８ａ、７８ｂは、第１本ブロック１１の凹条部１８ａ、１８ｂと同様のものであるので、ここでは詳しい説明を省略する。
【００６９】
第１の連結部７５は、第１本ブロック１１の第１の連結部１５と同様のものであるので、ここでは詳しい説明を省略する。第１の連結部７５は、ｚ軸方向に連続する中空部７５ｃを有しており、中空部７５ｃは上部開口７５ｃａと下部開口７５ｃｂとによって外部９９に連通している。中空部７５ｃは、ｚ軸に平行な同一直線上の線分を軸とする第１及び第２の直円柱によって形成されており、具体的には、第１の連結部７５の上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部７５ｆが形成されている。環状溝部７５ｆは、後述する第２の連結部７７の環状突部７７ｆを嵌入し受け入れる。
【００７０】
第２の連結部７７は、互いに交わる３の辺がｘ軸、ｙ軸及びｚ軸に沿った直方体形状を略なし（後述する環状突部７７ｆを除く）、環状溝部７５ｆ及び環状突部７７ｆ（後述）を除き第１の連結部７５がなす直方体形状と略同じ形状をなしている。詳述すれば、ここでは第２の連結部７７がなす直方体形状は、具体的には、ｙ軸方向の寸法は本体部７３のｙ軸方向の寸法と同じにされ、ｚ軸方向の寸法は本体部７３のｚ軸方向の半分の寸法とされている。そして、第２の連結部７７の上面と本体部７３の上面とは、ｘｙ面に平行な同じ平面に属するよう、第２の連結部７７と本体部７３とは連なっている。
第２の連結部７７は、ｚ軸方向に連続する中空部７７ｃを有しており、中空部７７ｃは上部開口７７ｃａと下部開口７７ｃｂとによって外部９９に連通している。中空部７７ｃは、ｚ軸に平行な直線（ここでは本体部７３がなす直方体が有するｙ軸に平行な４の辺の中点４個を含む平面に存する）上の線分を軸とする直円柱（ここでは中空部７５ｃの第２の直円柱の半径ｒ２と同じ半径）によって形成されている。第２の連結部７７の下面には、下部開口７７ｃｂを取り囲み該下面から下方に突出するように環状突部７７ｆが形成されている。環状突部７７ｆの形状は、環状溝部７５ｆの形状よりもやや小さく形成されており、詳細には、中空部７７ｃがなす直円柱の軸が存する直線上の線分を軸とする直円柱（半径ｒ３（ｒ３はｒ１よりもやや小さい）、ｚ軸方向の高さは第１の直円柱の高さよりもやや小さい）から該線分を軸とする半径ｒ２の直円柱をくり抜いた形状である。
【００７１】
このため一対の第７本ブロック７１のうち一方の第７本ブロック７１の環状突部７７ｆを、一対の第７本ブロック７１のうち他方の第７本ブロック７１の環状溝部７５ｆに嵌入することができる（このとき一対の第７本ブロック７１のうち一方の第７本ブロック７１に対し、一対の第７本ブロック７１のうち他方の第７本ブロック７１はｘ軸方向に移動した状態になる。）と共に、一方の第７本ブロック７１の第２の連結部７７の環状突部７７ｆが形成された面（図７では下面）と、他方の第７本ブロック７１の第１の連結部７５の環状溝部７５ｆが形成された面（図７では上面）と、が互いに当接するので、一対の第７本ブロック７１を互いに確実に連結できる。加えて、一方の第７本ブロック７１の第２の連結部７７の中空部７７ｃと、他方の第７本ブロック７１の第１の連結部７５の中空部７５ｃと、がｚ軸方向に連続するので、これら連続した中空部７５ｃ、７７ｃに棒状部材（例えば、鉄筋）等を貫入すれば、一対の第７本ブロック７１を一層確実に連結できる。
また、ｚ軸方向に一対の第７本ブロック７１を重ねる場合、下側に存する第７本ブロック７１の凸条部７９ａ、７９ｂが、上側に存する第７本ブロック７１の凹条部７８ａ、７８ｂに嵌入されるので、ｚ軸方向（上下方向）に第７本ブロック７１を重ねて容易に積むことができる。
【００７２】
（第８実施形態の第８本ブロック）
図８は、本発明の第８実施形態に係る壁構築用のブロック（以下、「第８本ブロック」という。）８１の斜視図である。図８を参照して、第８本ブロック８１について説明する。第８本ブロック８１は、ここではコンクリート（従来のコンクリートブロックを形成するために用いられてきたものと同様のものを用いることができる）によって全体が一体的に形成されている。
そして、第８本ブロック８１の説明を容易にするため、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００７３】
第８本ブロック８１は、大まかには、直方体形状を略なす本体部８３と、本体部８３の互いに略平行な一対の外面のうち一面に取り付けられた第１の連結部８５と、本体部８３の互いに略平行な一対の外面のうち他面に取り付けられた第２の連結部８７と、本体部８３の上面に取り付けられた一対の凸条部８９ａ、８９ｂと、を備えてなる。第８本ブロック８１は、第２本ブロック２１における第２の連結部２７の位置が異なるのみでその余りは第２本ブロック２１と同様の構造を有している。
【００７４】
本体部８３は、互いに交わる３の辺がｘ軸、ｙ軸及びｚ軸に沿った直方体形状を略なしており（ここではｘ軸方向の寸法＞ｚ軸方向の寸法＞ｙ軸方向の寸法）、ｚ軸方向に連続する一対の中空部８３ｃ１、８３ｃ２を有している。中空部８３ｃ１は上部開口８３ｃ１ａと下部開口８３ｃ１ｂとによって外部９９に連通していると共に、中空部８３ｃ２は上部開口８３ｃ２ａと下部開口８３ｃ２ｂとによって外部９９に連通している。
本体部８３の上面から下面に向けて本体部８３が切りかかれた窪み空間８４が、一対の中空部８３ｃ１、８３ｃ２の間に形成されている。窪み空間８４は、互いに交わる３の辺がｘ軸、ｙ軸及びｚ軸に沿った直方体形状を略なしており、ｙ軸方向の窪み空間８４の寸法はｙ軸方向の本体部８３の寸法と同じであり（ｙ軸方向に窪み空間８４は連続している）、ｚ軸方向の窪み空間８４の寸法はｚ軸方向の本体部８３の寸法の半分である（無論、ｘ軸方向の窪み空間８４の寸法はｘ軸方向の本体部８３の寸法よりも小さい。）。このため本体部８３のうち窪み空間８４によって切りかかれた部分（以下、「窪んだ部分」という。）８３ｅは、本体部８３の他の部分（中空部８３ｃ１、８３ｃ２を規定する部分）の高さ（ｚ軸方向の寸法）に比して半分の高さになっている。窪んだ部分８３ｅは、ｚ軸方向に連続する中空部８３ｃ３を有しており、中空部８３ｃ３は上部開口８３ｃ３ａと下部開口８３ｃ３ｂとによって外部９９に連通している。中空部８３ｃ３は、ｚ軸に平行な同一直線（ここでは本体部８３がなす直方体が有するｙ軸に平行な４の辺の中点４個を含む平面に存する）上の線分を軸とする第１及び第２の直円柱によって形成されており、具体的には、窪んだ部分８３ｅの上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部８３ｆが形成されている。
【００７５】
本体部８３の上面のうち、ｘ軸に沿った方向の両端近傍（中空部８３ｃ１、８３ｃ２の外側）には、ｙ軸に沿った一対の凸条部８９ａ、８９ｂが取り付けられている。一対の凸条部８９ａ、８９ｂは、第２本ブロック２１の凸条部２９ａ、２９ｂと同様のものであるので、ここでは詳しい説明を省略する。
そして、本体部８３のｘｙ面への正投影が重なる状態（ｘ方向及びｙ方向は同じ位置関係）でｚ軸方向に一対の第８本ブロック８１が重なった場合に、下側に存する第８本ブロック８１の凸条部８９ａ、８９ｂを嵌入（収容）する凹条部８８ａ、８８ｂが形成されている。凹条部８８ａ、８８ｂは、第２本ブロック２１の凹条部２８ａ、２８ｂと同様のものであるので、ここでは詳しい説明を省略する。
【００７６】
第１の連結部８５は、第２本ブロック２１の第１の連結部２５と同様のものであるので、ここでは詳しい説明を省略する。第１の連結部８５は、互いに交わる３の辺がｘ軸、ｙ軸及びｚ軸に沿った直方体形状を略なしており、第１の連結部８５がなす直方体形状は、具体的には、ｙ軸方向の寸法は本体部８３のｙ軸方向の寸法と同じにされ、ｚ軸方向の寸法は本体部８３のｚ軸方向の半分の寸法とされている。そして、第１の連結部８５の下面と本体部８３の下面とは、ｘｙ面に平行な同じ平面に属するよう、第１の連結部８５と本体部８３とは連なっている。
第１の連結部８５は、ｚ軸方向に連続する中空部８５ｃを有しており、中空部８５ｃは上部開口８５ｃａと下部開口８５ｃｂとによって外部９９に連通している。中空部８５ｃは、ｚ軸に平行な同一直線（ここでは本体部８３がなす直方体が有するｙ軸に平行な４の辺の中点４個を含む平面に存する）上の線分を軸とする第１及び第２の直円柱によって形成されており、具体的には、第１の連結部８５の上面側の第１の直円柱（半径ｒ１）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部８５ｆが形成されている。
【００７７】
第２の連結部８７は、互いに交わる３の辺がｘ軸、ｙ軸及びｚ軸に沿った直方体形状を略なしており、ここでは第２の連結部８７がなす直方体形状は、具体的には、ｙ軸方向の寸法は本体部８３のｙ軸方向の寸法と同じにされ、ｚ軸方向の寸法は本体部８３のｚ軸方向の半分の寸法とされている。そして、第２の連結部８７の上面と本体部８３の上面とは、ｘｙ面に平行な同じ平面に属するよう、第２の連結部８７と本体部８３とは連なっている。以上の通り、第１の連結部８５の上面、第２の連結部８７の下面、窪んだ部分８３ｅの上面のいずれも、ｘｙ面に平行な同一の平面に略属する。
第２の連結部８７は、ｚ軸方向に連続する中空部８７ｃを有しており、中空部８７ｃは上部開口８７ｃａと下部開口８７ｃｂとによって外部９９に連通している。中空部８７ｃは、ｚ軸に平行な同一直線（ここでは本体部８３がなす直方体が有するｙ軸に平行な４の辺の中点４個を含む平面に存する）上の線分を軸とする第１及び第２の直円柱によって形成されており、具体的には、第２の連結部８７の上面側の第２の直円柱（半径ｒ２）と、第２の直円柱の下面に上面が連なる第１の直円柱（半径ｒ１＞ｒ２）と、によって形成されており、この第１の直円柱の半径ｒ１と第２の直円柱の半径ｒ２との差（ｒ１ーｒ２）によって環状溝部８７ｆが形成されている。
【００７８】
（第９実施形態の第９本ブロック）
図９は、本発明の第９実施形態に係る壁構築用のブロック（以下、「第９本ブロック」という。）９１の斜視図である。図９を参照して、第９本ブロック９１について説明する。第９本ブロック９１は、ここではコンクリート（従来のコンクリートブロックを形成するために用いられてきたものと同様のものを用いることができる）によって全体が一体的に形成されている。
そして、第９本ブロック９１の説明を容易にするため、これまでの説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００７９】
第９本ブロック９１は、大まかには、箱形状をなす本体部９３と、本体部９３のｘ軸方向の一方側に取り付けられた直円柱状の第１の連結部９５と、本体部９３のｘ軸方向の他方側に取り付けられた直円柱状の第２の連結部９７と、本体部９３の上面に取り付けられた一対の凸条部９９ａ、９９ｂと、を備えてなる。第９本ブロック９１は、第３本ブロック３１における第２の連結部３７の位置が異なるのみでその余りは第３本ブロック３１と同様の構造を有している。
【００８０】
本体部９３は、互いに直交する３辺がｘ軸、ｙ軸及びｚ軸に略平行な直方体形状を略なす中心部９３ｃと、中心部９３ｃがなす該直方体の互いに平行な面（ｙｚ面に略平行な２面）に取り付けられた側面部９３ａ、９３ｂと、を有してなる。
中心部９３ｃは、中心部９３ｃがなす該直方体の互いに平行な両主表面（ｚｘ面に略平行な２面）がブロックの両主表面９１ｆをなしており（図９においては、両主表面９１ｆのうち一方のみが見えている）、両主表面９１ｆに垂直な互いに平行な面（ｙｚ面に略平行な２面）に側面部９３ａ、９３ｂが形成されている。そして、中心部９３ｃがなす該直方体の６面のうち、両主表面９１ｆをなす２面と、側面部９３ａ、９３ｂが形成された２面と、の計４面を除いた２面（ｘｙ面に略平行な２面）に開口するように、ｚ軸方向に連続する一対の中空部９３ｃ１、９３ｃ２を有している。一対の中空部９３ｃ１、９３ｃ２は隔壁部９３ｄによって分離されており、中空部９３ｃ１は上部開口９３ｃ１ａと下部開口９３ｃ１ｂとによって外部９９に連通していると共に、中空部９３ｃ２は上部開口９３ｃ２ａと下部開口９３ｃ２ｂとによって外部９９に連通している。
【００８１】
側面部９３ａ、９３ｂは、中心部９３ｃがなす該直方体の互いに平行な面（ｙｚ面に略平行な２面）に取り付けられており（一対の側面部９３ａ、９３ｂいずれも同形状及び同寸法である。）、ｚ軸に対して垂直な平面によるいずれの断面も同じ形状の二等辺三角形（二等辺三角形の３辺のうち二等辺以外の辺の部分が、中心部９３ｃがなす該直方体のｙｚ面に略平行な２面に取り付けられている。そして、等しい二角はここでは約４５度とされている。）をなす直三角柱（両底面はｚ軸に対して略垂直になっている）からｚ軸に平行な軸を有する直円柱（半径ｒ４。なお、ここではｒ４は、両主表面９１ｆの間の距離の半分に略されている。）を切り取った形状を有している。詳しくは、該直三角柱の３つの側面のうち、中心部９３ｃがなす該直方体のｙｚ面に略平行な面に取り付けられている面に、該直円柱の側面が略接している。このため側面部９３ａ、９３ｂは、該直円柱の側面に沿って凹溝９３ａｄ、９３ｂｄがｚ軸方向に沿って形成されている。
【００８２】
本体部９３の上面のうち、ｘ軸に沿った方向の両端近傍（中空部９３ｃ１、９３ｃ２の外側）には、ｙ軸に沿った一対の凸条部９９ａ、９９ｂが取り付けられている。一対の凸条部９９ａ、９９ｂは第３本ブロック３１の凸条部３９ａ、３９ｂと同様のものであるので、ここでは詳しい説明を省略する。
本体部９３のｘｙ面への正投影が重なる状態（ｘ方向及びｙ方向は同じ位置関係）でｚ軸方向に一対の第９本ブロック９１が重なった場合に、下側に存する第９本ブロック９１の凸条部９９ａ、９９ｂを嵌入（収容）する凹条部９８ａ、９８ｂが形成されている。凹条部９８ａ、９８ｂは第３本ブロック３１の凹条部３８ａ、３８ｂと同様のものであるので、ここでは詳しい説明を省略する。
【００８３】
第１の連結部９５は、第３本ブロック３１の第１の連結部３５と同様のものであるので、ここでは詳しい説明を省略する。第１の連結部９５は、ｚ軸に平行な軸を有する直円柱（半径ｒ５。但しｒ５は、凹溝９３ａｄ、９３ｂｄの半径ｒ４に略等しい。）から、ｚ軸方向に連続する中空部９５ｃ（後述）をくり抜いたような両端が開放された直円筒状をなしている。第１の連結部９５の高さ（ｚ軸に平行な寸法）は本体部９３のｚ軸方向の半分の寸法とされており、第１の連結部９５の下面と本体部９３の下面とは、ｘｙ面に平行な同じ平面に属するよう、第１の連結部９５の外周面が側面部９３ａの凹溝９３ａｄに取り付けられている（ここでは連結部９５と側面部９３ａとは一体に形成されている）。
第１の連結部９５は、ｚ軸方向に連続する中空部９５ｃを有しており、中空部９５ｃは上部開口９５ｃａと下部開口９５ｃｂとによって外部９９に連通している。中空部９５ｃは、ｚ軸に平行な同一直線（ここでは中心部９３ｃがなす直方体が有するｙ軸に平行な４の辺の中点４個を含む平面に存する）上の線分（第１の連結部９５の半径ｒ５の外周面を側面が形成する前記直円柱の軸と同じ直線上に存する）を軸とする第１及び第２の直円柱によって形成されており、具体的には、第１の連結部９５の上面側の第１の直円柱（半径ｒ１。但し、ｒ１＜ｒ５）と、第１の直円柱の下面に上面が連なる第２の直円柱（半径ｒ２＜ｒ１）と、によって形成されており、この第１の直円柱の半径ｒ１と第２の直円柱の半径ｒ２との差（ｒ１ーｒ２）によって環状溝部９５ｆが形成されている。環状溝部９５ｆは、後述する第２の連結部９７の環状突部９７ｆを嵌入し受け入れる。
【００８４】
第２の連結部９７は、ｚ軸に平行な軸を有する直円柱（半径ｒ５。但しｒ５は、凹溝９３ａｄ、９３ｂｄの半径ｒ４に略等しい。）から、ｚ軸方向に連続する中空部９７ｃ（後述）をくり抜いたような両端が開放された直円筒状をなしている。第２の連結部９７の高さ（ｚ軸に平行な寸法）は、後述する環状突部９７ｆを除き本体部９３のｚ軸方向の半分の寸法（第１の連結部９５の高さ（ｚ軸に平行な寸法）と同じ）とされており、第２の連結部９７の上面と本体部９３の上面とは、ｘｙ面に平行な同じ平面に属するよう（第１の連結部９５の上面と第２の連結部９７の下面とは、ｘｙ面に平行な同じ平面に属する。）、第２の連結部９７の外周面が側面部９３ｂの凹溝９３ｂｄに取り付けられている（ここでは連結部９７と側面部９３ｂとは一体に形成されている）。
第２の連結部９７は、ｚ軸方向に連続する中空部９７ｃを有しており、中空部９７ｃは上部開口９７ｃａと下部開口９７ｃｂとによって外部９９に連通している。中空部９７ｃは、ｚ軸に平行な直線（ここでは中心部９３ｃがなす直方体が有するｙ軸に平行な４の辺の中点４個を含む平面に存する）上の線分（第２の連結部９７の半径ｒ５の外周面を側面が形成する前記直円柱の軸と同じ直線上に存する）を軸とする直円柱（ここでは中空部９５ｃの第２の直円柱の半径ｒ２と同じ半径）によって形成されている。第２の連結部９７の下面には、下部開口９７ｃｂを取り囲み該下面から下方に突出するように環状突部９７ｆが形成されている。環状突部９７ｆの形状は、環状溝部９５ｆの形状よりもやや小さく形成されており、詳細には、中空部９７ｃがなす直円柱の軸が存する直線上の線分を軸とする直円柱（半径ｒ８（ｒ８はｒ１よりもやや小さい）、ｚ軸方向の高さは第１の連結部９５の第１の直円柱の高さよりもやや小さい）から該線分を軸とする半径ｒ２（無論、ｒ２＜ｒ８）の直円柱をくり抜いた形状である。
【００８５】
このため一対の第９本ブロック９１のうち一方の第９本ブロック９１の環状突部９７ｆを、一対の第９本ブロック９１のうち他方の第９本ブロック９１の環状溝部９５ｆに嵌入することができる（このとき一対の第９本ブロック９１のうち一方の第９本ブロック９１に対し、一対の第９本ブロック９１のうち他方の第９本ブロック９１はｘ軸方向に移動した状態となる。）と共に、一方の第９本ブロック９１の第２の連結部９７の環状突部９７ｆが形成された面（図９では下面）と、他方の第９本ブロック９１の第１の連結部９５の環状溝部９５ｆが形成された面（図９では上面）と、が互いに当接するので、一対の第９本ブロック９１を互いに確実に連結できる。加えて、一方の第９本ブロック９１の第２の連結部９７の中空部９７ｃと、他方の第９本ブロック９１の第１の連結部９５の中空部９５ｃと、がｚ軸方向に連続するので、これら連続した中空部９５ｃ、９７ｃに棒状部材（例えば、鉄筋）等を貫入すれば、一対の第９本ブロック９１を一層確実に連結できる。
また、ｚ軸方向に一対の第９本ブロック９１を重ねる場合、下側に存する第９本ブロック９１の凸条部９９ａ、９９ｂが、上側に存する第９本ブロック９１の凹条部９８ａ、９８ｂに嵌入されるので、ｚ軸方向（上下方向）に第９本ブロック９１を重ねて容易に積むことができる。
【００８６】
（第１０実施形態の第１０本ブロック）
図１０は、本発明の第１０実施形態に係る壁構築用のブロック（以下、「第１０本ブロック」という。）１０１の斜視図である。図１０を参照して、第１０本ブロック１０１について説明する。第１０本ブロック１０１は、ここではコンクリート（従来のコンクリートブロックを形成するために用いられてきたものと同様のものを用いることができる）によって全体が一体的に形成されている。
そして、第１０本ブロック１０１の説明を容易にするため、これまでの説明と同様、互いに直交するｘ軸、ｙ軸及びｚ軸（各図中に示す）を用い、ｘ軸とｙ軸とを含む平面をｘｙ面といい、ｙ軸とｚ軸とを含む平面をｙｚ面といい、そしてｘ軸とｚ軸とを含む平面をｚｘ面という。なお、ここではｚ軸を示す矢印方向が上方向であり、ｚ軸を示す矢印の反対方向が下方向である。
【００８７】
第１０本ブロック１０１は、大まかには、箱形状をなす本体部１０３と、本体部１０３のｘ軸方向の一方側に取り付けられた直円柱状の第１の連結部１０５と、本体部１０３のｘ軸方向の他方側に取り付けられた第２の連結部１０７と、本体部１０３の上面に取り付けられた一対の凸条部１０９ａ、１０９ｂと、を備えてなる。第１０本ブロック１０１は、第４本ブロック４１における第２の連結部４７の位置が異なるのみでその余りは第４本ブロック４１と同様の構造を有している。
【００８８】
本体部１０３は、互いに直交する３辺がｘ軸、ｙ軸及びｚ軸に略平行な直方体形状を略なす中心部１０３ｃと、中心部１０３ｃがなす該直方体のｙｚ面に略平行な面（ｘ軸方向の前記一方側の面）に取り付けられた側面部１０３ａと、を有してなる。
中心部１０３ｃは、中心部１０３ｃがなす該直方体の互いに平行な両主表面（ｚｘ面に略平行な２面）がブロックの両主表面１０１ｆをなしており（図１０においては、両主表面１０１ｆのうち一方のみが見えている）、両主表面１０１ｆに垂直な面（ｙｚ面に略平行かつｘ軸方向の前記一方側の面）に側面部１０３ａが形成されている。そして、中心部１０３ｃがなす該直方体の６面のうち、両主表面１０１ｆをなす２面と、側面部１０３ａが形成された１面と、側面部１０３ａが形成された１面と平行な１面と、の計４面を除いた２面（ｘｙ面に略平行な２面）に開口するように、ｚ軸方向に連続する一対の中空部１０３ｃ１、１０３ｃ２を有している。一対の中空部１０３ｃ１、１０３ｃ２は隔壁部１０３ｄによって分離されており、中空部１０３ｃ１は上部開口１０３ｃ１ａと下部開口１０３ｃ１ｂとによって外部９９に連通していると共に、中空部１０３ｃ２は上部開口１０３ｃ２ａと下部開口１０３ｃ２ｂとによって外部９９に連通している。
【００８９】
側面部１０３ａは、中心部１０３ｃがなす該直方体のｙｚ面に略平行な面（ｘ軸方向の前記一方側の面）に取り付けられており、第４本ブロック４１の側面部４３ａと同様であるので、ここでは説明を省略する。側面部１０３ａによって凹溝１０３ａｄがｚ軸方向に向かって形成されている。
【００９０】
そして、本体部１０３の上面のうち、ｘ軸に沿った方向の両端近傍（中空部１０３ｃ１、１０３ｃ２の外側）には、ｙ軸に沿った一対の凸条部１０９ａ、１０９ｂが取り付けられている。一対の凸条部１０９ａ、１０９ｂは第４本ブロック４１の一対の凸条部４９ａ、４９ｂと同様であるので、ここでは説明を省略する。
また、本体部１０３のｘｙ面への正投影が重なる状態（ｘ方向及びｙ方向は同じ位置関係）でｚ軸方向に一対の第１０本ブロック１０１が重なった場合に、下側に存する第１０本ブロック１０１の凸条部１０９ａ、１０９ｂを嵌入（収容）する凹条部１０８ａ、１０８ｂが形成されている。凹条部１０８ａ、１０８ｂは第４本ブロック４１の凹条部４８ａ、４８ｂと同様であるので、ここでは説明を省略する。
【００９１】
第１の連結部１０５は、第４本ブロック４１の第１の連結部４５と同様であるので、ここでは詳しい説明を省略する。第１の連結部１０５の高さ（ｚ軸に平行な寸法）は本体部１０３のｚ軸方向の半分の寸法とされており、第１の連結部１０５の下面と本体部１０３の下面とは、ｘｙ面に平行な同じ平面に属するよう、第１の連結部１０５の外周面が側面部１０３ａの凹溝１０３ａｄに取り付けられている（ここでは連結部１０５と側面部１０３ａとは一体に形成されている）。
第１の連結部１０５は、ｚ軸方向に連続する中空部１０５ｃを有しており、中空部１０５ｃは上部開口１０５ｃａと下部開口１０５ｃｂとによって外部９９に連通している。中空部１０５ｃは、第１の連結部１０５の上面側の第１の直円柱と、第１の直円柱の下面に上面が連なる第２の直円柱（第１の直円柱よりも半径が小さい）と、によって形成されており、この第１の直円柱の半径と第２の直円柱の半径との差によって環状溝部１０５ｆが形成されている。
【００９２】
第２の連結部１０７は、第８本ブロック８１の第２の連結部８７と同様であるので、ここでは詳しい説明を省略する。第２の連結部１０７は、互いに交わる３の辺がｘ軸、ｙ軸及びｚ軸に沿った直方体形状を略なしており、第２の連結部１０７がなす直方体形状のｙ軸方向の寸法は本体部１０３のｙ軸方向の寸法と同じにされ、ｚ軸方向の寸法は本体部１０３のｚ軸方向の半分の寸法とされている。そして、第２の連結部１０７の上面と本体部１０３の上面とは、ｘｙ面に平行な同じ平面に属するよう、第２の連結部１０７と本体部１０３とは連なっている。以上の通り、第１の連結部１０５の上面と第２の連結部１０７の下面とのいずれも、ｘｙ面に平行な同一の平面に略属する。
第２の連結部１０７は、ｚ軸方向に連続する中空部１０７ｃを有しており、中空部１０７ｃは上部開口１０７ｃａと下部開口１０７ｃｂとによって外部９９に連通している。中空部１０７ｃは、ｚ軸に平行な同一直線（ここでは中心部１０３ｃがなす直方体が有するｙ軸に平行な４の辺の中点４個を含む平面に存する）上の線分を軸とする第１及び第２の直円柱によって形成されており、具体的には、第２の連結部１０７の上面側の第２の直円柱と、第２の直円柱の下面に上面が連なる第１の直円柱（半径は第２の直円柱よりも大きい）と、によって形成されており、この両直円柱の半径差によって環状溝部１０７ｆが形成されている。
【００９３】
次に、これら第１本ブロック１１〜第１０本ブロック１０１の使用方法について説明する。
図１１は、複数の第１本ブロック１１を用いて壁構造物３０１を形成する方法を説明する図である。図１１を参照して、該方法について説明する。ここでは図１１（ａ）に示すように、（イ）〜（チ）の８個の第１本ブロック１１を用いているが、図１１（ａ）の左右及び上下に連続する第１本ブロック１１の個数はいくらであってもよい。なお、図１１は、第１本ブロック１１を（ロ）、（ニ）、（ヘ）及び（チ）としては図１のｙ軸方向から見た状態に配置すると共に、第１本ブロック１１を（イ）、（ハ）、（ホ）及び（ト）としては図１のｙ軸方向から見た状態を上下逆さまにして配置した状態を示しており、図１に示された状態を第１本ブロック１１ｎとし、図１に示された状態を上下逆さまにした状態を第１本ブロック１１ｒとして示した。図１１（ａ）のように、（イ）と（ホ）、（ロ）と（ヘ）、（ハ）と（ト）、そして（ニ）と（チ）、それぞれはｘｙ平面への正投影が重なるよう、上下方向に重ねられることで上下に重なった第１本ブロック１１同士間では凸条部１９ａ、１９ｂが凹条部１８ａ、１８ｂに嵌入されると共に、互いに左右方向に隣接する（イ）と（ロ）、（ロ）と（ハ）、（ハ）と（ニ）、（ホ）と（ヘ）、（ヘ）と（ト）、そして（ト）と（チ）それぞれの第１本ブロック１１同士間では環状突部１７ｆが環状溝部１５ｆに嵌入されるので、上下に隣接する第１本ブロック１１同士間と左右に隣接する第１本ブロック１１同士間のいずれも確実に連結でき、図１１（ｂ）に示すような強固な壁構造物３０１を形成することができる。
【００９４】
また、（イ）（ロ）（ホ）（ヘ）、（ハ）（ロ）（ト）（ヘ）、（ハ）（ニ）（ト）（チ）のように上下に連続した第１本ブロック１１の中空部１５ｃ、１７ｃは連続した空間を形成するので、該空間に棒状部材（例えば、鉄筋。図１１（ｂ）では点線Ｇにて示す。）等を貫入すれば、左右上下に第１本ブロック１１同士を一層確実に連結できる。
加えて、（イ）と（ロ）、（ロ）と（ハ）、（ハ）と（ニ）、（ホ）と（ヘ）、（ヘ）と（ト）、そして（ト）と（チ）のように左右に隣接する第１本ブロック１１同士間では、環状突部１７ｆが形成された面と、環状溝部１５ｆが形成された面と、が互いに当接するので、一対の第１本ブロック１１を互いに確実に連結できる。
なお、壁構造物３０１における左右上下に隣接する第１本ブロック１１同士間は、モルタルセメント等のような接着物により適宜接着される。
そして、図１９（ａ）のように、第１本ブロック１１ｎ（リ）の第１の連結部１５と、第１本ブロック１１ｒ（ヌ）の第１の連結部１５と、を互いに連結させるようにすることもでき、かかる場合も、第１本ブロック１１ｎ（リ）の中空部１５ｃと第１本ブロック１１ｒ（ヌ）の中空部１５ｃとがｚ軸方向に連続するので、これら連続した中空部１５ｃ、１５ｃに棒状部材（例えば、鉄筋）等を貫入すれば、一対の第１本ブロック１１を確実に連結できる。
【００９５】
図１２は、第２本ブロック２１と第１本ブロック１１とを用いた壁構造物３０２ａ、３０２ｂを説明する図であり、詳細には、図１２（ａ）はアルファベットの「Ｘ」字型の壁構造物３０２ａを示し、図１２（ｂ）はアルファベットの「Ｔ」字型の壁構造物３０２ｂを示している。図１２（ａ）及び（ｂ）においては、第２本ブロック２１が図２と同様の状態（凸条部２９ａ、２９ｂが第２本ブロック２１の上部に存する状態）のものを参照番号「２１ｎ」として、そして第２本ブロック２１が図２と反転した状態（凸条部２９ａ、２９ｂが第２本ブロック２１の下部に存する状態）のものを参照番号「２１ｒ」として、それぞれ示した（なお、図１２においては、図示を容易にするため凸条部２９ａ、２９ｂを省略することを含め、図示を簡略化している。）。同様に、図１２（ａ）及び（ｂ）においては、第１本ブロック１１が図１と同様の状態（凸条部１９ａ、１９ｂが第１本ブロック１１の上部に存する状態）のものを参照番号「１１ｎ」として、そして第１本ブロック１１が図１と反転した状態（凸条部１９ａ、１９ｂが第１本ブロック１１の下部に存する状態）のものを参照番号「１１ｒ」として、それぞれ示した（なお、図１２においては、図示を容易にするため凸条部１９ａ、１９ｂを省略することを含め、図示を簡略化している。）。
【００９６】
図１２（ａ）に示すように、一対の第２本ブロック２１ｎ、２１ｒの窪み空間２４に窪んだ部分２３ｅを嵌入することで、一対の第２本ブロック２１ｎ、２１ｒをアルファベットの「Ｘ」字型に組み付けることができ（図１２（ａ）では、このようにアルファベットの「Ｘ」字型に組み付けた一対の第２本ブロック２１ｎ、２１ｒが上下２段に重なっている。）、その「Ｘ」字型の交差部分を構成する一対の第２本ブロック２１ｎ、２１ｒの第１の連結部２５及び第２の連結部２７と、第１本ブロック１１ｎ、１１ｒの第２の連結部１７と、が係合し、その係合を始点として図１１にて説明した第１本ブロック１１ｎ、１１ｒを用いた壁構造物３０１と同様の壁構造物が延びている。
上下に重なった第２本ブロック２１同士間では凸条部２９ａ、２９ｂが凹条部２８ａ、２８ｂに嵌入されると共に、第２本ブロック２１の連結部２５、２７と第１本ブロック１１の第２の連結部１７との間は環状突部１７ｆが環状溝部２５ｆ、２７ｆに嵌入されるので、上下に隣接する第２本ブロック２１同士間と第２本ブロック２１と第１本ブロック１１との間のいずれも確実に連結でき、図１２（ａ）に示すような強固な壁構造物３０２（ａ）を形成することができる。
また、上下に重なった第２本ブロック２１同士間の中空部２３ｃ３は連続した空間を形成するので、該空間に棒状部材（例えば、鉄筋。図１２（ａ）では点線Ｇにて示す。）等を貫入すれば、左右上下に第２本ブロック２１同士を一層確実に連結できる。
加えて、「Ｘ」字型の交差部分を構成する一対の第２本ブロック２１ｎ、２１ｒ同士の窪んだ部分２３ｅが互いに当接するので、一対の第２本ブロック２１を互いに確実に連結できる。
なお、壁構造物３０２（ａ）における左右上下に隣接する第１本ブロック１１及び第２本ブロック２１の間は、モルタルセメント等のような接着物により適宜接着される。
【００９７】
図１２（ｂ）に示すように、第２本ブロック２１ｎの窪み空間２４に第１本ブロック１１ｒの第２の連結部１７を係合させることで（このとき第２の連結部１７の環状突部１７ｆが環状溝部２３ｆに嵌入される。）、第２本ブロック２１ｎと第１本ブロック１１ｒとをアルファベットの「Ｔ」字型に組み付けることができ（図１２（ｂ）では、このようにアルファベットの「Ｔ」字型に組み付けた第２本ブロック２１ｎと第１本ブロック１１ｒとが上下２段に重なっている。）、その「Ｔ」字型の交差部分を構成する第２本ブロック２１ｎの第１の連結部２５及び第２の連結部２７と、第１本ブロック１１ｒの第２の連結部１７と、が係合し、その係合を始点として図１１にて説明した第１本ブロック１１ｎ、１１ｒを用いた壁構造物３０１と同様の壁構造物が延びると共に、その「Ｔ」字型の交差部分を構成する第１本ブロック１１ｒの第１の連結部１５と、第１本ブロック１１ｎの第２の連結部１７と、が係合し、その係合を始点として図１１にて説明した第１本ブロック１１ｎ、１１ｒを用いた壁構造物３０１と同様の壁構造物が延びている。
上下に重なった第２本ブロック２１ｎ同士間では凸条部２９ａ、２９ｂが凹条部２８ａ、２８ｂに嵌入されると共に、第２本ブロック２１の連結部２５、２７と第１本ブロック１１ｒの第２の連結部１７との間は環状突部１７ｆが環状溝部２５ｆ、２７ｆに嵌入されるので確実に連結でき、第２本ブロック２１ｎの窪み空間２４と第１本ブロック１１ｒの第２の連結部１７との間は第２の連結部１７の環状突部１７ｆが環状溝部２３ｆに嵌入されるので確実に連結でき、図１２（ｂ）に示すような強固な壁構造物３０２（ｂ）を形成することができる。
【００９８】
また、上下に重なった第２本ブロック２１同士間の中空部２３ｃ３は連続した空間を形成するので、該空間に棒状部材（例えば、鉄筋。図１２（ｂ）では点線Ｇにて示す。）等を貫入すれば、左右上下に第２本ブロック２１同士を一層確実に連結できる。
加えて、「Ｔ」字型の交差部分を構成する第２本ブロック２１ｎと第１本ブロック１１ｒの第２の連結部１７とは互いに当接するので、「Ｔ」字型の交差部分を構成する第２本ブロック２１ｎと第１本ブロック１１ｒとを互いに確実に連結できる。
なお、壁構造物３０２（ｂ）における左右上下に隣接する第１本ブロック１１及び第２本ブロック２１の間は、モルタルセメント等のような接着物により適宜接着される。
そして、図２０のように、一対の第２本ブロック２１ｎ、２１ｒを連結部２５、２７によって連結させるようにすることもできる。図２０においては、連結部２５、２７の組み合わせを表すために、参照番号としてＭ１〜Ｍ４を用いているが、（Ｍ１、Ｍ２、Ｍ３、Ｍ４）＝（２５、２７、２５、２７）、（２７、２５、２５、２７）、（２５、２７、２７、２５）、（２７、２５、２７、２５）の４つの場合が存する。かかるいずれの場合も、一対の第２本ブロック２１ｎ、２１ｒの中空部２５ｃ、２７ｃがｚ軸方向に連続するので、これら連続した中空部２５ｃ、２７ｃに棒状部材（例えば、鉄筋）等を貫入すれば、一対の第２本ブロック２１ｎ、２１ｒを確実に連結できる。
【００９９】
図１３は、複数の第３本ブロック３１を用いて壁構造物３０３を形成する方法を説明する図である。図１３を参照して、該方法について説明する。ここでは図１３（ａ）に示すように、（イ）〜（チ）の８個の第３本ブロック３１を用いているが、図１３（ａ）の左右及び上下に連続する第３本ブロック３１の個数はいくらであってもよい。なお、図１３は、第３本ブロック３１を（ロ）、（ニ）、（ヘ）及び（チ）としては図３のｙ軸方向から見た状態に配置すると共に、第３本ブロック３１を（イ）、（ハ）、（ホ）及び（ト）としては図３のｙ軸方向から見た状態を上下逆さまにして配置した状態を示しており、図３に示された状態を第３本ブロック３１ｎとし、図３に示された状態を上下逆さまにした状態を第３本ブロック３１ｒとして示した。図１３（ａ）のように、（イ）と（ホ）、（ロ）と（ヘ）、（ハ）と（ト）、そして（ニ）と（チ）、それぞれはｘｙ平面への正投影が重なるよう、上下方向に重ねられることで上下に重なった第３本ブロック３１同士間では凸条部３９ａ、３９ｂが凹条部３８ａ、３８ｂに嵌入されると共に、互いに左右方向に隣接する（イ）と（ロ）、（ロ）と（ハ）、（ハ）と（ニ）、（ホ）と（ヘ）、（ヘ）と（ト）、そして（ト）と（チ）それぞれの第３本ブロック３１同士間では環状突部３７ｆが環状溝部３５ｆに嵌入されるので、上下に隣接する第３本ブロック３１同士間と左右に隣接する第３本ブロック３１同士間のいずれも確実に連結でき、図１３（ｂ）に示すような強固な壁構造物３０３を形成することができる。
【０１００】
また、（イ）（ロ）（ホ）（ヘ）、（ハ）（ロ）（ト）（ヘ）、（ハ）（ニ）（ト）（チ）のように上下に連続した第３本ブロック３１の中空部３５ｃ、３７ｃは連続した空間を形成するので、該空間に棒状部材（例えば、鉄筋。図１３（ｂ）では点線Ｇにて示す。）等を貫入すれば、左右上下に第３本ブロック３１同士を一層確実に連結できる。
加えて、（イ）と（ロ）、（ロ）と（ハ）、（ハ）と（ニ）、（ホ）と（ヘ）、（ヘ）と（ト）、そして（ト）と（チ）のように左右に隣接する第３本ブロック３１同士間では、環状突部３７ｆが形成された面と、環状溝部３５ｆが形成された面と、が互いに当接するので、一対の第３本ブロック３１を互いに確実に連結できる。
さらに、（イ）と（ロ）、（ロ）と（ハ）、（ハ）と（ニ）、（ホ）と（ヘ）、（ヘ）と（ト）、そして（ト）と（チ）のように左右に隣接する第３本ブロック３１同士間では、図１３（ｃ）（図１３（ｂ）の矢印Ｊ方向から見た一部拡大平面図）に示すように、互いがなす角度Ｋを変化させることができるので、平面視において折れ曲がりを有する壁面を形成することもできる。
なお、壁構造物３０３における左右上下に隣接する第３本ブロック３１同士間は、モルタルセメント等のような接着物により適宜接着される。
そして、図２１（ａ）のように、第３本ブロック３１ｎ（リ）の第１の連結部３５と、第３本ブロック３１ｒ（ヌ）の第１の連結部３５と、を図２１（ｂ）のように互いに当接させるようにすることもでき、かかる場合も、第３本ブロック３１ｎ（リ）の中空部３５ｃと第３本ブロック３１ｒ（ヌ）の中空部３５ｃとがｚ軸方向に連続するので、これら連続した中空部３５ｃ、３５ｃに棒状部材（例えば、鉄筋）等を貫入すれば、一対の第３本ブロック３１を確実に連結できる。
【０１０１】
図１４は、第４本ブロック４１、第５本ブロック５１、第６本ブロック６１、第１本ブロック１１そして第９本ブロック９１を用いて壁構造物３０４を形成する方法を説明する図である。図１４を参照して、該方法について説明する。ここでは図１４（ａ）に示すように、第４本ブロック４１、第５本ブロック５１、第６本ブロック６１、第１本ブロック１１及び第９本ブロック９１いずれも２個ずつ用いているが、これに限定されるものではない。また、図１４において、各ブロックの組み付け状態が容易に理解できるよう、第４本ブロック４１が図４と同様の状態（凸条部４９ａ、４９ｂが第４本ブロック４１の上部に存する状態）のものを参照番号「４１ｎ」として、第５本ブロック５１が図５と同様の状態（凸条部５９ａ、５９ｂが第５本ブロック５１の上部に存する状態）のものを参照番号「５１ｎ」として、第６本ブロック６１が図６と反転した状態（凸条部６９ａ、６９ｂが第６本ブロック６１の下部に存する状態）のものを参照番号「６１ｒ」として、第１本ブロック１１が図１と反転した状態（凸条部１９ａ、１９ｂが第１本ブロック１１の下部に存する状態）のものを参照番号「１１ｒ」として、そして第９本ブロック９１が図９と同様の状態（凸条部９９ａ、９９ｂが第９本ブロック９１の上部に存する状態）のものを参照番号「９１ｎ」として示した。
【０１０２】
一対の第４本ブロック４１、一対の第５本ブロック５１、一対の第６本ブロック６１、一対の第１本ブロック１１そして一対の第９本ブロック９１各々は、ｘｙ平面への正投影が重なるよう上下方向に重ねられることで、第４本ブロック４１同士間では凸条部４９ａ、４９ｂが凹条部４８ａ、４８ｂに嵌入され、第５本ブロック５１同士間では凸条部５９ａ、５９ｂが凹条部５８ａ、５８ｂに嵌入され、第６本ブロック６１同士間では凸条部６９ａ、６９ｂが凹条部６８ａ、６８ｂに嵌入され、第１本ブロック１１同士間では凸条部１９ａ、１９ｂが凹条部１８ａ、１８ｂに嵌入され、そして第９本ブロック９１同士間では凸条部９９ａ、９９ｂが凹条部９８ａ、９８ｂに嵌入されるので、上下に隣接するブロック同士間を確実に連結できる。
また、第９本ブロック９１の環状突部９７ｆが第４本ブロック４１の環状溝部４５ｆに嵌入され、第１本ブロック１１の環状突部１７ｆが第５本ブロック５１の環状溝部５５ｆに嵌入されるので、第９本ブロック９１と第４本ブロック４１との間と、第１本ブロック１１と第５本ブロック５１との間と、がいずれも確実に連結でき、図１４（ｂ）に示すような強固な壁構造物３０４を形成することができる。
【０１０３】
また、上下に連続した中空部は連続した空間を形成するので、該空間に棒状部材（例えば、鉄筋。図１４（ｂ）では点線Ｇにて示す。）等を貫入すれば、左右上下にブロック同士を一層確実に連結できる。
加えて、左右に隣接するブロック同士間では、互いの連結部の面Ｓが当接するので、左右に隣接するブロック同士を互いに確実に連結できる。
さらに、第６本ブロック６１と第９本ブロック９１との間と、第９本ブロック９１と第４本ブロック４１との間と、は、図１３（ｃ）と同様、ｚ軸周りの角度を変化させることができ、平面視において折れ曲がりを有する壁面を形成することもできる。
なお、壁構造物３０４における左右上下に隣接するブロック同士間は、モルタルセメント等のような接着物により適宜接着される。
ここで示したように、第５本ブロック５１及び第６本ブロック６１は、連続して壁を形成していく際の終端部分を構成するために好適に使用できる。
【０１０４】
図１４では、第４本ブロック４１、第５本ブロック５１、第６本ブロック６１、第１本ブロック１１そして第９本ブロック９１を用いた壁構造物３０４を示したが、第４本ブロック４１及び第１本ブロック１１に替え、図２６に示す通り、第１０本ブロック１０１及び第７本ブロック７１を用いて同様の壁構造物３０６を形成することもできる。図２６においては、図１４と同様、各ブロックの組み付け状態が容易に理解できるよう、第１０本ブロック１０１が図１０と同様の状態（凸条部１０９ａ、１０９ｂが第１０本ブロック１０１の上部に存する状態）のものを参照番号「１０１ｎ」として、第５本ブロック５１が図５と同様の状態（凸条部５９ａ、５９ｂが第５本ブロック５１の上部に存する状態）のものを参照番号「５１ｎ」として、第６本ブロック６１が図６と反転した状態（凸条部６９ａ、６９ｂが第６本ブロック６１の下部に存する状態）のものを参照番号「６１ｒ」として、第７本ブロック７１が図７と同様の状態（凸条部７９ａ、７９ｂが第７本ブロック７１の上部に存する状態）のものを参照番号「７１ｎ」として、そして第９本ブロック９１が図９と同様の状態（凸条部９９ａ、９９ｂが第９本ブロック９１の上部に存する状態）のものを参照番号「９１ｎ」として示した。
【０１０５】
一対の第１０本ブロック１０１、一対の第７本ブロック７１、一対の第６本ブロック６１、一対の第７本ブロック７１そして一対の第９本ブロック９１各々は、ｘｙ平面への正投影が重なるよう上下方向に重ねられることで、第１０本ブロック１０１同士間では凸条部１０９ａ、１０９ｂが凹条部１０８ａ、１０８ｂに嵌入され、第５本ブロック５１同士間では凸条部５９ａ、５９ｂが凹条部５８ａ、５８ｂに嵌入され、第６本ブロック６１同士間では凸条部６９ａ、６９ｂが凹条部６８ａ、６８ｂに嵌入され、第７本ブロック７１同士間では凸条部７９ａ、７９ｂが凹条部７８ａ、７８ｂに嵌入され、そして第９本ブロック９１同士間では凸条部９９ａ、９９ｂが凹条部９８ａ、９８ｂに嵌入されるので、上下に隣接するブロック同士間を確実に連結できる。
また、第９本ブロック９１の環状突部９７ｆが第１０本ブロック１０１の環状溝部１０５ｆに嵌入され、第７本ブロック７１の環状突部７７ｆが第５本ブロック５１の環状溝部５５ｆに嵌入されるので、第９本ブロック９１と第１０本ブロック１０１との間と、第７本ブロック７１と第５本ブロック５１との間と、がいずれも確実に連結でき、図２６（ｂ）に示すような強固な壁構造物３０６を形成することができる。
【０１０６】
また、上下に連続した中空部は連続した空間を形成するので、該空間に棒状部材（例えば、鉄筋。図２６（ｂ）では点線Ｇにて示す。）等を貫入すれば、左右上下にブロック同士を一層確実に連結できる。
加えて、左右に隣接するブロック同士間では、互いの連結部の面Ｓが当接するので、左右に隣接するブロック同士を互いに確実に連結できる。
さらに、第６本ブロック６１と第９本ブロック９１との間と、第９本ブロック９１と第１０本ブロック１０１との間と、は、図１３（ｃ）と同様、ｚ軸周りの角度を変化させることができ、平面視において折れ曲がりを有する壁面を形成することもできる。
なお、壁構造物３０６における左右上下に隣接するブロック同士間は、モルタルセメント等のような接着物により適宜接着される。
【０１０７】
そして、図２２（ａ）のように、第４本ブロック４１ｎの第２の連結部４７と、図４と反転（凸条部４９ａ、４９ｂが第４本ブロック４１の下部に存する状態）した第４本ブロック４１ｒの第２の連結部４７と、を互いに連結させるようにすることもでき、かかる場合も、第４本ブロック４１ｎの中空部４７ｃと第４本ブロック４１ｒの中空部４７ｃとがｚ軸方向に連続するので、これら連続した中空部４７ｃ、４７ｃに棒状部材（例えば、鉄筋）等を貫入すれば、一対の第４本ブロック４１を確実に連結できる。さらに、図２２（ｂ）のように、第４本ブロック４１ｎの第１の連結部４５と、第４本ブロック４１ｒの第１の連結部４５と、を互いに連結させるようにすることもでき、かかる場合も、第４本ブロック４１ｎの中空部４５ｃと第４本ブロック４１ｒの中空部４５ｃとがｚ軸方向に連続するので、これら連続した中空部４５ｃ、４５ｃに棒状部材（例えば、鉄筋）等を貫入すれば、一対の第４本ブロック４１を確実に連結できる。
【０１０８】
そして、第５本ブロック５１については、図２３（ａ）に示すように、第５本ブロック５１ｎの第１の連結部５５と、図５と反転（凸条部５９ａ、５９ｂが第５本ブロック５１の下部に存する状態）した第５本ブロック５１ｒの第１の連結部５５と、を互いに連結させるようにすることもでき、かかる場合も、第５本ブロック５１ｎの中空部５５ｃと第５本ブロック５１ｒの中空部５５ｃとがｚ軸方向に連続するので、これら連続した中空部５５ｃ、５５ｃに棒状部材（例えば、鉄筋）等を貫入すれば、一対の第５本ブロック５１（５１ｎ、５１ｒ）を確実に連結できる。
また、第６本ブロック６１については、図２３（ｂ）に示すように、第６本ブロック６１ｎの第１の連結部６５と、図６と反転（凸条部６９ａ、６９ｂが第６本ブロック６１の下部に存する状態）した第６本ブロック６１ｒの第１の連結部６５と、を互いに連結させるようにすることもでき、かかる場合も、第６本ブロック６１ｎの中空部６５ｃと第６本ブロック６１ｒの中空部６５ｃとがｚ軸方向に連続するので、これら連続した中空部６５ｃ、６５ｃに棒状部材（例えば、鉄筋）等を貫入すれば、一対の第６本ブロック６１（６１ｎ、６１ｒ）を確実に連結できる。
【０１０９】
図１５は、複数の第７本ブロック７１を用いて壁構造物３０７を形成する方法を説明する図である。図１５を参照して、該方法について説明する。ここでは図１５（ａ）に示すように、（イ）〜（チ）の８個の第７本ブロック７１を用いているが、図１５（ａ）の左右及び上下に連続する第７本ブロック７１の個数はいくらであってもよい。なお、図１５は、第７本ブロック７１の８個全部が図７のｙ軸方向から見た状態に配置した状態を示している。図１５（ａ）のように、（イ）と（ホ）、（ロ）と（ヘ）、（ハ）と（ト）、そして（ニ）と（チ）、それぞれはｘｙ平面への正投影が重なるよう上下方向に重ねられることで上下に重なった第７本ブロック７１同士間では凸条部７９ａ、７９ｂが凹条部７８ａ、７８ｂに嵌入されると共に、互いに左右方向に隣接する（イ）と（ロ）、（ロ）と（ハ）、（ハ）と（ニ）、（ホ）と（ヘ）、（ヘ）と（ト）、そして（ト）と（チ）それぞれの第７本ブロック７１同士間では環状突部７７ｆが環状溝部７５ｆに嵌入されるので、上下に隣接する第７本ブロック７１同士間と左右に隣接する第７本ブロック７１同士間のいずれも確実に連結でき、図１５（ｂ）に示すような強固な壁構造物３０７を形成することができる。
【０１１０】
また、（イ）（ロ）（ホ）（ヘ）、（ロ）（ハ）（ヘ）（ト）、（ハ）（ニ）（ト）（チ）のように上下に連続した第７本ブロック７１の中空部７５ｃ、７７ｃは連続した空間を形成するので、該空間に棒状部材（例えば、鉄筋。図１５（ｂ）では点線Ｇにて示す。）等を貫入すれば、左右上下に第７本ブロック７１同士を一層確実に連結できる。
加えて、（イ）と（ロ）、（ロ）と（ハ）、（ハ）と（ニ）、（ホ）と（ヘ）、（ヘ）と（ト）、そして（ト）と（チ）のように左右に隣接する第７本ブロック７１同士間では、環状突部７７ｆが形成された面と、環状溝部７５ｆが形成された面と、が互いに当接するので、第７本ブロック７１同士を互いに確実に連結できる。
なお、壁構造物３０７における左右上下に隣接する第７本ブロック７１同士間は、モルタルセメント等のような接着物により適宜接着される。
そして、第７本ブロック７１については、図２４（ａ）に示すように、図７と同様の状態（凸条部７９ａ、７９ｂが第７本ブロック７１の上部に存する状態）である第７本ブロック７１ｎの第１の連結部７５と、図７と反転（凸条部７９ａ、７９ｂが第７本ブロック７１の下部に存する状態）した第７本ブロック７１ｒの第１の連結部７５と、を互いに当接させるようにすることもでき、かかる場合も、第７本ブロック７１ｎの中空部７５ｃと第７本ブロック７１ｒの中空部７５ｃとがｚ軸方向に連続するので、これら連続した中空部７５ｃ、７５ｃに棒状部材（例えば、鉄筋）等を貫入すれば、一対の第５本ブロック７１（７１ｎ、７１ｒ）を確実に連結できる。
【０１１１】
図１６は、第８本ブロック８１と第７本ブロック７１とを用いた壁構造物３０５ａ、３０５ｂを説明する図であり、詳細には、図１６（ａ）はアルファベットの「Ｘ」字型の壁構造物３０５ａを示し、図１６（ｂ）はアルファベットの「Ｔ」字型の壁構造物３０５ｂを示している。図１６（ａ）及び（ｂ）においては、第８本ブロック８１が図８と同様の状態（凸条部８９ａ、８９ｂが第８本ブロック８１の上部に存する状態）のものを参照番号「８１ｎ」として、そして第８本ブロック８１が図８と反転した状態（凸条部８９ａ、８９ｂが第８本ブロック８１の下部に存する状態）のものを参照番号「８１ｒ」として、それぞれ示した（なお、図１６においては、図示を容易にするため凸条部８９ａ、８９ｂを省略することを含め、図示を簡略化している。）。同様に、図１６（ａ）及び（ｂ）においては、第７本ブロック７１が図７と同様の状態（凸条部７９ａ、７９ｂが第７本ブロック７１の上部に存する状態）のものを参照番号「７１ｎ」として示した（なお、図１６においては、図示を容易にするため凸条部７９ａ、７９ｂを省略することを含め、図示を簡略化している。）。
【０１１２】
図１６（ａ）に示すように、一対の第８本ブロック８１ｎ、８１ｒの窪み空間８４に窪んだ部分８３ｅを嵌入することで、一対の第８本ブロック８１ｎ、８１ｒをアルファベットの「Ｘ」字型に組み付けることができ（図１６（ａ）では、このようにアルファベットの「Ｘ」字型に組み付けた一対の第８本ブロック８１ｎ、８１ｒが上下２段に重なっている。）、その「Ｘ」字型の交差部分を構成する一対の第８本ブロック８１ｎ、８１ｒの第１の連結部８５及び第２の連結部８７と、第７本ブロック７１ｎの第１の連結部７５及び第２の連結部７７と、が係合し、その係合を始点として図１５にて説明した第７本ブロック７１を用いた壁構造物３０７と同様の壁構造物が延びている。
上下に重なった第８本ブロック８１同士間では凸条部８９ａ、８９ｂが凹条部８８ａ、８８ｂに嵌入されると共に、第８本ブロック８１の連結部８５、８７と第７本ブロック７１の第２の連結部７７との間は環状突部７７ｆが環状溝部８５ｆ、８７ｆに嵌入されるので、上下に隣接する第８本ブロック８１同士間と第８本ブロック８１と第７本ブロック７１との間のいずれも確実に連結でき、図１６（ａ）に示すような強固な壁構造物３０５（ａ）を形成することができる。
【０１１３】
また、上下に重なった第８本ブロック８１同士間の中空部８３ｃ３は連続した空間を形成するので、該空間に棒状部材（例えば、鉄筋。図１６（ａ）では点線Ｇにて示す。）等を貫入すれば、左右上下に第８本ブロック８１同士を一層確実に連結できる。
加えて、「Ｘ」字型の交差部分を構成する一対の第８本ブロック８１ｎ、８１ｒ同士の窪んだ部分８３ｅが互いに当接するので、一対の第８本ブロック８１を互いに確実に連結できる。
なお、壁構造物３０５（ａ）における左右上下に隣接する第８本ブロック８１及び第７本ブロック７１の間は、モルタルセメント等のような接着物により適宜接着される。
【０１１４】
図１６（ｂ）に示すように、第８本ブロック８１ｎの窪み空間８４に第７本ブロック７１ｎの第２の連結部７７を係合させることで（このとき第２の連結部７７の環状突部７７ｆが環状溝部８３ｆに嵌入される。）、第８本ブロック８１ｎと第７本ブロック７１ｎとをアルファベットの「Ｔ」字型に組み付けることができ（図１６（ｂ）では、このようにアルファベットの「Ｔ」字型に組み付けた第８本ブロック８１ｎと第７本ブロック７１ｎとが上下２段に重なっている。）、その「Ｔ」字型の交差部分を構成する第８本ブロック８１ｎの第１の連結部８５及び第２の連結部８７と、第７本ブロック７１ｎの第１の連結部７５及び第２の連結部７７と、が係合し、その係合を始点として図１５にて説明した第７本ブロック７１を用いた壁構造物３０７と同様の壁構造物が延びると共に、その「Ｔ」字型の交差部分を構成する第７本ブロック７１ｎの第１の連結部７５と、第７本ブロック７１ｎの第２の連結部７７と、が係合し、その係合を始点として図１５にて説明した第７本ブロック７１を用いた壁構造物３０７と同様の壁構造物が延びている。
上下に重なった第８本ブロック８１ｎ同士間では凸条部８９ａ、８９ｂが凹条部８８ａ、８８ｂに嵌入されると共に、第８本ブロック８１の連結部８５、８７と第７本ブロック７１ｎの第２の連結部７７との間は環状突部７７ｆが環状溝部８５ｆ、８７ｆに嵌入されるので確実に連結でき、第８本ブロック８１ｎの窪み空間８４と第７本ブロック７１ｎの第２の連結部７７との間は第２の連結部７７の環状突部７７ｆが環状溝部８３ｆに嵌入されるので確実に連結でき、図１６（ｂ）に示すような強固な壁構造物３０５（ｂ）を形成することができる。
【０１１５】
また、上下に重なった第８本ブロック８１同士間の中空部８３ｃ３は連続した空間を形成するので、該空間に棒状部材（例えば、鉄筋。図１６（ｂ）では点線Ｇにて示す。）等を貫入すれば、左右上下に第８本ブロック８１同士を一層確実に連結できる。
加えて、「Ｔ」字型の交差部分を構成する第８本ブロック８１ｎの窪んだ部分８３ｅと第７本ブロック７１ｎの第２の連結部７７とは互いに当接するので、「Ｔ」字型の交差部分を構成する第８本ブロック８１ｎと第７本ブロック７１ｎとを互いに確実に連結できる。
なお、壁構造物３０５（ｂ）における左右上下に隣接する第７本ブロック７１及び第８本ブロック８１の間は、モルタルセメント等のような接着物により適宜接着される。
そして、第８本ブロック８１については、図２４（ｂ）に示すように、図８と同様の状態（凸条部８９ａ、８９ｂが第８本ブロック８１の上部に存する状態）である第８本ブロック８１ｎの第１の連結部８５と、図８と反転（凸条部８９ａ、８９ｂが第８本ブロック８１の下部に存する状態）した第８本ブロック８１ｒの第１の連結部８５と、を互いに当接させるようにすることもでき、かかる場合も、第８本ブロック８１ｎの中空部８５ｃと第８本ブロック８１ｒの中空部８５ｃとがｚ軸方向に連続するので、これら連続した中空部８５ｃ、８５ｃに棒状部材（例えば、鉄筋）等を貫入すれば、一対の第８本ブロック８１（８１ｎ、８１ｒ）を確実に連結できる。
【０１１６】
図１７は、複数の第９本ブロック９１を用いて壁構造物３０９を形成する方法を説明する図である。図１７を参照して、該方法について説明する。ここでは図１７（ａ）に示すように、（イ）〜（チ）の８個の第９本ブロック９１を用いているが、図１７（ａ）の左右及び上下に連続する第９本ブロック９１の個数はいくらであってもよい。なお、図１７は、第９本ブロック９１の８個全部が図９のｙ軸方向から見た状態に配置した状態を示している。図１７（ａ）のように、（イ）と（ホ）、（ロ）と（ヘ）、（ハ）と（ト）、そして（ニ）と（チ）、それぞれはｘｙ平面への正投影が重なるよう上下方向に重ねられることで上下に重なった第９本ブロック９１同士間では凸条部９９ａ、９９ｂが凹条部９８ａ、９８ｂに嵌入されると共に、互いに左右方向に隣接する（イ）と（ロ）、（ロ）と（ハ）、（ハ）と（ニ）、（ホ）と（ヘ）、（ヘ）と（ト）、そして（ト）と（チ）それぞれの第９本ブロック９１同士間では環状突部９７ｆが環状溝部９５ｆに嵌入されるので、上下に隣接する第９本ブロック９１同士間と左右に隣接する第９本ブロック９１同士間のいずれも確実に連結でき、図１７（ｂ）に示すような強固な壁構造物３０９を形成することができる。
【０１１７】
また、（イ）（ロ）（ホ）（ヘ）、（ロ）（ハ）（ヘ）（ト）、（ハ）（ニ）（ト）（チ）のように上下に連続した第９本ブロック９１の中空部９５ｃ、９７ｃは連続した空間を形成するので、該空間に棒状部材（例えば、鉄筋。図１７（ｂ）では点線Ｇにて示す。）等を貫入すれば、左右上下に第９本ブロック９１同士を一層確実に連結できる。
加えて、（イ）と（ロ）、（ロ）と（ハ）、（ハ）と（ニ）、（ホ）と（ヘ）、（ヘ）と（ト）、そして（ト）と（チ）のように左右に隣接する第９本ブロック９１同士間では、環状突部９７ｆが形成された面と、環状溝部９５ｆが形成された面と、が互いに当接するので、一対の第９本ブロック９１を互いに確実に連結できる。
さらに、（イ）と（ロ）、（ロ）と（ハ）、（ハ）と（ニ）、（ホ）と（ヘ）、（ヘ）と（ト）、そして（ト）と（チ）のように左右に隣接する第９本ブロック９１同士間では、図１３（ｃ）と同様に、ｚ軸周りの互いがなす角度を変化させることができるので、平面視において折れ曲がりを有する壁面を形成することもできる。
なお、壁構造物３０９における左右上下に隣接する第９本ブロック９１同士間は、モルタルセメント等のような接着物により適宜接着される。
そして、第９本ブロック９１については、図２５（ａ）に示すように、図９と同様の状態（凸条部９９ａ、９９ｂが第９本ブロック９１の上部に存する状態）である第９本ブロック９１ｎの第１の連結部９５と、図９と反転（凸条部９９ａ、９９ｂが第９本ブロック９１の下部に存する状態）した第９本ブロック９１ｒの第１の連結部９５と、を互いに連結させるようにすることもでき、かかる場合も、第９本ブロック９１ｎの中空部９５ｃと第９本ブロック９１ｒの中空部９５ｃとがｚ軸方向に連続するので、これら連続した中空部９５ｃ、９５ｃに棒状部材（例えば、鉄筋）等を貫入すれば、一対の第９本ブロック９１（９１ｎ、９１ｒ）を確実に連結できる。
【０１１８】
図１８は、第１０本ブロック１０１、第５本ブロック５１、第６本ブロック６１、第１本ブロック１１そして第９本ブロック９１を用いて壁構造物３１０を形成する方法を説明する図である。図１８を参照して、該方法について説明する。ここでは図１８（ａ）に示すように、第１０本ブロック１０１、第５本ブロック５１、第６本ブロック６１、第１本ブロック１１及び第９本ブロック９１いずれも２個ずつ用いているが、これに限定されるものではない。また、図１８において、各ブロックの組み付け状態が容易に理解できるよう、第１０本ブロック１０１が図１０と同様の状態（凸条部１０９ａ、１０９ｂが第１０本ブロック１０１の上部に存する状態）のものを参照番号「１０１ｎ」として示し、第５本ブロック５１が図５と反転した状態（凸条部５９ａ、５９ｂが第５本ブロック５１の下部に存する状態）のものを参照番号「５１ｒ」として示し、第６本ブロック６１が図６と反転した状態（凸条部６９ａ、６９ｂが第６本ブロック６１の下部に存する状態）のものを参照番号「６１ｒ」として、第１本ブロック１１が図１と同様の状態（凸条部１９ａ、１９ｂが第１本ブロック１１の上部に存する状態）のものを参照番号「１１ｎ」として、そして第９本ブロック９１が図９と同様の状態（凸条部９９ａ、９９ｂが第９本ブロック９１の上部に存する状態）のものを参照番号「９１ｎ」として示した。
【０１１９】
一対の第１０本ブロック１０１、一対の第５本ブロック５１、一対の第６本ブロック６１、一対の第１本ブロック１１そして一対の第９本ブロック９１各々は、ｘｙ平面への正投影が重なるよう上下方向に重ねられることで、第１０本ブロック１０１同士間では凸条部１０９ａ、１０９ｂが凹条部１０８ａ、１０８ｂに嵌入され、第５本ブロック５１同士間では凸条部５９ａ、５９ｂが凹条部５８ａ、５８ｂに嵌入され、第６本ブロック６１同士間では凸条部６９ａ、６９ｂが凹条部６８ａ、６８ｂに嵌入され、第１本ブロック１１同士間では凸条部１９ａ、１９ｂが凹条部１８ａ、１８ｂに嵌入され、そして第９本ブロック９１同士間では凸条部９９ａ、９９ｂが凹条部９８ａ、９８ｂに嵌入されるので、上下に隣接するブロック同士間を確実に連結できる。
また、第９本ブロック９１の環状突部９７ｆが第１０本ブロック１０１の環状溝部１０５ｆに嵌入され、第１本ブロック１１の環状突部１７ｆが第５本ブロック５１の環状溝部５５ｆに嵌入されるので、第９本ブロック９１と第１０本ブロック１０１との間と、第１本ブロック１１と第５本ブロック５１との間と、がいずれも確実に連結でき、図１８（ｂ）に示すような強固な壁構造物３１０を形成することができる。
【０１２０】
また、上下に連続した中空部は連続した空間を形成するので、該空間に棒状部材（例えば、鉄筋。図１８（ｂ）では点線Ｇにて示す。）等を貫入すれば、左右上下にブロック同士を一層確実に連結できる。
加えて、左右に隣接するブロック同士間では、互いの連結部の面Ｓが当接するので、左右に隣接するブロック同士を互いに確実に連結できる。
さらに、第６本ブロック６１と第９本ブロック９１との間と、第９本ブロック９１と第１０本ブロック１０１との間と、は、図１３（ｃ）と同様、ｚ軸周りの角度を変化させることができ、平面視において折れ曲がりを有する壁面を形成することもできる。
なお、壁構造物３１０における左右上下に隣接するブロック同士間は、モルタルセメント等のような接着物により適宜接着される。
ここで示したように、第５本ブロック５１及び第６本ブロック６１は、連続して壁を形成していく際の終端部分を構成するために好適に使用できる。
そして、第１０本ブロック１０１については、図２５（ｂ）に示すように、第１０本ブロック１０１ｎの第１の連結部１０５と、図１０と反転した状態（凸条部１０９ａ、１０９ｂが第１０本ブロック１０１の下部に存する状態）の第１０本ブロック１０１ｒの第１の連結部１０５と、を互いに連結させるようにすることもでき、かかる場合も、第１０本ブロック１０１ｎの中空部１０５ｃと第１０本ブロック１０１ｒの中空部１０５ｃとがｚ軸方向に連続するので、これら連続した中空部１０５ｃ、１０５ｃに棒状部材（例えば、鉄筋）等を貫入すれば、一対の第１０本ブロック１０１（１０１ｎ、１０１ｒ）を確実に連結できる。
【０１２１】
以上説明した通り、第１本ブロック１１は、複数のブロックを隣接して配置し、壁面を構成するための壁形成用のブロックであって、互いに平行な一対の平面（ここでは互いに交わる３の辺がｘ軸、ｙ軸及びｚ軸に沿った本体部１３が形成する直方体に接するｘｙ面に平行な一対の平面）に接する本体部１３と、該一対の平面（本体部１３が形成する直方体に接するｘｙ面に平行な一対の平面）に垂直（ｚ軸に平行方向）かつ該一対の平面の間に存する第１線分Ｑａ（ここでは本体部１３が形成する直方体に接するｘｙ面に平行な一対の平面の間に存するｚ軸に平行な線分）の一部である第１線分部分Ｑａａ（第１線分Ｑａ及び第１線分部分Ｑａａのいずれも図１参照。以下、図中、第１線分部分Ｑａａを実線にて、そして第１線分部分Ｑａａ以外の第１線分Ｑａを破線にて示す。）が貫通する貫通穴（中空部１５ｃ）を規定する、本体部１３の外面に取り付けられた第１の連結部１５と、を備えてなる、ブロックである。
第１本ブロック１１は、前記一対の平面（互いに交わる３の辺がｘ軸、ｙ軸及びｚ軸に沿った本体部１３が形成する直方体に接するｘｙ面に平行な一対の平面）に対して平行方向に配置される一対の前記ブロック（第１本ブロック１１）のうち一方のブロック１１に対し他方のブロック１１を、前記一対の平面（本体部１３が形成する直方体に接するｘｙ面に平行な一対の平面）に平行で前記一対の平面から等しい距離に存する平面（ここでは第２の連結部１７の環状突部１７ｆが形成された面（図１では上面）と、第１の連結部１５の環状溝部１５ｆが形成された面（図１では上面）と、が略属する平面）である中間平面に存する直線の周りに１８０度回転させて反転させ、一方のブロック１１（１１ｎ）の第１線分Ｑａと他方のブロック１１（１１ｒ）の第１線分Ｑａとが一致する状態である反転連結可能状態（図１９（ｂ））に該一対のブロック１１（１１ｎ、１１ｒ）を互いに配置できるものである。
【０１２２】
第１本ブロック１１においては、中間平面により分割される２の空間のうちいずれか一方（図１中では、中間平面の下側）の空間のみに第１の連結部１５が存するものである。
第１本ブロック１１においては、反転連結可能状態（図１９（ｂ））において、前記一対のブロック１１のうちの一方のブロック１１ｎの第１の連結部１５と、他方のブロック１１ｒの第１の連結部１５と、が略接するものである。
第１本ブロック１１においては、前記一対の平面（互いに交わる３の辺がｘ軸、ｙ軸及びｚ軸に沿った本体部１３が形成する直方体に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図１参照。以下、図中、第２線分部分Ｑｂａを実線にて、そして第２線分部分Ｑｂａ以外の第２線分Ｑｂを破線にて示す。）が貫通する貫通穴（中空部１７ｃ）を規定する、本体部１３の外面に取り付けられた第２の連結部１７を、さらに備えてなる。
第１本ブロック１１においては、本体部１３が、前記一対の平面にそれぞれ接する上面及び下面（ｘｙ面に平行な面）と、上面と下面との間に形成された壁面を形成する一対の壁形成面１１ｆ（ｚｘ面に平行な面）と、２の壁形成面１１ｆの間に形成された２の側面（ここではｙｚ面に平行な面）と、を有してなり、該２の側面のうちの一面に第１の連結部１５が取り付けられると共に、該２の側面のうちの他面に第２の連結部１７が取り付けられるものである。
【０１２３】
第１本ブロック１１においては、第２線分部分Ｑｂａの両端のうち前記一対の平面（互いに交わる３の辺がｘ軸、ｙ軸及びｚ軸に沿った本体部１３が形成する直方体に接するｘｙ面に平行な一対の平面）と離れている端側（図１中では上端）に存する第２の連結部１７の貫通穴（中空部１７ｃ）の端部の縁部分の少なくとも一部（ここでは全部）に沿って立ち上がるように形成された挿入部材（環状突部１７ｆ）をさらに有する。
第１本ブロック１１は、前記一対の平面（互いに交わる３の辺がｘ軸、ｙ軸及びｚ軸に沿った本体部１３が形成する直方体に接するｘｙ面に平行な一対の平面）の一方側（図１では上側）に向けて突出する本体部１３に取り付けられた凸部（凸条部１９ａ、１９ｂ）と、前記一対の平面の他方側（図１では下側）に隣接するブロックが有する凸部（凸条部１９ａ、１９ｂ）を前記一対の平面の他方側（図１では下側）から受け入れる凹部（凹条部１８ａ、１８ｂ）と、をさらに備えてなる。
図１１が示す壁構造物３０１は、複数の第１本ブロック１１を前記一対の平面（互いに交わる３の辺がｘ軸、ｙ軸及びｚ軸に沿った本体部１３が形成する直方体に接するｘｙ面に平行な一対の平面）に対して平行方向（ここではｘ軸方向）に連結させ配置することで形成される壁構造物であって、隣接する一対のブロック１１の連結部１５、１７の貫通穴（中空部１５ｃ、１７ｃ）に連結部材（鉄筋等のような棒状部材Ｇ）が貫入され、複数のブロック１１の本体部１３が前記壁面を構成するものである、壁構造物である。
【０１２４】
第２本ブロック２１は、複数のブロックを隣接して配置し、壁面を構成するための壁形成用のブロックであって、互いに平行な一対の平面（ここでは互いに交わる３の辺がｘ軸、ｙ軸及びｚ軸に沿った本体部２３が形成する直方体に接するｘｙ面に平行な一対の平面）に接する本体部２３と、該一対の平面（本体部２３が形成する直方体に接するｘｙ面に平行な一対の平面）に垂直（ｚ軸に平行方向）かつ該一対の平面の間に存する第１線分Ｑａ（ここでは本体部２３が形成する直方体に接するｘｙ面に平行な一対の平面の間に存するｚ軸に平行な線分）の一部である第１線分部分Ｑａａ（第１線分Ｑａ及び第１線分部分Ｑａａのいずれも図２参照）が貫通する貫通穴（中空部２５ｃ）を規定する、本体部２３の外面に取り付けられた第１の連結部２５と、を備えてなる、ブロックである。
第２本ブロック２１は、前記一対の平面（互いに交わる３の辺がｘ軸、ｙ軸及びｚ軸に沿った本体部２３が形成する直方体に接するｘｙ面に平行な一対の平面）に対して平行方向に配置される一対の前記ブロック（第２本ブロック２１）のうち一方のブロック２１に対し他方のブロック２１を、前記一対の平面（本体部２３が形成する直方体に接するｘｙ面に平行な一対の平面）に平行で前記一対の平面から等しい距離に存する平面（ここでは図２においては、第２の連結部２７の上面と第１の連結部２５の上面とが略属する平面）である中間平面に存する直線の周りに１８０度回転させて反転させ、一方のブロック２１（２１ｎ）の第１線分Ｑａと他方のブロック２１（２１ｒ）の第１線分Ｑａとが一致する状態である反転連結可能状態（図２０（ｂ）。但し、（Ｍ１、Ｍ２、Ｍ３、Ｍ４）＝（２７、２５、２５、２７））に該一対のブロック２１を互いに配置できるものである。
【０１２５】
第２本ブロック２１においては、中間平面により分割される２の空間のうちいずれか一方（図２中では、中間平面の下側）の空間のみに第１の連結部２５が存するものである。
第２本ブロック２１においては、反転連結可能状態（図２０（ｂ））において、前記一対のブロック２１（２１ｎ、２１ｒ）のうちの一方のブロック２１ｎの第１の連結部２５と、他方のブロック２１ｒの第１の連結部２５と、が略接するものである。
第２本ブロック２１においては、前記一対の平面（互いに交わる３の辺がｘ軸、ｙ軸及びｚ軸に沿った本体部２３が形成する直方体に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図２参照）が貫通する貫通穴（中空部２７ｃ）を規定する、本体部２３の外面に取り付けられた第２の連結部２７を、さらに備えてなる。
第２本ブロック２１においては、本体部２３が、前記一対の平面にそれぞれ接する上面及び下面（ｘｙ面に平行な面）と、上面と下面との間に形成された壁面を形成する一対の壁形成面２１ｆ（ｚｘ面に平行な面）と、２の壁形成面２１ｆの間に形成された２の側面（ここではｙｚ面に平行な面）と、を有してなり、該２の側面のうちの一面に第１の連結部２５が取り付けられると共に、該２の側面のうちの他面に第２の連結部２７が取り付けられるものである。
【０１２６】
第２本ブロック２１は、前記一対の平面（互いに交わる３の辺がｘ軸、ｙ軸及びｚ軸に沿った本体部２３が形成する直方体に接するｘｙ面に平行な一対の平面）の一方側（図２では上側）に向けて突出する本体部２３に取り付けられた凸部（凸条部２９ａ、２９ｂ）と、前記一対の平面の他方側（図２では下側）に隣接するブロックが有する凸部（凸条部２９ａ、２９ｂ）を前記一対の平面の他方側（図２では下側）から受け入れる凹部（凹条部２８ａ、２８ｂ）と、をさらに備えてなる。
第２本ブロック２１は、前記一対の平面（互いに交わる３の辺がｘ軸、ｙ軸及びｚ軸に沿った本体部２３が形成する直方体に接するｘｙ面に平行な一対の平面）の間に存し第１線分Ｑａに平行な第３線分Ｑｃの一部である第３線分部分Ｑｃａが貫通する貫通穴（中空部２３ｃ３）を取り囲む、本体部２３に形成された嵌合部（窪んだ部分２３ｅ）を、さらに備えてなる（以下、図中、第３線分部分Ｑｃａを実線にて、そして第３線分部分Ｑｃａ以外の第３線分Ｑｃを破線にて示す。）。
第２本ブロック２１においては、本体部２３が、前記一対の平面にそれぞれ接する上面及び下面（ｘｙ面に平行な面）と、上面と下面との間に形成された壁面を形成する一対の壁形成面２１ｆ（ｚｘ面に平行な面）と、２の壁形成面２１ｆの間に形成された２の側面（ここではｙｚ面に平行な面）と、を有してなり、嵌合部（窪んだ部分２３ｅ）が、該上面及び該下面の一方（ここでは該上面）から他方（ここでは該下面）に向けて窪んだ部分に形成されるものである。
第２本ブロック２１においては、一対の前記ブロック２１のうち一方のブロック２１に対し他方のブロック２１を、前記一対の平面に平行で前記一対の平面から等しい距離に存する平面である中間平面（図２においては、第２の連結部２７の上面と第１の連結部２５の上面とが略属する平面）に存する直線の周りに１８０度回転させて反転させ、一方のブロック２１ｎの第３線分Ｑｃと他方のブロック２１ｒの第３線分Ｑｃとが一致する状態である嵌合連結可能状態（図１２（ａ））に該一対のブロック２１（２１ｎ、２１ｒ）を互いに配置できるものである。
【０１２７】
第２本ブロック２１においては、中間平面により分割される２の空間のうちいずれか一方（図２においては下方）の空間のみに嵌合部（窪んだ部分２３ｅ）が存するものである。
第２本ブロック２１においては、嵌合連結可能状態（図１２（ａ）の２１ｎと２１ｒ）において、前記一対のブロック２１のうちの一方のブロック２１ｎの嵌合部（窪んだ部分２３ｅ）と、他方のブロック２１ｒの嵌合部（窪んだ部分２３ｅ）と、が略接するものである。
第２本ブロック２１においては、嵌合連結可能状態（図１２（ａ）の２１ｎと２１ｒ）において、前記一対のブロック２１のうち一方のブロック２１ｎに対し他方のブロック２１ｒが第３線分Ｑｃの周りの回動が規制（ここでは略禁止）されるものである。
図１２が示す壁構造物３０２（ａ）は、複数の第２本ブロック２１及び第１本ブロック１１を前記一対の平面（互いに交わる３の辺がｘ軸、ｙ軸及びｚ軸に沿った本体部２３が形成する直方体に接するｘｙ面に平行な一対の平面）に対して平行方向（ここではｘ軸方向）に連結させ配置することで形成される壁構造物であって、隣接する一対のブロック２１、１１の連結部２５、２７、１５、１７の貫通穴（中空部２５ｃ、２７ｃ、１５ｃ、１７ｃ）に連結部材（例えば、鉄筋等のような棒状部材）が貫入されることができ、複数のブロック２１、１１の本体部２３、１３が前記壁面を構成するものである、壁構造物である。
【０１２８】
第３本ブロック３１は、複数のブロックを隣接して配置し、壁面を構成するための壁形成用のブロックであって、互いに平行な一対の平面（ここでは本体部３３に接するｘｙ面に平行な一対の平面）に接する本体部３３と、該一対の平面（本体部３３に接するｘｙ面に平行な一対の平面）に垂直（ｚ軸に平行方向）かつ該一対の平面の間に存する第１線分Ｑａ（ここでは本体部３３に接するｘｙ面に平行な一対の平面の間に存するｚ軸に平行な線分）の一部である第１線分部分Ｑａａ（第１線分Ｑａ及び第１線分部分Ｑａａのいずれも図３参照）が貫通する貫通穴（中空部３５ｃ）を規定する、本体部３３の外面に取り付けられた第１の連結部３５と、を備えてなる、ブロックである。
第３本ブロック３１は、前記一対の平面（本体部３３に接するｘｙ面に平行な一対の平面）に対して平行方向に配置される一対の前記ブロック（第３本ブロック３１）のうち一方のブロック３１に対し他方のブロック３１を、前記一対の平面（本体部３３に接するｘｙ面に平行な一対の平面）に平行で前記一対の平面から等しい距離に存する平面（ここでは図３においては、第１の連結部３５の上面が略属する平面）である中間平面に存する直線の周りに１８０度回転させて反転させ、一方のブロック３１ｎの第１線分Ｑａと他方のブロック３１ｒの第１線分Ｑａとが一致する状態である反転連結可能状態（図２１（ｂ））に該一対のブロック３１を互いに配置できるものである。
【０１２９】
第３本ブロック３１においては、中間平面により分割される２の空間のうちいずれか一方（図３中では、中間平面の下側）の空間のみに第１の連結部３５が存するものである。
第３本ブロック３１においては、反転連結可能状態（図２１（ｂ））において、前記一対のブロック３１のうちの一方のブロック３１ｎの第１の連結部３５と、他方のブロック３１ｒの第１の連結部３５と、が略接するものである。
第３本ブロック３１においては、反転連結可能状態（図２１（ｂ））を保持しつつ、前記一対のブロック３１のうち一方のブロック３１ｎに対し他方のブロック３１ｒが第１線分Ｑａの周りの回動が許容されるものである（一方のブロック３１ｎの第１の連結部３５外周面が他方のブロック３１ｒの凹溝３３ａｄに嵌入されると共に、他方のブロック３１ｒの第１の連結部３５外周面が一方のブロック３１ｎの凹溝３３ａｄに嵌入される。）。
第３本ブロック３１においては、前記一対の平面（本体部３３に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図３参照）が貫通する貫通穴（中空部３７ｃ）を規定する、本体部３３の外面に取り付けられた第２の連結部３７を、さらに備えてなる。
第３本ブロック３１においては、本体部３３が、前記一対の平面にそれぞれ接する上面及び下面（ｘｙ面に平行な面）と、上面と下面との間に形成された壁面を形成する一対の壁形成面３１ｆ（ｚｘ面に平行な面）と、２の壁形成面３１ｆの間に形成された２の側面と、を有してなり、該２の側面のうちの一面に第１の連結部３５が取り付けられると共に、該２の側面のうちの他面に第２の連結部３７が取り付けられるものである。
【０１３０】
第３本ブロック３１においては、第２線分部分Ｑｂａの両端のうち前記一対の平面（本体部３３に接するｘｙ面に平行な一対の平面）と離れている端側（図３中では上端）に存する第２の連結部３７の貫通穴（中空部３７ｃ）の端部の縁部分の少なくとも一部（ここでは全部）に沿って立ち上がるように形成された挿入部材（環状突部３７ｆ）をさらに有する。
第３本ブロック３１においては、第１の連結部３５が取り付けられた本体部３３の外面に第１線分Ｑａに沿った凹溝３３ａｄが形成され、反転連結可能状態においては第１の連結部３５の外面（外周面）の一部が凹溝３３ａｄの内部に進入するものである。
第３本ブロック３１は、前記一対の平面（本体部３３に接するｘｙ面に平行な一対の平面）の一方側（図３では上側）に向けて突出する本体部３３に取り付けられた凸部（凸条部３９ａ、３９ｂ）と、前記一対の平面の他方側（図３では下側）に隣接するブロックが有する凸部（凸条部３９ａ、３９ｂ）を前記一対の平面の他方側（図３では下側）から受け入れる凹部（凹条部３８ａ、３８ｂ）と、をさらに備えてなる。
図１３が示す壁構造物３０３は、複数の第３本ブロック３１を前記一対の平面（本体部３３に接するｘｙ面に平行な一対の平面）に対して平行方向（ここではｘ軸方向）に連結させ配置することで形成される壁構造物であって、隣接する一対のブロック３１の連結部３５、３７の貫通穴（中空部３５ｃ、３７ｃ）に連結部材（鉄筋等のような棒状部材Ｇ）が貫入され、複数のブロック３１の本体部３３が前記壁面を構成するものである、壁構造物である。
【０１３１】
第４本ブロック４１は、複数のブロックを隣接して配置し、壁面を構成するための壁形成用のブロックであって、互いに平行な一対の平面（ここでは本体部４３に接するｘｙ面に平行な一対の平面）に接する本体部４３と、該一対の平面（本体部４３に接するｘｙ面に平行な一対の平面）に垂直（ｚ軸に平行方向）かつ該一対の平面の間に存する第１線分Ｑａ（ここでは本体部４３に接するｘｙ面に平行な一対の平面の間に存するｚ軸に平行な線分）の一部である第１線分部分Ｑａａ（第１線分Ｑａ及び第１線分部分Ｑａａのいずれも図４参照）が貫通する貫通穴（中空部４５ｃ）を規定する、本体部４３の外面に取り付けられた第１の連結部４５と、を備えてなる、ブロックである。
第４本ブロック４１は、前記一対の平面（本体部４３に接するｘｙ面に平行な一対の平面）に対して平行方向に配置される一対の前記ブロック（第４本ブロック４１）のうち一方のブロック４１に対し他方のブロック４１を、前記一対の平面（本体部４３に接するｘｙ面に平行な一対の平面）に平行で前記一対の平面から等しい距離に存する平面（ここでは図４においては、第１の連結部４５の上面及び第２の連結部４７の上面が略属する平面）である中間平面に存する直線の周りに１８０度回転させて反転させ、一方のブロック４１ｎの第１線分Ｑａと他方のブロック４１ｒの第１線分Ｑａとが一致する状態である反転連結可能状態（図２２（ｂ））に該一対のブロック４１（４１ｎ、４１ｒ）を互いに配置できるものである。
【０１３２】
第４本ブロック４１においては、中間平面により分割される２の空間のうちいずれか一方（図４中では、中間平面の下側）の空間のみに第１の連結部４５が存するものである。
第４本ブロック４１においては、反転連結可能状態（図２２（ｂ））において、前記一対のブロック４１のうちの一方のブロック４１ｎの第１の連結部４５と、他方のブロック４１ｒの第１の連結部４５と、が略接するものである。
第４本ブロック４１においては、反転連結可能状態（図２２（ｂ））を保持しつつ、前記一対のブロック４１のうち一方のブロック４１ｎに対し他方のブロック４１ｒが第１線分Ｑａの周りの回動が許容されるものである（一方のブロック４１ｎの第１の連結部４５外周面が他方のブロック４１ｒの凹溝４３ａｄに嵌入されると共に、他方のブロック４１ｒの第１の連結部４５外周面が一方のブロック４１ｎの凹溝４３ａｄに嵌入される。）。
第４本ブロック４１においては、前記一対の平面（本体部４３に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図４参照）が貫通する貫通穴（中空部４７ｃ）を規定する、本体部４３の外面に取り付けられた第２の連結部４７を、さらに備えてなる。
【０１３３】
第４本ブロック４１においては、本体部４３が、前記一対の平面にそれぞれ接する上面及び下面（ｘｙ面に平行な面）と、上面と下面との間に形成された壁面を形成する一対の壁形成面４１ｆ（ｚｘ面に平行な面）と、２の壁形成面４１ｆの間に形成された２の側面と、を有してなり、該２の側面のうちの一面に第１の連結部４５が取り付けられると共に、該２の側面のうちの他面に第２の連結部４７が取り付けられるものである。
第４本ブロック４１においては、第１の連結部４５が取り付けられた本体部４３の外面に第１線分Ｑａに沿った凹溝４３ａｄが形成され、反転連結可能状態（図２２（ｂ））においては第１の連結部４５の外面（外周面）の一部が凹溝４３ａｄの内部に進入するものである。
第４本ブロック４１は、前記一対の平面（本体部４３に接するｘｙ面に平行な一対の平面）の一方側（図４では上側）に向けて突出する本体部４３に取り付けられた凸部（凸条部４９ａ、４９ｂ）と、前記一対の平面の他方側（図４では下側）に隣接するブロックが有する凸部（凸条部４９ａ、４９ｂ）を前記一対の平面の他方側（図４では下側）から受け入れる凹部（凹条部４８ａ、４８ｂ）と、をさらに備えてなる。
図１４が示す壁構造物３０４は、複数の第４本ブロック４１、第９本ブロック９１及び第１本ブロック１１を前記一対の平面（互いに交わる３の辺がｘ軸、ｙ軸及びｚ軸に沿った本体部４３が形成する直方体に接するｘｙ面に平行な一対の平面）に対して平行方向（ここではｘ軸方向）に連結させ配置することで形成される壁構造物であって、隣接する一対のブロック４１、９１、１１の連結部４５、９７、４７、１５の貫通穴（中空部４５ｃ、４７ｃ、１５ｃ、９７ｃ）に連結部材（例えば、鉄筋等のような棒状部材Ｇ）が貫入されることができ、複数のブロック４１、９１、１１の本体部４３、９３、１３が前記壁面を構成するものである、壁構造物である。
【０１３４】
第５本ブロック５１は、複数のブロックを隣接して配置し、壁面を構成するための壁形成用のブロックであって、互いに平行な一対の平面（ここでは互いに交わる３の辺がｘ軸、ｙ軸及びｚ軸に沿った本体部５３が形成する直方体に接するｘｙ面に平行な一対の平面）に接する本体部５３と、該一対の平面（本体部５３が形成する直方体に接するｘｙ面に平行な一対の平面）に垂直（ｚ軸に平行方向）かつ該一対の平面の間に存する第１線分Ｑａ（ここでは本体部５３が形成する直方体に接するｘｙ面に平行な一対の平面の間に存するｚ軸に平行な線分）の一部である第１線分部分Ｑａａ（第１線分Ｑａ及び第１線分部分Ｑａａのいずれも図５参照）が貫通する貫通穴（中空部５５ｃ）を規定する、本体部５３の外面に取り付けられた第１の連結部５５と、を備えてなる、ブロックである。
第５本ブロック５１は、前記一対の平面（互いに交わる３の辺がｘ軸、ｙ軸及びｚ軸に沿った本体部５３が形成する直方体に接するｘｙ面に平行な一対の平面）に対して平行方向に配置される一対の前記ブロック（第５本ブロック５１）のうち一方のブロック５１に対し他方のブロック５１を、前記一対の平面（本体部５３が形成する直方体に接するｘｙ面に平行な一対の平面）に平行で前記一対の平面から等しい距離に存する平面（ここでは第１の連結部５５の環状溝部５５ｆが形成された面（図５では上面）が略属する平面）である中間平面に存する直線の周りに１８０度回転させて反転させ、一方のブロック５１ｎの第１線分Ｑａと他方のブロック５１ｒの第１線分Ｑａとが一致する状態である反転連結可能状態（図２３（ａ））に該一対のブロック５１（５１ｎ、５１ｒ）を互いに配置できるものである。
【０１３５】
第５本ブロック５１においては、中間平面により分割される２の空間のうちいずれか一方（図５中では、中間平面の下側）の空間のみに第１の連結部５５が存するものである。
第５本ブロック５１においては、反転連結可能状態（図２３（ａ））において、前記一対のブロック５１のうちの一方のブロック５１ｎの第１の連結部５５と、他方のブロック５１ｒの第１の連結部５５と、が略接するものである。
第５本ブロック５１は、前記一対の平面（互いに交わる３の辺がｘ軸、ｙ軸及びｚ軸に沿った本体部５３が形成する直方体に接するｘｙ面に平行な一対の平面）の一方側（図５では上側）に向けて突出する本体部５３に取り付けられた凸部（凸条部５９ａ、５９ｂ）と、前記一対の平面の他方側（図５では下側）に隣接するブロックが有する凸部（凸条部５９ａ、５９ｂ）を前記一対の平面の他方側（図５では下側）から受け入れる凹部（凹条部５８ａ、５８ｂ）と、をさらに備えてなる。
図１４が示す壁構造物３０４は、複数の第５本ブロック５１及び第１本ブロック１１を前記一対の平面（互いに交わる３の辺がｘ軸、ｙ軸及びｚ軸に沿った本体部５３が形成する直方体に接するｘｙ面に平行な一対の平面）に対して平行方向（ここではｘ軸方向）に連結させ配置することで形成される壁構造物であって、隣接する一対のブロック５１、１１の連結部５５、１７の貫通穴（中空部５５ｃ、１７ｃ）に連結部材（例えば、鉄筋等のような棒状部材Ｇ）が貫入されることができ、複数のブロック５１、１１の本体部５３、１３が前記壁面を構成するものである、壁構造物である。
【０１３６】
第６本ブロック６１は、複数のブロックを隣接して配置し、壁面を構成するための壁形成用のブロックであって、互いに平行な一対の平面（ここでは本体部６３に接するｘｙ面に平行な一対の平面）に接する本体部６３と、該一対の平面（本体部６３に接するｘｙ面に平行な一対の平面）に垂直（ｚ軸に平行方向）かつ該一対の平面の間に存する第１線分Ｑａ（ここでは本体部６３に接するｘｙ面に平行な一対の平面の間に存するｚ軸に平行な線分）の一部である第１線分部分Ｑａａ（第１線分Ｑａ及び第１線分部分Ｑａａのいずれも図６参照）が貫通する貫通穴（中空部６５ｃ）を規定する、本体部６３の外面に取り付けられた第１の連結部６５と、を備えてなる、ブロックである。
第６本ブロック６１は、前記一対の平面（本体部６３に接するｘｙ面に平行な一対の平面）に対して平行方向に配置される一対の前記ブロック（第６本ブロック６１）のうち一方のブロック６１に対し他方のブロック６１を、前記一対の平面（本体部６３に接するｘｙ面に平行な一対の平面）に平行で前記一対の平面から等しい距離に存する平面（ここでは図６においては、第１の連結部６５の上面が略属する平面）である中間平面に存する直線の周りに１８０度回転させて反転させ、一方のブロック６１ｎの第１線分Ｑａと他方のブロック６１ｒの第１線分Ｑａとが一致する状態である反転連結可能状態（図２３（ｂ））に該一対のブロック６１（６１ｎ、６１ｒ）を互いに配置できるものである。
第６本ブロック６１においては、中間平面により分割される２の空間のうちいずれか一方（図６中では、中間平面の下側）の空間のみに第１の連結部６５が存するものである。
【０１３７】
第６本ブロック６１においては、反転連結可能状態（図２３（ｂ））において、前記一対のブロック６１のうちの一方のブロック６１ｎの第１の連結部６５と、他方のブロック６１ｒの第１の連結部６５と、が略接するものである。
第６本ブロック６１においては、反転連結可能状態（図２３（ｂ））を保持しつつ、前記一対のブロック６１のうち一方のブロック６１ｎに対し他方のブロック６１ｒが第１線分Ｑａの周りの回動が許容されるものである（一方のブロック６１ｎの第１の連結部６５外周面が他方のブロック６１ｒの凹溝６３ａｄに嵌入されると共に、他方のブロック６１ｒの第１の連結部６５外周面が一方のブロック６１ｎの凹溝６３ａｄに嵌入される。）。
第６本ブロック６１においては、第１の連結部６５が取り付けられた本体部６３の外面に第１線分Ｑａに沿った凹溝６３ａｄが形成され、反転連結可能状態（図２３（ｂ））においては第１の連結部６５の外面（外周面）の一部が凹溝６３ａｄの内部に進入するものである。
第６本ブロック６１は、前記一対の平面（本体部６３に接するｘｙ面に平行な一対の平面）の一方側（図６では上側）に向けて突出する本体部６３に取り付けられた凸部（凸条部６９ａ、６９ｂ）と、前記一対の平面の他方側（図６では下側）に隣接するブロックが有する凸部（凸条部６９ａ、６９ｂ）を前記一対の平面の他方側（図６では下側）から受け入れる凹部（凹条部６８ａ、６８ｂ）と、をさらに備えてなる。
図１４が示す壁構造物３０４は、複数の第６本ブロック６１及び第９本ブロック９１を前記一対の平面（本体部６３に接するｘｙ面に平行な一対の平面）に対して平行方向（ここではｘ軸方向）に連結させ配置することで形成される壁構造物であって、隣接する一対のブロック６１、９１の連結部６５、９５の貫通穴（中空部６５ｃ、９５ｃ）に連結部材（例えば、鉄筋等のような棒状部材Ｇ）が貫入されることができ、複数のブロック６１、９１の本体部６３、９３が前記壁面を構成するものである、壁構造物である。
【０１３８】
第７本ブロック７１は、複数のブロックを隣接して配置し、壁面を構成するための壁形成用のブロックであって、互いに平行な一対の平面（ここでは互いに交わる３の辺がｘ軸、ｙ軸及びｚ軸に沿った本体部７３が形成する直方体に接するｘｙ面に平行な一対の平面）に接する本体部７３と、該一対の平面（本体部７３が形成する直方体に接するｘｙ面に平行な一対の平面）に垂直（ｚ軸に平行方向）かつ該一対の平面の間に存する第１線分Ｑａ（ここでは本体部７３が形成する直方体に接するｘｙ面に平行な一対の平面の間に存するｚ軸に平行な線分）の一部である第１線分部分Ｑａａ（第１線分Ｑａ及び第１線分部分Ｑａａのいずれも図７参照）が貫通する貫通穴（中空部７５ｃ）を規定する、本体部７３の外面に取り付けられた第１の連結部７５と、を備えてなる、ブロックである。
第７本ブロック７１は、前記一対の平面（互いに交わる３の辺がｘ軸、ｙ軸及びｚ軸に沿った本体部７３が形成する直方体に接するｘｙ面に平行な一対の平面）に対して平行方向に配置される一対の前記ブロック（第７本ブロック７１）のうち一方のブロック７１に対し他方のブロック７１を、前記一対の平面（本体部７３が形成する直方体に接するｘｙ面に平行な一対の平面）に平行で前記一対の平面から等しい距離に存する平面（ここでは第２の連結部７７の環状突部７７ｆが形成された面（図７では下面）と、第１の連結部７５の環状溝部７５ｆが形成された面（図７では上面）と、が略属する平面）である中間平面に存する直線の周りに１８０度回転させて反転させ、一方のブロック７１ｎの第１線分Ｑａと他方のブロック７１ｒの第１線分Ｑａとが一致する状態である反転連結可能状態（図２４（ａ））に該一対のブロック７１（７１ｎ、７１ｒ）を互いに配置できるものである。
【０１３９】
第７本ブロック７１においては、中間平面により分割される２の空間のうちいずれか一方（図７中では、中間平面の下側）の空間のみに第１の連結部７５が存するものである。
第７本ブロック７１においては、反転連結可能状態（図２４（ａ））において、前記一対のブロック７１のうちの一方のブロック７１ｎの第１の連結部７５と、他方のブロック７１ｒの第１の連結部７５と、が略接するものである。
第７本ブロック７１においては、前記一対の平面（互いに交わる３の辺がｘ軸、ｙ軸及びｚ軸に沿った本体部７３が形成する直方体に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図７参照）が貫通する貫通穴（中空部７７ｃ）を規定する、本体部７３の外面に取り付けられた第２の連結部７７を、さらに備えてなる。
第７本ブロック７１においては、本体部７３が、前記一対の平面にそれぞれ接する上面及び下面（ｘｙ面に平行な面）と、上面と下面との間に形成された壁面を形成する一対の壁形成面７１ｆ（ｚｘ面に平行な面）と、２の壁形成面７１ｆの間に形成された２の側面（ここではｙｚ面に平行な面）と、を有してなり、該２の側面のうちの一面に第１の連結部７５が取り付けられると共に、該２の側面のうちの他面に第２の連結部７７が取り付けられるものである。
第７本ブロック７１においては、前記一対の平面（本体部７３が形成する直方体に接するｘｙ面に平行な一対の平面）に対して平行方向に配置される一対の前記ブロック７１のうち一方のブロック７１に対し他方のブロック７１を、前記一対の平面に平行で前記一対の平面から等しい距離に存する平面（ここでは第２の連結部７７の環状突部７７ｆが形成された面（図７では下面）と、第１の連結部７５の環状溝部７５ｆが形成された面（図７では上面）と、が略属する平面）である中間平面に存する直線の方向（ここではｘ軸に平行方向）に平行移動させ、一方のブロック７１の第２線分Ｑｂと他方のブロック７１の第１線分Ｑａとが一致する状態である平行移動連結可能状態（図１５（ｂ）参照）に該一対のブロック７１を互いに配置できるものである。
【０１４０】
第７本ブロック７１においては、前記一対の平面（本体部７３が形成する直方体に接するｘｙ面に平行な一対の平面）に平行で前記一対の平面から等しい距離に存する平面である中間平面により分割される２の空間のうち一方（ここでは図７中、下側）の空間のみに第１の連結部７５が存すると共に、第２の連結部７７が該２の空間のうち他方（ここでは図７中、上側）の空間のみに存するものである。
第７本ブロック７１においては、平行移動連結可能状態（図１５（ｂ）参照）において、前記一対のブロック７１のうちの一方のブロック７１の第２の連結部７７と、他方のブロック７１の第１の連結部７５と、が略接するものである。
第７本ブロック７１においては、第２線分部分Ｑｂａの両端のうち前記一対の平面（本体部７３が形成する直方体に接するｘｙ面に平行な一対の平面）と離れている端側（図７では下端）に存する第２の連結部７７の貫通穴（中空部７７ｃ）の端部の縁部分の少なくとも一部（ここでは全部）に沿って立ち上がるように形成された挿入部材（環状突部７７ｆ）をさらに有するものである。
第７本ブロック７１は、前記一対の平面（互いに交わる３の辺がｘ軸、ｙ軸及びｚ軸に沿った本体部７３が形成する直方体に接するｘｙ面に平行な一対の平面）の一方側（図７では上側）に向けて突出する本体部７３に取り付けられた凸部（凸条部７９ａ、７９ｂ）と、前記一対の平面の他方側（図７では下側）に隣接するブロックが有する凸部（凸条部７９ａ、７９ｂ）を前記一対の平面の他方側（図７では下側）から受け入れる凹部（凹条部７８ａ、７８ｂ）と、をさらに備えてなる。
図１５が示す壁構造物３０７は、複数の第７本ブロック７１を前記一対の平面（互いに交わる３の辺がｘ軸、ｙ軸及びｚ軸に沿った本体部７３が形成する直方体に接するｘｙ面に平行な一対の平面）に対して平行方向（ここではｘ軸方向）に連結させ配置することで形成される壁構造物であって、隣接する一対のブロック７１の連結部７５、７７の貫通穴（中空部７５ｃ、７７ｃ）に連結部材（鉄筋等のような棒状部材Ｇ）が貫入され、複数のブロック７１の本体部７３が前記壁面を構成するものである、壁構造物である。
【０１４１】
第８本ブロック８１は、複数のブロックを隣接して配置し、壁面を構成するための壁形成用のブロックであって、互いに平行な一対の平面（ここでは互いに交わる３の辺がｘ軸、ｙ軸及びｚ軸に沿った本体部８３が形成する直方体に接するｘｙ面に平行な一対の平面）に接する本体部８３と、該一対の平面（本体部８３が形成する直方体に接するｘｙ面に平行な一対の平面）に垂直（ｚ軸に平行方向）かつ該一対の平面の間に存する第１線分Ｑａ（ここでは本体部８３が形成する直方体に接するｘｙ面に平行な一対の平面の間に存するｚ軸に平行な線分）の一部である第１線分部分Ｑａａ（第１線分Ｑａ及び第１線分部分Ｑａａのいずれも図８参照）が貫通する貫通穴（中空部８５ｃ）を規定する、本体部８３の外面に取り付けられた第１の連結部８５と、を備えてなる、ブロックである。
第８本ブロック８１は、前記一対の平面（互いに交わる３の辺がｘ軸、ｙ軸及びｚ軸に沿った本体部８３が形成する直方体に接するｘｙ面に平行な一対の平面）に対して平行方向に配置される一対の前記ブロック（第８本ブロック８１）のうち一方のブロック８１に対し他方のブロック８１を、前記一対の平面（本体部８３が形成する直方体に接するｘｙ面に平行な一対の平面）に平行で前記一対の平面から等しい距離に存する平面（ここでは図８においては、第２の連結部８７の下面と第１の連結部８５の上面とが略属する平面）である中間平面に存する直線の周りに１８０度回転させて反転させ、一方のブロック８１ｎの第１線分Ｑａと他方のブロック８１ｒの第１線分Ｑａとが一致する状態である反転連結可能状態（図２４（ｂ））に該一対のブロック８１（８１ｎ、８１ｒ）を互いに配置できるものである。
【０１４２】
第８本ブロック８１においては、中間平面により分割される２の空間のうちいずれか一方（図８中では、中間平面の下側）の空間のみに第１の連結部８５が存するものである。
第８本ブロック８１においては、反転連結可能状態（図２４（ｂ））において、前記一対のブロック８１のうちの一方のブロック８１ｎの第１の連結部８５と、他方のブロック８１ｒの第１の連結部８５と、が略接するものである。
第８本ブロック８１においては、前記一対の平面（互いに交わる３の辺がｘ軸、ｙ軸及びｚ軸に沿った本体部８３が形成する直方体に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図８参照）が貫通する貫通穴（中空部８７ｃ）を規定する、本体部８３の外面に取り付けられた第２の連結部８７を、さらに備えてなる。
第８本ブロック８１においては、本体部８３が、前記一対の平面にそれぞれ接する上面及び下面（ｘｙ面に平行な面）と、上面と下面との間に形成された壁面を形成する一対の壁形成面８１ｆ（ｚｘ面に平行な面）と、２の壁形成面８１ｆの間に形成された２の側面（ここではｙｚ面に平行な面）と、を有してなり、該２の側面のうちの一面に第１の連結部８５が取り付けられると共に、該２の側面のうちの他面に第２の連結部８７が取り付けられるものである。
【０１４３】
第８本ブロック８１においては、前記一対の平面（本体部８３が形成する直方体に接するｘｙ面に平行な一対の平面）に対して平行方向に配置される一対の前記ブロック８１のうち一方のブロック８１に対し他方のブロック８１を、前記一対の平面に平行で前記一対の平面から等しい距離に存する平面（ここでは第２の連結部８７の環状溝部８７ｆが形成された面（図８では下面）と、第１の連結部８５の環状溝部８５ｆが形成された面（図８では上面）と、が略属する平面）である中間平面に存する直線の方向（ここではｘ軸に平行方向）に平行移動させ、一方のブロック８１の第２線分Ｑｂと他方のブロック８１の第１線分Ｑａとが一致する状態である平行移動連結可能状態（図２４（ｃ））に該一対のブロック８１を互いに配置できるものである。
第８本ブロック８１においては、前記一対の平面（本体部８３が形成する直方体に接するｘｙ面に平行な一対の平面）に平行で前記一対の平面から等しい距離に存する平面である中間平面により分割される２の空間のうち一方（ここでは図８中、下側）の空間のみに第１の連結部８５が存すると共に、第２の連結部８７が該２の空間のうち他方（ここでは図８中、上側）の空間のみに存するものである。
第８本ブロック８１においては、平行移動連結可能状態（図２４（ｃ））において、前記一対のブロック８１のうちの一方のブロック８１の第２の連結部８７と、他方のブロック８１の第１の連結部８５と、が略接するものである。
第８本ブロック８１は、前記一対の平面（互いに交わる３の辺がｘ軸、ｙ軸及びｚ軸に沿った本体部８３が形成する直方体に接するｘｙ面に平行な一対の平面）の一方側（図８では上側）に向けて突出する本体部８３に取り付けられた凸部（凸条部８９ａ、８９ｂ）と、前記一対の平面の他方側（図８では下側）に隣接するブロックが有する凸部（凸条部８９ａ、８９ｂ）を前記一対の平面の他方側（図８では下側）から受け入れる凹部（凹条部８８ａ、８８ｂ）と、をさらに備えてなる。
【０１４４】
第８本ブロック８１は、前記一対の平面（互いに交わる３の辺がｘ軸、ｙ軸及びｚ軸に沿った本体部８３が形成する直方体に接するｘｙ面に平行な一対の平面）の間に存し第１線分Ｑａに平行な第３線分Ｑｃの一部である第３線分部分Ｑｃａが貫通する貫通穴（中空部８３ｃ３）を取り囲む、本体部８３に形成された嵌合部（窪んだ部分８３ｅ）を、さらに備えてなる。
第８本ブロック８１においては、本体部８３が、前記一対の平面にそれぞれ接する上面及び下面（ｘｙ面に平行な面）と、上面と下面との間に形成された壁面を形成する一対の壁形成面８１ｆ（ｚｘ面に平行な面）と、２の壁形成面８１ｆの間に形成された２の側面（ここではｙｚ面に平行な面）と、を有してなり、嵌合部（窪んだ部分８３ｅ）が、該上面及び該下面の一方（ここでは該上面）から他方（ここでは該下面）に向けて窪んだ部分に形成されるものである。
第８本ブロック８１においては、一対の前記ブロック８１のうち一方のブロック８１に対し他方のブロック８１を、前記一対の平面に平行で前記一対の平面から等しい距離に存する平面である中間平面（図８においては、第２の連結部８７の下面と第１の連結部８５の上面とが略属する平面）に存する直線の周りに１８０度回転させて反転させ、一方のブロック８１の第３線分Ｑｃと他方のブロック８１の第３線分Ｑｃとが一致する状態である嵌合連結可能状態（図１６（ａ））に該一対のブロック８１を互いに配置できるものである。
第８本ブロック８１においては、中間平面により分割される２の空間のうちいずれか一方（図８においては下方）の空間のみに嵌合部（窪んだ部分８３ｅ）が存するものである。
第８本ブロック８１においては、嵌合連結可能状態（図１６（ａ））において、前記一対のブロック８１のうちの一方のブロック８１の嵌合部（窪んだ部分８３ｅ）と、他方のブロック８１の嵌合部（窪んだ部分８３ｅ）と、が略接するものである。
第８本ブロック８１においては、嵌合連結可能状態（図１６（ａ））において、前記一対のブロック８１のうち一方のブロック８１ｎに対し他方のブロック８１ｒが第３線分Ｑｃの周りの回動が規制（ここでは略禁止）されるものである。
図１６が示す壁構造物３０５ａ、３０５ｂは、複数の第８本ブロック８１及び第７本ブロック７１を前記一対の平面（互いに交わる３の辺がｘ軸、ｙ軸及びｚ軸に沿った本体部８３が形成する直方体に接するｘｙ面に平行な一対の平面）に対して平行方向（ここではｘ軸方向）に連結させ配置することで形成される壁構造物であって、隣接する一対のブロック８１、７１の連結部８５、８７、７５、７７の貫通穴（中空部８５ｃ、８７ｃ、７５ｃ、７７ｃ）に連結部材（例えば、鉄筋等のような棒状部材）が貫入されることができ、複数のブロック８１、７１の本体部８３、７３が前記壁面を構成するものである、壁構造物である。
【０１４５】
第９本ブロック９１は、複数のブロックを隣接して配置し、壁面を構成するための壁形成用のブロックであって、互いに平行な一対の平面（ここでは本体部９３に接するｘｙ面に平行な一対の平面）に接する本体部９３と、該一対の平面（本体部９３に接するｘｙ面に平行な一対の平面）に垂直（ｚ軸に平行方向）かつ該一対の平面の間に存する第１線分Ｑａ（ここでは本体部９３に接するｘｙ面に平行な一対の平面の間に存するｚ軸に平行な線分）の一部である第１線分部分Ｑａａ（第１線分Ｑａ及び第１線分部分Ｑａａのいずれも図９参照）が貫通する貫通穴（中空部９５ｃ）を規定する、本体部９３の外面に取り付けられた第１の連結部９５と、を備えてなる、ブロックである。
第９本ブロック９１は、前記一対の平面（本体部９３に接するｘｙ面に平行な一対の平面）に対して平行方向に配置される一対の前記ブロック（第９本ブロック９１）のうち一方のブロック９１に対し他方のブロック９１を、前記一対の平面（本体部９３に接するｘｙ面に平行な一対の平面）に平行で前記一対の平面から等しい距離に存する平面（ここでは図９においては、第１の連結部９５の上面が略属する平面）である中間平面に存する直線の周りに１８０度回転させて反転させ、一方のブロック９１ｎの第１線分Ｑａと他方のブロック９１ｒの第１線分Ｑａとが一致する状態である反転連結可能状態（図２５（ａ））に該一対のブロック９１（９１ｎ、９１ｒ）を互いに配置できるものである。
【０１４６】
第９本ブロック９１においては、中間平面により分割される２の空間のうちいずれか一方（図９中では、中間平面の下側）の空間のみに第１の連結部９５が存するものである。
第９本ブロック９１においては、反転連結可能状態（図２５（ａ））において、前記一対のブロック９１のうちの一方のブロック９１ｎの第１の連結部９５と、他方のブロック９１ｒの第１の連結部９５と、が略接するものである。
第９本ブロック９１においては、反転連結可能状態（図２５（ａ））を保持しつつ、前記一対のブロック９１のうち一方のブロック９１ｎに対し他方のブロック９１ｒが第１線分Ｑａの周りの回動が許容されるものである（一方のブロック９１ｎの第１の連結部９５外周面が他方のブロック９１ｒの凹溝９３ａｄに嵌入されると共に、他方のブロック９１ｒの第１の連結部９５外周面が一方のブロック９１ｎの凹溝９３ａｄに嵌入される。）。
第９本ブロック９１においては、前記一対の平面（本体部９３に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図９参照）が貫通する貫通穴（中空部９７ｃ）を規定する、本体部９３の外面に取り付けられた第２の連結部９７を、さらに備えてなる。
【０１４７】
第９本ブロック９１においては、本体部９３が、前記一対の平面にそれぞれ接する上面及び下面（ｘｙ面に平行な面）と、上面と下面との間に形成された壁面を形成する一対の壁形成面９１ｆ（ｚｘ面に平行な面）と、２の壁形成面９１ｆの間に形成された２の側面と、を有してなり、該２の側面のうちの一面に第１の連結部９５が取り付けられると共に、該２の側面のうちの他面に第２の連結部９７が取り付けられるものである。
第９本ブロック９１においては、前記一対の平面（本体部９３が形成する直方体に接するｘｙ面に平行な一対の平面）に対して平行方向に配置される一対の前記ブロック９１のうち一方のブロック９１に対し他方のブロック９１を、前記一対の平面に平行で前記一対の平面から等しい距離に存する平面（ここでは第２の連結部９７の環状突部９７ｆが形成された面（図９では下面）と、第１の連結部９５の環状溝部９５ｆが形成された面（図９では上面）と、が略属する平面）である中間平面に存する直線の方向（ここではｘ軸に平行方向）に平行移動させ、一方のブロック９１の第２線分Ｑｂと他方のブロック９１の第１線分Ｑａとが一致する状態である平行移動連結可能状態（図１７（ｂ）参照）に該一対のブロック９１を互いに配置できるものである。
第９本ブロック９１においては、前記一対の平面（本体部９３に接するｘｙ面に平行な一対の平面）に平行で前記一対の平面から等しい距離に存する平面である中間平面により分割される２の空間のうち一方（ここでは図９中、下側）の空間のみに第１の連結部９５が存すると共に、第２の連結部９７が該２の空間のうち他方（ここでは図９中、上側）の空間のみに存するものである。
第９本ブロック９１においては、平行移動連結可能状態（図１７（ｂ）参照）において、前記一対のブロック９１のうちの一方のブロック９１の第２の連結部９７と、他方のブロック９１の第１の連結部９５と、が略接するものである。
【０１４８】
第９本ブロック９１においては、平行移動連結可能状態（図１７（ｂ）参照）を保持しつつ、前記一対のブロック９１のうち一方のブロック９１に対し他方のブロック９１が、互いに一致する一方のブロック９１の第２線分Ｑｂと他方のブロック９１の第１線分Ｑａとの周りの回動が許容されるものである。
第９本ブロック９１においては、第２線分部分Ｑｂａの両端のうち前記一対の平面（本体部９３に接するｘｙ面に平行な一対の平面）と離れている端側（図９では下端）に存する第２の連結部９７の貫通穴（中空部９７ｃ）の端部の縁部分の少なくとも一部（ここでは全部）に沿って立ち上がるように形成された挿入部材（環状突部９７ｆ）をさらに有するものである。
第９本ブロック９１においては、第１の連結部９５が取り付けられた本体部９３の外面に第１線分Ｑａに沿った凹溝９３ａｄが形成され、反転連結可能状態（図２５（ａ））においては第１の連結部９５の外面（外周面）の一部が凹溝９３ａｄの内部に進入し、平行移動連結可能状態（図１７（ｂ）参照）においては第２の連結部９７の外面（外周面）の一部が凹溝９３ａｄの内部に進入するものである。
第９本ブロック９１は、前記一対の平面（本体部９３に接するｘｙ面に平行な一対の平面）の一方側（図９では上側）に向けて突出する本体部９３に取り付けられた凸部（凸条部９９ａ、９９ｂ）と、前記一対の平面の他方側（図９では下側）に隣接するブロックが有する凸部（凸条部９９ａ、９９ｂ）を前記一対の平面の他方側（図９では下側）から受け入れる凹部（凹条部９８ａ、９８ｂ）と、をさらに備えてなる。
図１７が示す壁構造物３０９は、複数の第９本ブロック９１を前記一対の平面（本体部９３に接するｘｙ面に平行な一対の平面）に対して平行方向（ここではｘ軸方向）に連結させ配置することで形成される壁構造物であって、隣接する一対のブロック９１の連結部９５、９７の貫通穴（中空部９５ｃ、９７ｃ）に連結部材（鉄筋等のような棒状部材Ｇ）が貫入され、複数のブロック９１の本体部９３が前記壁面を構成するものである、壁構造物である。
【０１４９】
第１０本ブロック１０１は、複数のブロックを隣接して配置し、壁面を構成するための壁形成用のブロックであって、互いに平行な一対の平面（ここでは本体部１０３に接するｘｙ面に平行な一対の平面）に接する本体部１０３と、該一対の平面（本体部１０３に接するｘｙ面に平行な一対の平面）に垂直（ｚ軸に平行方向）かつ該一対の平面の間に存する第１線分Ｑａ（ここでは本体部１０３に接するｘｙ面に平行な一対の平面の間に存するｚ軸に平行な線分）の一部である第１線分部分Ｑａａ（第１線分Ｑａ及び第１線分部分Ｑａａのいずれも図１０参照）が貫通する貫通穴（中空部１０５ｃ）を規定する、本体部１０３の外面に取り付けられた第１の連結部１０５と、を備えてなる、ブロックである。
第１０本ブロック１０１は、前記一対の平面（本体部１０３に接するｘｙ面に平行な一対の平面）に対して平行方向に配置される一対の前記ブロック（第１０本ブロック１０１）のうち一方のブロック１０１に対し他方のブロック１０１を、前記一対の平面（本体部１０３に接するｘｙ面に平行な一対の平面）に平行で前記一対の平面から等しい距離に存する平面（ここでは図１０においては、第１の連結部１０５の上面及び第２の連結部１０７の下面が略属する平面）である中間平面に存する直線の周りに１８０度回転させて反転させ、一方のブロック１０１ｎの第１線分Ｑａと他方のブロック１０１ｒの第１線分Ｑａとが一致する状態である反転連結可能状態（図２５（ｂ））に該一対のブロック１０１を互いに配置できるものである。
【０１５０】
第１０本ブロック１０１においては、中間平面により分割される２の空間のうちいずれか一方（図１０中では、中間平面の下側）の空間のみに第１の連結部１０５が存するものである。
第１０本ブロック１０１においては、反転連結可能状態（図２５（ｂ））において、前記一対のブロック１０１のうちの一方のブロック１０１ｎの第１の連結部１０５と、他方のブロック１０１ｒの第１の連結部１０５と、が略接するものである。
第１０本ブロック１０１においては、反転連結可能状態（図２５（ｂ））を保持しつつ、前記一対のブロック１０１のうち一方のブロック１０１ｎに対し他方のブロック１０１ｒが第１線分Ｑａの周りの回動が許容されるものである（一方のブロック１０１ｎの第１の連結部１０５外周面が他方のブロック１０１ｒの凹溝１０３ａｄに嵌入されると共に、他方のブロック１０１ｒの第１の連結部１０５外周面が一方のブロック１０１ｎの凹溝１０３ａｄに嵌入される。）。
第１０本ブロック１０１においては、前記一対の平面（本体部１０３に接するｘｙ面に平行な一対の平面）の間に存し第１線分Ｑａに平行な第２線分Ｑｂの一部である第２線分部分Ｑｂａ（第２線分Ｑｂ及び第２線分部分Ｑｂａのいずれも図１０参照）が貫通する貫通穴（中空部１０７ｃ）を規定する、本体部１０３の外面に取り付けられた第２の連結部１０７を、さらに備えてなる。
第１０本ブロック１０１においては、本体部１０３が、前記一対の平面にそれぞれ接する上面及び下面（ｘｙ面に平行な面）と、上面と下面との間に形成された壁面を形成する一対の壁形成面１０１ｆ（ｚｘ面に平行な面）と、２の壁形成面１０１ｆの間に形成された２の側面と、を有してなり、該２の側面のうちの一面に第１の連結部１０５が取り付けられると共に、該２の側面のうちの他面に第２の連結部１０７が取り付けられるものである。
【０１５１】
第１０本ブロック１０１においては、第１の連結部１０５が取り付けられた本体部１０３の外面に第１線分Ｑａに沿った凹溝１０３ａｄが形成され、反転連結可能状態（図２５（ｂ））においては第１の連結部１０５の外面（外周面）の一部が凹溝１０３ａｄの内部に進入するものである。
第１０本ブロック１０１は、前記一対の平面（本体部１０３に接するｘｙ面に平行な一対の平面）の一方側（図１０では上側）に向けて突出する本体部１０３に取り付けられた凸部（凸条部１０９ａ、１０９ｂ）と、前記一対の平面の他方側（図１０では下側）に隣接するブロックが有する凸部（凸条部１０９ａ、１０９ｂ）を前記一対の平面の他方側（図１０では下側）から受け入れる凹部（凹条部１０８ａ、１０８ｂ）と、をさらに備えてなる。
図１８が示す壁構造物３１０は、複数の第１０本ブロック１０１、第９本ブロック９１及び第１本ブロック１１を前記一対の平面（本体部１０３に接するｘｙ面に平行な一対の平面）に対して平行方向（ここではｘ軸方向）に連結させ配置することで形成される壁構造物であって、隣接する一対のブロック１０１、９１、１１の連結部１０５、１０７、９７、１５の貫通穴（中空部１０５ｃ、１０７ｃ、９７ｃ、１５ｃ）に連結部材（例えば、鉄筋等のような棒状部材Ｇ）が貫入されることができ、複数のブロック１０１、９１、１１の本体部１０３、９３、１３が前記壁面を構成するものである、壁構造物である。
【符号の説明】
【０１５２】
１１                  第１本ブロック
１１ｆ                壁形成面（主表面）
１３                  本体部
１３ｃ１、１３ｃ２    中空部
１３ｃ１ａ            上部開口
１３ｃ１ｂ            下部開口
１３ｃ２ａ            上部開口
１３ｃ２ｂ            下部開口
１３ｄ                隔壁部
１５                  第１の連結部
１５ｃ                中空部
１５ｃａ              上部開口
１５ｃｂ              下部開口
１５ｆ                環状溝部
１７                  第２の連結部
１７ｃ                中空部
１７ｃａ              上部開口
１７ｃｂ              下部開口
１７ｆ                環状突部
１８ａ、１８ｂ        凹条部
１９ａ、１９ｂ        凸条部
２１                  第２本ブロック
２１ｆ                壁形成面（主表面）
２３                  本体部
２３ｃ１、２３ｃ２    中空部
２３ｃ１ａ            上部開口
２３ｃ１ｂ            下部開口
２３ｃ２ａ            上部開口
２３ｃ２ｂ            下部開口
２３ｃ３              中空部
２３ｃ３ａ            上部開口
２３ｃ３ｂ            下部開口
２３ｅ                窪んだ部分
２３ｆ                環状溝部
２４                  窪み空間
２５                  第１の連結部
２５ｃ                中空部
２５ｃａ              上部開口
２５ｃｂ              下部開口
２５ｆ                環状溝部
２７                  第２の連結部
２７ｃ                中空部
２７ｃａ              上部開口
２７ｃｂ              下部開口
２７ｆ                環状溝部
２８ａ、２８ｂ        凹条部
２９ａ、２９ｂ        凸条部
３１                  第３本ブロック
３１ｆ                壁形成面（主表面）
３３                  本体部
３３ａ、３３ｂ        側面部
３３ａｄ、３３ｂｄ    凹溝
３３ｃ                中心部
３３ｃ１、３３ｃ２    中空部
３３ｃ１ａ            上部開口
３３ｃ１ｂ            下部開口
３３ｃ２ａ            上部開口
３３ｃ２ｂ            下部開口
３３ｄ                隔壁
３５                  第１の連結部
３５ｃ                中空部
３５ｃａ              上部開口
３５ｃｂ              下部開口
３５ｆ                環状溝部
３７                  第２の連結部
３７ｃ                中空部
３７ｃａ              上部開口
３７ｃｂ              下部開口
３７ｆ                環状突部
３８ａ、３８ｂ        凹条部
３９ａ、３９ｂ        凸条部
４１                  第４本ブロック
４１ｆ                壁形成面（主表面）
４３                  本体部
４３ａ                側面部
４３ａｄ              凹溝
４３ｃ                中心部
４３ｃ１、４３ｃ２    中空部
４３ｃ１ａ            上部開口
４３ｃ１ｂ            下部開口
４３ｃ２ａ            上部開口
４３ｃ２ｂ            下部開口
４３ｄ                隔壁
４５                  第１の連結部
４５ｃ                中空部
４５ｃａ              上部開口
４５ｃｂ              下部開口
４５ｆ                環状溝部
４７                  第２の連結部
４７ｃ                中空部
４７ｃａ              上部開口
４７ｃｂ              下部開口
４７ｆ                環状溝部
４８ａ、４８ｂ        凹条部
４９ａ、４９ｂ        凸条部
５１                  第５本ブロック
５３                  本体部
５３ｃ１、５３ｃ２    中空部
５３ｃ１ａ            上部開口
５３ｃ１ｂ            下部開口
５３ｃ２ａ            上部開口
５３ｃ２ｂ            下部開口
５３ｄ                隔壁部
５５                  第１の連結部
５５ｃ                中空部
５５ｃａ              上部開口
５５ｃｂ              下部開口
５５ｆ                環状溝部
５８ａ、５８ｂ        凹条部
５９ａ、５９ｂ        凸条部
６１                  第６本ブロック
６１ｆ                主表面
６３                  本体部
６３ａ                側面部
６３ａｄ              凹溝
６３ｃ                中心部
６３ｃ１、６３ｃ２    中空部
６３ｃ１ａ            上部開口
６３ｃ１ｂ            下部開口
６３ｃ２ａ            上部開口
６３ｃ２ｂ            下部開口
６３ｄ                隔壁部
６５                  第１の連結部
６５ｃ                中空部
６５ｃａ              上部開口
６５ｃｂ              下部開口
６５ｆ                環状溝部
６８ａ、６８ｂ        凹条部
６９ａ、６９ｂ        凸条部
７１                  第７本ブロック
７１ｆ                壁形成面（主表面）
７３                  本体部
７３ｃ１、７３ｃ２    中空部
７３ｃ１ａ            上部開口
７３ｃ１ｂ            下部開口
７３ｃ２ａ            上部開口
７３ｃ２ｂ            下部開口
７３ｄ                隔壁部
７５                  第１の連結部
７５ｃ                中空部
７５ｃａ              上部開口
７５ｃｂ              下部開口
７５ｆ                環状溝部
７７                  第２の連結部
７７ｃ                中空部
７７ｃａ              上部開口
７７ｃｂ              下部開口
７７ｆ                環状突部
７８ａ、７８ｂ        凹条部
７９ａ、７９ｂ        凸条部
８１                  第８本ブロック
８１ｆ                壁形成面（主表面）
８３                  本体部
８３ｃ１、８３ｃ２    中空部
８３ｃ１ａ            上部開口
８３ｃ１ｂ            下部開口
８３ｃ２ａ            上部開口
８３ｃ２ｂ            下部開口
８３ｃ３              中空部
８３ｃ３ａ            上部開口
８３ｃ３ｂ            下部開口
８３ｅ                窪んだ部分
８３ｆ                環状溝部
８４                  窪み空間
８５                  第１の連結部
８５ｃ                中空部
８５ｃａ              上部開口
８５ｃｂ              下部開口
８５ｆ                環状溝部
８７                  第２の連結部
８７ｃ                中空部
８７ｃａ              上部開口
８７ｃｂ              下部開口
８７ｆ                環状溝部
８８ａ、８８ｂ        凹条部
８９ａ、８９ｂ        凸条部
９１                  第９本ブロック
９１ｆ                壁形成面（主表面）
９３                  本体部
９３ａ、９３ｂ        側面部
９３ａｄ、９３ｂｄ    凹溝
９３ｃ                中心部
９３ｃ１、９３ｃ２    中空部
９３ｃ１ａ            上部開口
９３ｃ１ｂ            下部開口
９３ｃ２ａ            上部開口
９３ｃ２ｂ            下部開口
９３ｄ                隔壁部
９５                  第１の連結部
９５ｃ                中空部
９５ｃａ              上部開口
９５ｃｂ              下部開口
９５ｆ                環状溝部
９７                  第２の連結部
９７ｃ                中空部
９７ｃａ              上部開口
９７ｃｂ              下部開口
９７ｆ                環状突部
９９                  外部
９８ａ、９８ｂ        凹条部
９９ａ、９９ｂ        凸条部
１０１                  第１０本ブロック
１０１ｆ                主表面
１０３                  本体部
１０３ａ                側面部
１０３ａｄ              凹溝
１０３ｃ                中心部
１０３ｃ１、１０３ｃ２  中空部
１０３ｃ１ａ            上部開口
１０３ｃ１ｂ            下部開口
１０３ｃ２ａ            上部開口
１０３ｃ２ｂ            下部開口
１０３ｄ                隔壁部
１０５                  第１の連結部
１０５ｃ                中空部
１０５ｃａ              上部開口
１０５ｃｂ              下部開口
１０５ｆ                環状溝部
１０７                  第２の連結部
１０７ｃ                中空部
１０７ｃａ              上部開口
１０７ｃｂ              下部開口
１０７ｆ                環状溝部
１０８ａ、１０８ｂ      凹条部
１０９ａ、１０９ｂ      凸条部
３０１、３０２ａ、３０２ｂ、３０３、３０４、３０５ａ、３０５ｂ、３０６、３０７、３０９、３１０  壁構造物
【図１】
0005745916.tif 000002
【図２】
0005745916.tif 000003
【図３】
0005745916.tif 000004
【図４】
0005745916.tif 000005
【図５】
0005745916.tif 000006
【図６】
0005745916.tif 000007
【図７】
0005745916.tif 000008
【図８】
0005745916.tif 000009
【図９】
0005745916.tif 000010
【図１０】
0005745916.tif 000011
【図１１】
0005745916.tif 000012
【図１２】
0005745916.tif 000013
【図１３】
0005745916.tif 000014
【図１４】
0005745916.tif 000015
【図１５】
0005745916.tif 000016
【図１６】
0005745916.tif 000017
【図１７】
0005745916.tif 000018
【図１８】
0005745916.tif 000019
【図１９】
0005745916.tif 000020
【図２０】
0005745916.tif 000021
【図２１】
0005745916.tif 000022
【図２２】
0005745916.tif 000023
【図２３】
0005745916.tif 000024
【図２４】
0005745916.tif 000025
【図２５】
0005745916.tif 000026
【図２６】
0005745916.tif 000027